(57)【要約】【課題】  ユーザの変動状態に応じてシングルビューモードまたはマルチビューモードに転換するディスプレイ装置及びそのディスプレイ方法を提供すること。【解決手段】  本発明の一実施形態にかかるディスプレイ装置は、複数のコンテンツを受信し、各コンテンツの映像フレームを構成できる信号処理部と、ディスプレイ部を介して信号処理部から出力された一つのコンテンツの映像フレームのみを表示する第１モードまたは信号処理部から出力された複数のコンテンツの各々の映像フレームを組み合わせて表示する第２モードで動作できる出力部と、ディスプレイ装置のディスプレイ部の外郭に設置されて、ディスプレイ装置の正面を撮像できる撮像部を有し、外部ネットワークを介して画像通話要請が受信されると、画像通話を接続する画像通話処理部と、画像通話処理部の動作状態に応じて、信号処理部を介して出力される複数のコンテンツの各々の映像フレームの組み合わせを決定するように出力部を制御する制御部と、を備える。【選択図】  図５
2013141236.tif 000002
【特許請求の範囲】
【請求項１】
ディスプレイ部に表示される映像を処理するためのディスプレイ装置であって、
複数のコンテンツを受信し、各コンテンツの映像フレームを構成できる信号処理部と、
前記ディスプレイ部を介して前記信号処理部から出力された一つのコンテンツの映像フレームのみを表示する第１モードまたは前記信号処理部から出力された前記複数のコンテンツの各々の映像フレームを組み合わせて表示する第２モードで動作できる出力部と、
前記ディスプレイ装置のディスプレイ部の外郭に設置されて、前記ディスプレイ装置の正面を撮像できる撮像部を有し、外部ネットワークを介して画像通話要請が受信されると、画像通話を接続する画像通話処理部と、
前記画像通話処理部の動作状態に応じて、前記信号処理部を介して出力される前記複数のコンテンツの各々の映像フレームの組み合わせを決定するように前記出力部を制御する制御部と、を備えることを特徴とするディスプレイ装置。
【請求項２】
前記制御部は、
前記撮像部で撮像されたデータを利用して、前記ディスプレイ装置を視聴するユーザの変動状態を検知し、前記ユーザの変動状態に応じて前記第１モードまたは第２モードのうちの何れか一つで動作するように前記出力部を制御することを特徴とする請求項１に記載のディスプレイ装置。
【請求項３】
前記制御部は、
前記出力部が前記第１モードで動作する状態でユーザの追加が検知されると、前記第２モードに転換するように前記出力部を制御し、
前記出力部が前記第２モードで動作する状態でユーザの離脱が検知されると、前記第１モードに転換するように前記出力部を制御することを特徴とする請求項２に記載のディスプレイ装置。
【請求項４】
格納部をさらに備え、
前記制御部は、
前記出力部が前記第２モードで動作する状態で前記ユーザの離脱が検知されると、前記第１モードに転換するように前記出力部を制御し、前記第２モードにおいて出力される複数のコンテンツの中で離脱したユーザに対応するコンテンツの視聴環境情報を前記格納部に格納し、
前記離脱したユーザが復帰すると、前記コンテンツの視聴環境情報を利用して前記離脱したユーザに対応するコンテンツを再構成し、前記再構成されたコンテンツを含む複数のコンテンツを出力するように前記出力部を制御することを特徴とする請求項３に記載のディスプレイ装置。
【請求項５】
前記制御部は、
パブリックモードが設定されると、前記ユーザの変動状態に応じて前記第２モード及び前記第１モード間の転換を行い、
プライベートモードが設定されると、前記ユーザの変動状態が検知されても前記第２モード及び前記第１モード間の転換を禁止し、前記第２モードで固定的に動作するように前記出力部を制御することを特徴とする請求項２に記載のディスプレイ装置。
【請求項６】
ユーザ別に個別的にコンテンツの視聴環境情報が格納される格納部をさらに備え、
前記制御部は、
新規ユーザの追加が検知されると、前記新規ユーザに対応するコンテンツの視聴環境情報を利用して新規コンテンツを構成し、前記新規コンテンツを含む複数のコンテンツを出力するように前記出力部を制御することを特徴とする請求項２に記載のディスプレイ装置。
【請求項７】
前記撮像部は、
遠隔制御装置から出力されるＩＲ信号を撮像し、
前記制御部は、
前記出力部が前記第２モードで動作する状態で前記遠隔制御装置からユーザ命令が受信されると、前記ＩＲ信号の撮像映像を介して前記遠隔制御装置から隣接したユーザを検出して、前記検出されたユーザに対応するコンテンツに前記ユーザ命令を適用することを特徴とする請求項２に記載のディスプレイ装置。
【請求項８】
前記制御部は、
前記出力部が前記第１モードで動作するとき、前記画像通話要請に応答して画像通話が接続されると、前記出力部を前記第１モードから前記第２モードに変更し、前記複数のコンテンツのうちの何れか一つのコンテンツの映像フレームを画像通話画面に代替するように制御することを特徴とする請求項１に記載のディスプレイ装置。
【請求項９】
画像通話接続命令を受け取るインタフェース部をさらに備え、
前記制御部は、
前記インタフェース部を介して前記画像通話接続命令が入力されると、前記画像通話要請を送信したコレスポンデントノードとの画像通話を接続するように、前記画像通話処理部を制御することを特徴とする請求項１に記載のディスプレイ装置。
【請求項１０】
前記インタフェース部は、
前記複数のコンテンツに対応する複数のメガネ装置のうちの何れか一つから前記画像通話接続命令を受信し、
前記制御部は、
前記複数のメガネ装置のうち、前記画像通話接続命令を送信したメガネ装置に対応するコンテンツの映像フレームを画像通話画面に代替するように前記出力部を制御することを特徴とする請求項１に記載のディスプレイ装置。
【請求項１１】
前記画像通話処理部は、
撮像を行う撮像部と、
前記画像通話が接続されると、前記画像通話要請を送信したコレスポンデントノードから画像通話データを受信する画像通話受信部と、
前記画像通話データに含まれた画像データ及び前記撮像部で撮像した撮像データを利用して前記画像通話画面を構成する通話画面処理部と、を備えることを特徴とする請求項１０に記載のディスプレイ装置。
【請求項１２】
前記インタフェース部は、
前記撮像部で撮像されたデータを利用してユーザモーションを検知するモーション検知部であり、
前記制御部は、
前記モーション検知部においてあらかじめ設定されたユーザモーションが検知されると、前記画像通話要請を送信したコレスポンデントノードとの画像通話を接続するように、前記画像通話処理部を制御し、前記ユーザモーションが検知された方向に撮像方向をシフトさせるように、前記撮像部を制御することを特徴とする請求項１１に記載のディスプレイ装置。
【請求項１３】
前記制御部は、
前記画像通話要請が受信されると、画像通話の遂行有無を問い合わせるためのメッセージをディスプレイするよう前記出力部を制御することを特徴とする請求項１に記載のディスプレイ装置。
【請求項１４】
前記制御部は、
前記出力部が前記第２モードで動作するとき、前記画像通話要請に応答して画像通話が接続されると、前記複数のコンテンツのうち、前記出力部が出力している何れか一つのコンテンツの映像フレームを画像通話画面に代替するように制御することを特徴とする請求項１に記載のディスプレイ装置。
【請求項１５】
前記画像通話画面に代替されるコンテンツの映像フレームを格納する格納部をさらに備えることを特徴とする請求項８に記載のディスプレイ装置。
【発明の詳細な説明】
【技術分野】
【０００１】
本発明は、ディスプレイ装置、映像処理システム、ディスプレイ方法及び映像処理方法に関し、さらに詳細には、複数のコンテンツを一つの画面を介して提供するディスプレイ装置、映像処理システム、ディスプレイ方法及び映像処理方法に関する。
【０００２】
また、複数のユーザに互いに異なるコンテンツを提供し、かつ画像通話の遂行も可能なディスプレイ装置及びこれを利用した画像通話方法に関する。
【０００３】
また、複数のユーザに互いに異なるコンテンツを提供し、かつ画像通話の遂行時にコンテンツの格納が可能なディスプレイ装置、及びこれを利用した画像通話方法に関する。
【０００４】
また、コンテンツビューの転換動作を制限的に行うディスプレイ装置及びその方法に関する。
【０００５】
また、複数のユーザに互いに異なるコンテンツを提供できるディスプレイ装置、それを利用したマルチビューディスプレイ方法、メガネ装置及びその制御方法に関する。
【０００６】
また、複数のユーザに互いに異なるコンテンツを提供できるメガネ装置、その通信方法、ディスプレイ装置及びそれを利用したコンテンツ提供方法に関する。
【０００７】
なお、複数のユーザに互いに異なるコンテンツを提供できるメガネ装置とそれを利用したコンテンツ転換方法、及びディスプレイ装置とそれを利用したコンテンツ提供方法に関する。
【背景技術】
【０００８】
デジタル技術の発達に伴って多様な類型の電子製品が開発及び普及しつつある。特に、ＴＶ、携帯電話、ＰＣ、タブレット端末、ＰＤＡなどのような各種のディスプレイ装置は、大部分の一般家庭においても多く使用されている。
【０００９】
ディスプレイ装置の使用の増加に伴って、さらに多様な機能に対するユーザのニーズ（ｎｅｅｄｓ）も増大した。これにより、ユーザのニーズに符合するための各電子製品製造社の努力も大きくなり、従来にはなかった新しい機能付き製品が続々登場している。
【００１０】
特に、近来では、一つの公用ディスプレイ装置で複数のユーザが自身の望むコンテンツを視聴できる技術に対するニーズが高い。ディスプレイ装置は、本質的に視聴者に実感あふれる映像を見せるための課題を有している。このためにディスプレイ装置は、人間の視野範囲内で可能な大きくなければならず、かつ鮮明でなければならない。現在、個人用ディスプレイ装置に該当するＰＣ、スマートフォンなどがこのような課題の解決法を絶えず提示していることもこのような理由である。しかし、個人用ディスプレイ装置は、携帯性を前提とするので、完全なディスプレイを提供するにはサイズの限界を有している。これに対し、ＴＶや大型スクリーンのような公用（ｐｕＢｌｉｃ）ディスプレイ装置は、個人用ディスプレイ装置が持っている映像伝達の限界を克服できるが、視聴者の各々に個別化したコンテンツを提供できないという短所がある。したがって、一つの公用ディスプレイ装置を介して多様なコンテンツの中で個人に適したコンテンツを鮮明な映像で提供できる技術が要求されることである。
【００１１】
公用ディスプレイ装置を個人用ディスプレイ装置として使用するためには、多様な融合技術を考慮しなければならない。すなわち、前記のような公用ディスプレイ装置の拡張は完全でなければならず、個人用ディスプレイ装置の機能を代替する程度までなされなければならない。このためには、個人用ディスプレイ装置の機能だけでなく、インタフェースをさらに考慮しなければならない。
【００１２】
このようなディスプレイ装置を利用すれば、複数のユーザは、一つのディスプレイ装置を利用しながらも自身の望むコンテンツを個別的に選択して見ることができる。ディスプレイ装置においてディスプレイ可能なコンテンツには、放送受信画面だけでなく、各種のプログラム実行画面などもあることができる。各ユーザは、自身のコンテンツを見る途中にコンテンツ選択命令を入力して新しいコンテンツを選択できる。この場合、複数のユーザの変動状態に応じて複数のコンテンツを效率的に制御するための方法が求められる。
【００１３】
このようなディスプレイ装置を使用する場合、ユーザは、他のユーザが視聴中であるコンテンツに転換したい状況が発生できる。しかし、ゲームプログラムや電子メールプログラムなどを実行している場合、ゲームの公正性や個人プライバシーのためにユーザが任意にコンテンツを転換してはならない場合が生じうる。したがって、コンテンツビューの転換を效率的に行うことができる技術に対する必要性が台頭している。
【００１４】
また、メガネ装置を着用したユーザが特定コンテンツをマルチビューモードで視聴しようとする場合、簡便なマルチビューモード転換方案の摸索が求められる。
【００１５】
また、このようなディスプレイ装置は、メガネ装置と連動して、メガネ装置を着用したユーザに特定コンテンツを提供する。そのため、メガネ装置の誤作動を防止するための方案の摸索が求められる。
【００１６】
また、このような方法の場合に、ユーザは、メガネ装置を着用する前までメガネ装置が正常に動作しているかどうかを確認できなくなる。これにより、簡便な操作でメガネ装置の動作を容易に確認できる方案の摸索が求められる。
【００１７】
なお、このようなディスプレイ装置の場合、ユーザが自身の望む一つのコンテンツのみを視聴するという点で、他のコンテンツの内容を確認することができないという問題点がある。これにより、簡便な操作で他のコンテンツの内容を容易に確認できる方案の摸索が求められる。
【先行技術文献】
【特許文献】
【００１８】
【特許文献１】欧州特許登録第００９９７０４０号
【特許文献２】米国特開第２０１１−０２２８０４１号公報
【発明の概要】
【発明が解決しようとする課題】
【００１９】
本発明は、上述した必要性によるものであって、本発明の目的は、ユーザの変動状態に応じてシングルビューモードまたはマルチビューモードに転換するディスプレイ装置及びそのディスプレイ方法を提供することにある。
【課題を解決するための手段】
【００２０】
上記の目的を達成すべく、本発明の一実施形態にかかるディスプレイ装置は、シングルビューモードでは、一つのコンテンツビューを出力し、マルチビューモードでは、複数のコンテンツビューを組み合わせて出力する出力部と、撮像を行う撮像部と、前記撮像部で撮像されたデータを利用して前記ディスプレイ装置を視聴するユーザの変動状態を検知し、前記ユーザの変動状態に応じて前記シングルビューモードまたは前記マルチビューモードで動作するように前記出力部を制御する制御部とを備える。
【００２１】
ここで、前記制御部は、前記出力部が前記シングルビューモードで動作する状態でユーザの追加が検知されると、前記マルチビューモードに転換するように前記出力部を制御し、前記出力部が前記マルチビューモードで動作する状態でユーザの離脱が検知されると、前記シングルビューモードに転換するように前記出力部を制御できる。
【００２２】
また、格納部をさらに備え、前記制御部は、前記出力部が前記マルチビューモードで動作する状態で前記ユーザの離脱が検知されると、前記シングルビューモードに転換するように前記出力部を制御し、前記マルチビューモードにおいて出力される複数のコンテンツビューの中で離脱したユーザに対応するコンテンツビューの視聴環境情報を前記格納部に格納し、前記離脱したユーザが復帰すると、前記コンテンツビューの視聴環境情報を利用して前記離脱したユーザに対応するコンテンツビューを再構成し、前記再構成されたコンテンツビューを含む複数のコンテンツビューを出力するように前記出力部を制御できる。
【００２３】
また、前記制御部は、パブリックモードが設定されると、前記ユーザの変動状態に応じて前記マルチビューモード及び前記シングルビューモード間の転換を行い、プライベートモードが設定されると、前記ユーザの変動状態が検知されても前記マルチビューモード及び前記シングルビューモード間の転換を禁止し、前記マルチビューモードで固定的に動作するように前記出力部を制御できる。
【００２４】
また、ユーザ別に個別的にコンテンツビューの視聴環境情報が格納される格納部をさらに備え、前記制御部は、新規ユーザの追加が検知されると、前記新規ユーザに対応するコンテンツビューの視聴環境情報を利用して新規コンテンツビューを構成し、前記新規コンテンツビューを含む複数のコンテンツビューを出力するように前記出力部を制御できる。
【００２５】
また、前記撮像部は、遠隔制御装置から出力されるＩＲ信号を撮像し、前記制御部は、前記出力部が前記マルチビューモードで動作する状態で前記遠隔制御装置からユーザ命令が受信されると、前記ＩＲ信号の撮像映像を介して前記遠隔制御装置から隣接したユーザを検出して、前記検出されたユーザに対応するコンテンツビューに前記ユーザ命令を適用できる。
【００２６】
一方、本発明の一実施形態にかかるシングルビューモードでは、一つのコンテンツビューを出力し、マルチビューモードでは、複数のコンテンツビューを組み合わせて出力するディスプレイ装置のディスプレイ方法は、撮像を行うステップと、撮像されたデータを利用して前記ディスプレイ装置を視聴するユーザの変動状態を検知するステップと、前記ユーザの変動状態に応じて前記シングルビューモードまたは前記マルチビューモードで動作するステップとを含む。
【００２７】
ここで、前記シングルビューモードまたは前記マルチビューモードで動作するステップは、前記シングルビューモードで動作する状態でユーザの追加が検知されると、前記マルチビューモードに転換し、前記マルチビューモードで動作する状態でユーザの離脱が検知されると、前記シングルビューモードに転換できる。
【００２８】
また、前記マルチビューモードで動作する状態で前記ユーザの離脱が検知されると、前記シングルビューモードに転換し、前記マルチビューモードにおいて出力される複数のコンテンツビューの中で離脱したユーザに対応するコンテンツビューの視聴環境情報を格納するステップと、前記離脱したユーザが復帰すると、前記コンテンツビューの視聴環境情報を利用して前記離脱したユーザに対応するコンテンツビューを再構成し、前記再構成されたコンテンツビューを含む複数のコンテンツビューを出力するステップとを含むことができる。
【００２９】
また、パブリックモードが設定されると、前記ユーザの変動状態に応じて前記マルチビューモード及び前記シングルビューモード間の転換を行い、プライベートモードが設定されると、前記ユーザの変動状態が検知されても前記マルチビューモード及び前記シングルビューモード間の転換を禁止し、前記マルチビューモードで固定的に動作するようにするステップをさらに含むことができる。
【００３０】
また、前記ディスプレイ装置は、ユーザ別に個別的にコンテンツビューの視聴環境情報をあらかじめ格納し、前記シングルビューモードまたは前記マルチビューモードで動作するステップは、新規ユーザの追加が検知されると、前記新規ユーザに対応するコンテンツビューの視聴環境情報を利用して新規コンテンツビューを構成し、前記新規コンテンツビューを含む複数のコンテンツビューを出力できる。
【００３１】
また、遠隔制御装置から出力されるＩＲ信号を撮像するステップと、前記マルチビューモードで動作する状態で前記遠隔制御装置からユーザ命令が受信されると、前記ＩＲ信号の撮像映像を介して前記遠隔制御装置から隣接したユーザを検出するステップと、前記検出されたユーザに対応するコンテンツビューに前記ユーザ命令を適用するステップとをさらに含むことができる。
【００３２】
本発明の他の目的は、複数のユーザに互いに異なるコンテンツを同時に提供する途中に画像通話できるディスプレイ装置及びその方法に関する。
【００３３】
上記の目的を達成すべく、本発明の一実施形態にかかるディスプレイ装置は、互いに異なる複数のコンテンツを受信して各コンテンツの映像フレームを構成する複数の信号処理部と、前記複数の信号処理部で処理された前記複数のコンテンツの各々の映像フレームを組み合わせてディスプレイする出力部と、画像通話要請を受信する画像通話処理部と、前記画像通話要請に応答して画像通話が接続されると、前記複数のコンテンツのうちの何れか一つのコンテンツの映像フレームを画像通話画面に代替するように前記出力部を制御する制御部とを備える。
【００３４】
また、画像通話接続命令を受け取るインタフェース部をさらに備え、前記制御部は、前記インタフェース部を介して前記画像通話接続命令が入力されると、前記画像通話要請を送信したコレスポンデントノード（ｃｏｒｒｅｓｐｏｎｄｅｎｔ  ｎｏｄｅ）との画像通話を接続するように、前記画像通話処理部を制御できる。
【００３５】
また、前記インタフェース部は、前記複数のコンテンツに対応する複数のメガネ装置のうちの何れか一つから前記画像通話接続命令を受信し、前記制御部は、前記複数のメガネ装置のうち、前記画像通話接続命令を送信したメガネ装置に対応するコンテンツの映像フレームを画像通話画面に代替するように前記出力部を制御できる。
【００３６】
前記画像通話処理部は、撮像を行う撮像部と、前記画像通話が接続されると、前記画像通話要請を送信したコレスポンデントノードから画像通話データを受信する画像通話受信部と、前記画像通話データに含まれた画像データ及び前記撮像部で撮像した撮像データを利用して前記画像通話画面を構成する通話画面処理部とを備えることができる。
【００３７】
前記インタフェース部は、撮像部で撮像されたデータを利用してユーザモーションを検知するモーション検知部であり、前記制御部は、前記モーション検知部であらかじめ設定されたユーザモーションが検知されると、前記画像通話要請を送信したコレスポンデントノードとの画像通話を接続するように、前記画像通話処理部を制御し、前記ユーザモーションが検知された方向に撮像方向をシフトさせるように前記撮像部を制御できる。
【００３８】
前記制御部は、前記画像通話要請が受信されると、画像通話の遂行有無を問い合わせるためのメッセージをディスプレイするよう前記出力部を制御できる。
【００３９】
前記制御部は、前記複数のコンテンツのうちの何れか一つのコンテンツが前記出力部においてディスプレイされる状態で前記画像通話が接続されると、前記出力部においてディスプレイされるコンテンツの映像フレーム及び前記画像通話画面を組み合わせてディスプレイするよう前記出力部を制御できる。
【００４０】
上記の目的を達成すべく、本発明の一実施形態にかかるディスプレイ方法は、互いに異なる複数のコンテンツを映像フレーム単位で組み合わせてディスプレイするステップと、画像通話要請を受信するステップと、前記画像通話要請に応答して画像通話が接続されると、前記複数のコンテンツのうちの何れか一つのコンテンツの映像フレームを画像通話画面に代替する画像通話ステップとを含むことができる。
【００４１】
また、前記複数のコンテンツに対応する複数のメガネ装置のうちの何れか一つから画像通話接続命令を受信するステップと、前記画像通話要請を送信したコレスポンデントノードとの画像通話を接続するステップとをさらに含むことができる。
【００４２】
また、前記画像通話ステップは、撮像を行うステップと、前記画像通話が接続されると、前記画像通話要請を送信したコレスポンデントノードから画像通話データを受信するステップと、前記画像通話データに含まれた画像データ及び撮像データを利用して前記画像通話画面を構成するステップと、前記複数のメガネ装置のうち、前記画像通話接続命令を送信したメガネ装置に対応するコンテンツの映像フレームを前記画像通話画面に代替するステップと、前記画像通話データに含まれた音声データを処理して、前記画像通話接続命令を送信したメガネ装置に送信するステップとを含むことができる。
【００４３】
また、撮像を行うステップと、撮像されたデータを利用してユーザモーションを検知するステップと、あらかじめ設定されたユーザモーションが検知されると、前記画像通話要請を送信したコレスポンデントノードとの画像通話を接続し、前記ユーザモーションが検知された方向に撮像方向をシフトさせるステップとをさらに含むことができる。
【００４４】
また、前記画像通話要請が受信されると、画像通話の遂行有無を問い合わせるためのメッセージをディスプレイするステップをさらに含むことができる。
【００４５】
なお、前記複数のコンテンツのうちの何れか一つのコンテンツがディスプレイされる状態で前記画像通話が接続されると、前記ディスプレイされるコンテンツの映像フレーム及び前記画像通話画面を組み合わせてディスプレイするステップをさらに含むことができる。
【００４６】
以上のような本発明の多様な実施形態によれば、複数人が一つのディスプレイ装置を介して各々互いに異なるコンテンツを視聴でき、他人の視聴に影響を及ぼさず、かつ画像通話もできるようになる。
【００４７】
本発明のさらに他の目的は、複数のユーザに互いに異なるコンテンツを同時に提供する途中に画像通話をする場合、画像通話画面に代替される映像フレームを格納し、画像通話が終了する場合に格納されたコンテンツを提供できるディスプレイ装置とこれを利用した画像通話方法に関する。
【００４８】
上記の目的を達成すべく、本発明の一実施形態にかかるディスプレイ装置は、互いに異なる複数のコンテンツを受信して各コンテンツの映像フレームを構成する複数の信号処理部と、前記複数の信号処理部で処理された前記複数のコンテンツの各々の映像フレームを組み合わせてディスプレイする出力部と、画像通話要請を受信する画像通話処理部と、映像フレームを格納する格納部と、前記画像通話要請に応答して前記画像通話が接続されると、前記複数のコンテンツのうちの何れか一つのコンテンツの映像フレームを画像通話画面に代替するように前記出力部を制御し、前記画像通話画面に代替される映像フレームを格納するように前記格納部を制御する制御部とを備える。
【００４９】
前記制御部は、画像通話が終了すると、格納された映像フレームと画像通話画面に代替されないコンテンツの映像フレームとを組み合わせてディスプレイするよう出力部を制御できる。
【００５０】
また、画像通話接続命令を受け取るインタフェース部をさらに備え、前記制御部は、前記インタフェース部を介して前記画像通話接続命令が入力されると、前記画像通話要請を送信したコレスポンデントノードとの画像通話を接続するように前記画像通話処理部を制御できる。
【００５１】
また、前記インタフェース部は、前記複数のコンテンツに対応する複数のメガネ装置のうちの何れか一つから前記画像通話接続命令を受信し、前記制御部は、前記複数のメガネ装置のうち、前記画像通話接続命令を送信したメガネ装置に対応するコンテンツの映像フレームを画像通話画面に代替するように前記出力部を制御できる。
【００５２】
また、前記画像通話処理部は、撮像を行う撮像部と、前記画像通話が接続されると、前記画像通話要請を送信したコレスポンデントノードから画像通話データを受信する画像通話受信部と、前記画像通話データに含まれた画像データ及び前記撮像部で撮像した撮像データを利用して前記画像通話画面を構成する通話画面処理部とを備えることができる。
【００５３】
また、前記インタフェース部は、撮像部で撮像されたデータを利用してユーザモーションを検知するモーション検知部であり、前記制御部は、前記モーション検知部であらかじめ設定されたユーザモーションが検知されると、前記画像通話要請を送信したコレスポンデントノードとの画像通話を接続するように前記画像通話処理部を制御し、前記ユーザモーションが検知された方向に撮像方向をシフトさせるように前記撮像部を制御できる。
【００５４】
また、前記制御部は、前記画像通話要請が受信されると、画像通話の遂行有無を問い合わせるためのメッセージをディスプレイするよう前記出力部を制御できる。
【００５５】
また、前記制御部は、前記複数のコンテンツのうちの何れか一つのコンテンツが前記出力部においてディスプレイされる状態で前記画像通話が接続されると、前記出力部においてディスプレイされるコンテンツの映像フレーム及び前記画像通話画面を組み合わせてディスプレイするよう前記出力部を制御できる。
【００５６】
上記の目的を達成すべく、本発明の一実施形態にかかる画像通話方法は、互いに異なる複数のコンテンツを映像フレーム単位で組み合わせてディスプレイするステップと、画像通話要請を受信するステップと、前記画像通話要請に応答して前記画像通話が接続されると、前記複数のコンテンツのうちの何れか一つのコンテンツの映像フレームを画像通話画面に代替し、前記画像通話画面に代替される映像フレームを格納するステップとを含む。
【００５７】
また、画像通話が終了すると、格納された映像フレームと画像通話画面に代替されないコンテンツの映像フレームとを組み合わせてディスプレイするステップをさらに含むことができる。
【００５８】
また、前記複数のコンテンツに対応する複数のメガネ装置のうちの何れか一つから画像通話接続命令を受信するステップと、前記画像通話要請を送信したコレスポンデントノードとの画像通話を接続するステップとをさらに含むことができる。
【００５９】
また、撮像を行うステップと、前記画像通話が接続されると、前記画像通話要請を送信したコレスポンデントノードから画像通話データを受信するステップと、前記画像通話データに含まれた画像データ及び撮像データを利用して前記画像通話画面を構成するステップと、前記複数のメガネ装置のうち、前記画像通話接続命令を送信したメガネ装置に対応するコンテンツの映像フレームを前記画像通話画面に代替するステップと、前記画像通話データに含まれた音声データを処理して、前記画像通話接続命令を送信したメガネ装置に送信するステップとをさらに含むことができる。
【００６０】
また、撮像を行うステップと、撮像されたデータを利用してユーザモーションを検知するステップと、あらかじめ設定されたユーザモーションが検知されると、前記画像通話要請を送信したコレスポンデントノードとの画像通話を接続し、前記ユーザモーションが検知された方向に撮像方向をシフトさせるステップとをさらに含むことができる。
【００６１】
また、前記画像通話要請が受信されると、画像通話の遂行有無を問い合わせるためのメッセージをディスプレイするステップをさらに含むことができる。
【００６２】
また、前記複数のコンテンツのうちの何れか一つのコンテンツがディスプレイされる状態で前記画像通話が接続されると、前記ディスプレイされるコンテンツの映像フレーム及び前記画像通話画面を組み合わせてディスプレイするステップをさらに含むことができる。
【００６３】
以上のような本発明の多様な実施形態によれば、複数人が一つのディスプレイ装置を介して各自互いに異なるコンテンツを視聴しながら画像通話をすることができ、この場合に、画像通話画面に代替される映像フレームを格納し、画像通話が終了する場合に、格納されたコンテンツをディスプレイできるディスプレイ装置とこれを利用した画像通話方法に関する。
【００６４】
本発明のさらに他の目的は、コンテンツビューの転換動作を制限的に行うことができるディスプレイ装置及びその方法を提供することにある。
【００６５】
上記の目的を達成すべく、本発明の一実施形態にかかるディスプレイ装置は、互いに異なる複数のコンテンツビューを組み合わせて出力する出力部と、前記複数のコンテンツビュー及び複数のメガネ装置を同期化させる同期化信号を生成する同期化信号生成部と、前記同期化信号を前記複数のメガネ装置に送信するインタフェース部と、前記複数のコンテンツビューの間で各メガネ装置に同期化されるコンテンツを互いに転換するコンテンツビューの転換動作を制限的に行う制御部とを備える。
【００６６】
本装置は、コンテンツビューの転換禁止命令を受け取るための入力部をさらに備えることができる。
【００６７】
この場合、前記制御部は、前記コンテンツビューの転換禁止命令が入力されない状態で前記複数のメガネ装置のうち、少なくとも一つからコンテンツビューの転換命令が受信されると、前記コンテンツビューの転換動作を行い、前記コンテンツビューの転換禁止命令が入力された状態で前記コンテンツビューの転換命令が受信されると、前記コンテンツビューの転換動作を制限できる。
【００６８】
または、本装置は、コンテンツビューの転換禁止命令及び解除命令を受け取るための入力部をさらに備え、前記制御部は、前記コンテンツビューの転換禁止命令が入力された時点から前記解除命令が入力されるまで、前記コンテンツビューの転換動作を制限できる。
【００６９】
または、前記制御部は、あらかじめ設定された種類のコンテンツに対しては、前記コンテンツビューの転換動作を制限し、残りのコンテンツに対しては、前記コンテンツビューの転換動作を許すことができる。
【００７０】
ここで、前記制御部は、前記コンテンツが視聴制限放送プログラムの画面、ゲームプログラムの実行画面、メッセンジャープログラムの実行画面、メール確認画面またはＳＮＳ（ＳｏｃｉＡｌ  Ｎｅｔｗｏｒｋ  Ｓｅｒｖｉｃｅ）画面である場合に前記コンテンツビューの転換動作を制限できる。
【００７１】
または、前記出力部は、コンテンツビューの転換を禁止するかどうかを設定するための設定メニューをディスプレイし、前記制御部は、前記設定メニューを介してコンテンツビューの転換許容が設定された状態でコンテンツビューの転換命令が入力されると、前記コンテンツビューの転換動作を行い、前記設定メニューを介してコンテンツビューの転換禁止が設定された状態で前記コンテンツビューの転換命令が入力されると、前記コンテンツビューの転換動作を制限できる。
【００７２】
一方、本発明の一実施形態によれば、ディスプレイ装置のコンテンツビューの転換方法は、互いに異なる複数のコンテンツを組み合わせて出力するステップと、前記複数のコンテンツの各々の出力タイミングに応じて前記複数のコンテンツ及び複数のメガネ装置を同期化させる同期化信号を生成するステップと、前記同期化信号を前記複数のメガネ装置に送信するステップと、前記複数のコンテンツ間で各メガネ装置に同期化されるコンテンツを互いに転換するコンテンツビューの転換動作を制限的に行うステップとを含む。
【００７３】
ここで、前記コンテンツビューの転換動作を制限的に行うステップは、コンテンツビューの転換禁止命令が入力されない状態で前記複数のメガネ装置のうち、少なくとも一つからコンテンツビューの転換命令が受信されると、前記コンテンツビューの転換動作を行い、前記コンテンツビューの転換禁止命令が入力された状態で前記コンテンツビューの転換命令が受信されると、前記コンテンツビューの転換動作を制限できる。
【００７４】
または、コンテンツビューの転換禁止命令を受け取るステップ及び解除命令を受け取るステップをさらに含み、前記コンテンツビューの転換動作は、前記コンテンツビューの転換禁止命令が入力された時点から前記解除命令が入力される時点まで制限されうる。
【００７５】
または、前記コンテンツビューの転換動作は、あらかじめ設定された種類のコンテンツに対しては制限され、残りの種類のコンテンツに対しては許されることができる。
【００７６】
この場合、前記コンテンツが視聴制限放送プログラムの画面、ゲームプログラムの実行画面、メッセンジャープログラムの実行画面、メール確認画面またはＳＮＳ（ＳｏｃｉＡｌ  Ｎｅｔｗｏｒｋ  Ｓｅｒｖｉｃｅ）画面である場合に前記コンテンツビューの転換動作が制限されることができる。
【００７７】
または、コンテンツビューの転換を禁止するかどうかを設定するための設定メニューをディスプレイするステップをさらに含むことができる。ここで、前記コンテンツビューの転換動作を制限的に行うステップは、前記設定メニューを介してコンテンツビューの転換許容が設定された状態でコンテンツビューの転換命令が入力されると、前記コンテンツビューの転換動作を行うステップ及び前記設定メニューを介してコンテンツビューの転換禁止が設定された状態で前記コンテンツビューの転換命令が入力されると、前記コンテンツビューの転換動作を制限するステップを含むことができる。
【００７８】
以上のような本発明の多様な実施形態によれば、ディスプレイ装置は、コンテンツビューの転換動作を制限的に行うことができるようになったため、ユーザの満足度を向上させることができる。
【００７９】
本発明のさらに他の目的は、シングルビューモード及びマルチビューモード間の転換が簡便なマルチビューディスプレイを行うディスプレイ装置及びその方法を提供することにある。
【００８０】
上記の目的を達成すべく、本発明の一実施形態にかかるディスプレイ装置は、コンテンツをディスプレイする出力部と、リモコンから方向性を有するユーザ信号を受け取る入力部と、撮像作業を行う撮像部と、前記撮像部で撮像されたイメージを利用して前記方向性に対応するメガネ装置を検知する検知部と、前記ユーザ信号が入力されると、前記コンテンツが前記検知されたメガネ装置で視聴できるようにマルチビューモードに転換する制御部とを備える。
【００８１】
前記制御部は、前記マルチビューモードに転換されると、前記コンテンツを含む複数のコンテンツを組み合わせてディスプレイするよう前記出力部を制御できる。
【００８２】
前記制御部は、前記複数のコンテンツのうち、前記コンテンツを除いた残りのコンテンツは、任意に選択できる。
【００８３】
前記ディスプレイ装置は、前記マルチビューモードに転換されると、前記複数のコンテンツのうち、前記コンテンツの出力タイミングに前記検知されたメガネ装置を同期化させ、前記複数のコンテンツのうち、他のコンテンツの出力タイミングに他のメガネ装置を同期化させるための同期化信号を出力する同期化信号送信部をさらに備えることができる。
【００８４】
前記検知部は、前記撮像部で撮像されたイメージに含まれた複数のメガネ装置に付着された発光素子の位置を認識して、前記複数のメガネ装置のうち、前記方向性に対応するメガネ装置を検知できる。
【００８５】
前記リモコンは、タッチパッド付きリモコンであり、前記ユーザ信号は、前記タッチパッド上において一方向へ移動するユーザタッチ操作信号でありうる。
【００８６】
一方、本発明の一実施形態にかかるディスプレイ装置のマルチビューディスプレイ方法は、コンテンツをディスプレイするステップと、リモコンから方向性を有するユーザ信号を受け取るステップと、撮像作業を行うステップと、撮像されたイメージを利用して前記方向性に対応するメガネ装置を検知するステップと、前記コンテンツが前記検知されたメガネ装置で視聴できるようにマルチビューモードに転換するステップとを含むことができる。
【００８７】
前記マルチビューモードに転換するステップは、前記コンテンツを受信する受信部以外に少なくとも一つの他の受信部を利用して新規コンテンツを受信するステップと、前記コンテンツ及び前記新規コンテンツを組み合わせてディスプレイするステップとを含むことができる。
【００８８】
前記マルチビューモードに転換するステップは、前記複数のコンテンツのうち、前記コンテンツの出力タイミングに前記検知されたメガネ装置を同期化させ、前記複数のコンテンツのうち、他のコンテンツの出力タイミングに他のメガネ装置を同期化させるための同期化信号を出力するステップをさらに含むことができる。
【００８９】
前記メガネ装置を検知するステップは、前記撮像されたイメージに含まれた複数のメガネ装置に付着された発光素子の位置を認識して、前記複数のメガネ装置のうち、前記方向性に対応するメガネ装置を検知できる。
【００９０】
前記リモコンは、タッチパッド付きリモコンであり、前記ユーザ信号は、前記タッチパッド上において一方向へ移動するユーザタッチ操作信号でありうる。
【００９１】
本発明のさらに他の目的は、メガネ装置の誤動作を防止するために、ディスプレイ装置の現在動作状態に対する情報をメガネ装置に送信するディスプレイ装置、それを利用したマルチビューディスプレイ方法、メガネ装置及びその制御方法を提供することにある。
【００９２】
上記の目的を達成すべく、本発明の一実施形態にかかるディスプレイ装置は、マルチビュー視聴命令を受け取るための入力部、前記マルチビュー視聴命令が入力されると、互いに異なる複数のコンテンツを受信する複数の受信部と、前記複数のコンテンツの各々の映像フレームを構成する複数の映像処理部と、前記複数の映像処理部で処理された前記複数のコンテンツの各々の映像フレームを交互に配置してディスプレイするディスプレイ部と、前記ディスプレイ装置と連動する少なくとも一つのメガネ装置に同期化信号を送信する通信インタフェース部と、前記マルチビュー視聴命令が入力されると、前記同期化信号にマルチビューモード情報を記録して送信するように、前記通信インタフェース部を制御する制御部とを備える。
【００９３】
ここで、前記制御部は、前記少なくとも一つのメガネ装置との間で定義された通信プロトコルに応じて前記同期化信号を生成し、前記同期化信号内のリザーブ領域に前記マルチビューモード情報を記録できる。
【００９４】
また、前記マルチビューモード情報は、前記マルチビューモードの開始事実を通知するための情報を含むことができる。
【００９５】
一方、本発明の一実施形態にかかるディスプレイ装置のマルチビューディスプレイ方法は、マルチビュー視聴命令を受け取るステップと、前記マルチビュー視聴命令が入力されると、互いに異なる複数のコンテンツを受信して、前記複数のコンテンツの各々の映像フレームを構成するステップと、前記複数のコンテンツの各々の映像フレームを交互に配置してディスプレイするステップと、マルチビューモード情報を含む同期化信号を生成するステップと、前記同期化信号を前記ディスプレイ装置と連動する少なくとも一つのメガネ装置に送信するステップとを含む。
【００９６】
ここで、前記マルチビューモード情報は、前記少なくとも一つのメガネ装置との間で定義された通信プロトコルに応じて生成される前記同期化信号のリザーブ領域に記録されることができる。
【００９７】
また、前記マルチビューモード情報は、前記マルチビューモードの開始事実を通知するための情報を含むことができる。
【００９８】
一方、本発明の一実施形態にかかるディスプレイ装置と連動するメガネ装置は、第１シャッターガラス部と、第２シャッターガラス部と、前記ディスプレイ装置に表示されるコンテンツのディスプレイタイミングに応じて前記第１及び第２シャッターガラス部をオープンさせるシャッターガラス駆動部と、前記ディスプレイ装置から同期化信号を受信する通信インタフェース部と、前記同期化信号にマルチビューモード情報が含まれていると、前記マルチビューモード情報に応じて前記第１及び第２シャッターガラス部のオープンタイミングを調整するように前記シャッターガラス駆動部を制御する制御部とを備える。
【００９９】
ここで、前記制御部は、前記ディスプレイ装置で３Ｄコンテンツがディスプレイされると、前記第１及び第２シャッターガラス部を交互にオープンさせ、前記マルチビューモード情報が含まれた前記同期化信号が受信されると、前記ディスプレイ装置においてディスプレイされる複数のコンテンツのうち、前記メガネ装置に対応するコンテンツのディスプレイタイミングに応じて、前記第１及び第２シャッターガラス部をオープンさせるように制御できる。
【０１００】
一方、本発明の一実施形態にかかるディスプレイ装置と連動し、ディスプレイ装置に表示されるコンテンツのディスプレイタイミングに応じて第１及び第２シャッターガラス部をオープンさせるメガネ装置の制御方法は、前記ディスプレイ装置から同期化信号を受信するステップと、前記同期化信号にマルチビューモード情報が含まれていると、前記マルチビューモード情報に応じて前記第１及び第２シャッターガラス部のオープンタイミングを調整するステップと含む。
【０１０１】
ここで、前記オープンタイミングを調整するステップは、前記ディスプレイ装置で３Ｄコンテンツがディスプレイされると、前記第１及び第２シャッターガラス部を交互にオープンさせ、前記マルチビューモード情報が含まれた前記同期化信号が受信されると、前記ディスプレイ装置においてディスプレイされる複数のコンテンツのうち、前記メガネ装置に対応するコンテンツのディスプレイタイミングに応じて、記第１及び第２シャッターガラス部をオープンさせることができる。
【０１０２】
以上のような本発明の多様な実施形態によれば、多数のユーザが一つのディスプレイ装置で互いに異なるコンテンツを各々視聴でき、ディスプレイ装置のマルチビューモードの実行有無に対する情報をメガネ装置に送信できるから、メガネ装置の誤動作を防止できる。
【０１０３】
本発明のさらに他の目的は、互いに異なるメガネ装置をディスプレイ装置においてディスプレイされるコンテンツに同期化させて、複数のユーザに互いに異なるコンテンツを提供する際、メガネ装置が正常に動作しているかどうかに対する情報を提供できるメガネ装置、ディスプレイ装置及びそれらを利用したコンテンツ提供方法を提供することにある。
【０１０４】
上記の目的を達成すべく、本発明の一実施形態にかかる複数のコンテンツの各々を交互にディスプレイするディスプレイ装置と連動するメガネ装置は、前記複数のコンテンツのうちの何れか一つのコンテンツに対応する同期化信号を受信するために、前記ディスプレイ装置に接続要請メッセージを送信する通信インタフェース部と、前記ディスプレイ装置からオーディオデータを受信するオーディオデータ受信部と、前記接続要請メッセージに対する応答メッセージが受信されると、あらかじめ設定された周波数帯域を選局して前記一つのコンテンツに対応するオーディオデータを受信するように前記オーディオデータ受信部を制御し、前記オーディオデータの受信有無を表す情報を送信するように前記通信インタフェース部を制御する制御部とを備える。
【０１０５】
ここで、前記制御部は、前記ディスプレイ装置との間で定義された通信プロトコルに応じて、前記ディスプレイ装置と前記通信インタフェース部とを接続するために送信される送信パケット内のリザーブ領域に前記オーディオデータの受信有無を表す情報を記録できる。
【０１０６】
また、前記通信インタフェース部は、ブルートゥース通信モジュールを備えることができる。
【０１０７】
一方、本実施形態にかかるメガネ装置は、第１シャッターガラス部、第２シャッターガラス部、及び前記第１及び第２シャッターガラス部をオープンさせるシャッターガラス駆動部をさらに備え、前記制御部は、前記ディスプレイ装置と前記通信インタフェース部との接続が完了して前記同期化信号が受信されると、前記同期化信号に基づいて、前記一つのコンテンツのディスプレイタイミングに応じて第１及び第２シャッターガラス部のオープンタイミングを制御するように前記シャッターガラス駆動部を制御できる。
【０１０８】
また、本実施形態にかかるメガネ装置は、前記一つのコンテンツに対応するオーディオデータを出力するオーディオ出力部をさらに備えることができる。
【０１０９】
一方、本発明の一実施形態にかかる複数のコンテンツの各々を交互にディスプレイするディスプレイ装置と連動するメガネ装置のコンテンツ提供方法は、前記複数のコンテンツのうちの何れか一つのコンテンツに対応する同期化信号を受信するために、前記ディスプレイ装置に接続要請メッセージを送信するステップと、前記接続要請メッセージに対する応答メッセージが受信されると、あらかじめ設定された周波数帯域を選局して前記一つのコンテンツに対応するオーディオデータを受信するステップと、前記オーディオデータの受信有無を表す情報を送信するステップとを含む。
【０１１０】
ここで、前記メガネ装置は、前記複数のコンテンツのうちの何れか一つのコンテンツに対応する同期化信号を受信するための通信インタフェース部を具備し、前記オーディオデータの受信有無を表す情報を送信するステップは、前記ディスプレイ装置との間で定義された通信プロトコルに応じて、前記ディスプレイ装置と前記通信インタフェース部とを接続するために送信される送信パケット内のリザーブ領域に前記オーディオデータの受信有無を表す情報を記録できる。
【０１１１】
また、前記通信インタフェース部は、ブルートゥース通信モジュールを備えることができる。
【０１１２】
そして、本実施形態にかかるコンテンツ提供方法は、前記ディスプレイ装置と前記通信インタフェース部との接続が完了して前記同期化信号が受信されると、前記同期化信号に基づいて前記一つのコンテンツのディスプレイタイミングに応じて第１及び第２シャッターガラスのオープンタイミングを制御するステップをさらに含むことができる。
【０１１３】
また、本実施形態にかかるコンテンツ提供方法は、前記一つのコンテンツに対応するオーディオデータを出力するステップをさらに含むことができる。
【０１１４】
一方、本発明の一実施形態にかかるメガネ装置と連動するディスプレイ装置は、複数のコンテンツの各々を交互にディスプレイするディスプレイ部と、前記メガネ装置と通信を行い、前記複数のコンテンツのうちの何れか一つのコンテンツに対応する同期化信号を送信する通信インタフェース部と、前記一つのコンテンツに対応するオーディオデータを前記メガネ装置に送信するオーディオデータ送信部と、前記メガネ装置から前記同期化信号の送信のための接続要請メッセージが受信されると、前記一つのコンテンツに対応するオーディオデータを前記メガネ装置に送信するように前記オーディオデータ送信部を制御する制御部とを備える。
【０１１５】
ここで、前記制御部は、前記接続要請メッセージが受信されると、それに対する応答メッセージを前記メガネ装置に送信して、前記メガネ装置との間で定義された通信プロトコルに応じて前記通信インタフェース部と前記メガネ装置との間の接続動作を行うことができる。
【０１１６】
また、前記制御部は、前記メガネ装置から前記オーディオデータの受信有無を表す情報が受信されると、前記受信された情報を前記ディスプレイ部の画面上にＵＩ（Ｕｓｅｒ  ＩｎｔｅｆＡｃｅ）形態で表示するように制御できる。
【０１１７】
そして、前記オーディオデータの受信有無を表す情報は、前記通信インタフェース部と前記メガネ装置との間の接続動作中に送信される送信パケット内のリザーブ領域内に記録されることができる。
【０１１８】
また、前記通信インタフェース部は、ブルートゥース通信モジュールを備えることができる。
【０１１９】
一方、本発明の一実施形態にかかるメガネ装置と連動するディスプレイ装置のコンテンツ提供方法は、複数のコンテンツの各々を交互にディスプレイするステップと、前記メガネ装置から前記複数のコンテンツのうちの何れか一つのコンテンツに対応する同期化信号の送信のための接続要請メッセージが受信するステップと、前記接続要請メッセージが受信されると、前記一つのコンテンツに対応するオーディオデータをあらかじめ設定された周波数帯域を介して前記メガネ装置に送信するステップとを含む。
【０１２０】
ここで、前記メガネ装置は、前記同期化信号を送信するための通信インタフェース部を備え、本実施形態にかかるコンテンツ提供方法は、前記接続要請メッセージが受信されると、それに対する応答メッセージを前記メガネ装置に送信して、前記メガネ装置との間で定義された通信プロトコルに応じて前記通信インタフェース部と前記メガネ装置との間の接続動作を行うステップをさらに含むことができる。
【０１２１】
また、本実施形態にかかるコンテンツ提供方法は、前記メガネ装置から前記オーディオデータの受信有無を表す情報が受信されると、前記受信された情報を画面上にＵＩ形態で表示するステップをさらに含むことができる。
【０１２２】
そして、前記オーディオデータの受信有無を表す情報は、前記通信インタフェース部と前記メガネ装置との間の接続動作中に送信される送信パケット内のリザーブ領域内に記録されることができる。
【０１２３】
一方、前記通信インタフェース部は、ブルートゥース通信モジュールを備えることができる。
【０１２４】
以上のような本発明の多様な実施形態によれば、メガネ装置の動作有無を手軽に確認することができる。
【０１２５】
本発明のさらに他の目的は、複数のユーザに互いに異なるコンテンツを同時に提供する途中、他のユーザに提供されるコンテンツを確認するためのメガネ装置及びそれを利用したコンテンツ転換方法ならびにディスプレイ装置及びそれを利用したコンテンツ提供方法を提供することにある。
【０１２６】
上記の目的を達成すべく、本発明の一実施形態にかかる複数のコンテンツを映像フレーム単位で交互にディスプレイするディスプレイ装置と連動するメガネ装置は、第１シャッターガラス部、第２シャッターガラス部、前記ディスプレイ装置と通信を行うインタフェース部、前記ディスプレイ装置から受信された同期化信号に基づいて、前記複数のコンテンツのうちの何れか一つのコンテンツのディスプレイタイミングに応じて、前記第１及び第２シャッターガラス部をオープンさせるシャッターガラス駆動部と、スイッチングモードを開始するためのスイッチング命令を受け取る入力部と、前記スイッチングモードが開始されると、前記複数のコンテンツの中で視聴可能な他のコンテンツに対応する同期化信号を受信して、前記第１及び第２シャッターガラス部のオープンタイミングを順次に変更するように制御する制御部とを備える。
【０１２７】
ここで、前記制御部は、前記スイッチングモードが開始されると、前記他のコンテンツに対応する同期化信号を要請するためのコンテンツ転換命令が前記ディスプレイ装置に送信されるように前記インタフェース部を制御できる。
【０１２８】
一方、前記制御部は、前記スイッチングモードが行われる途中に前記入力部を介して選択命令が入力されると、前記スイッチングモードを終了し、前記選択命令が入力されたタイミングに視聴可能なコンテンツのディスプレイタイミングに応じて、前記第１及び第２シャッターガラス部のオープンタイミングを固定するように、前記シャッターガラス駆動部を制御できる。
【０１２９】
そして、前記入力部は、前記スイッチング命令を受け取るためのスイッチングボタンを有し、前記制御部は、前記スイッチングボタンがタッチされている間に前記スイッチングモードを行い、前記スイッチングボタンのタッチ状態が終了すると、前記スイッチングモードを終了し、前記タッチ状態が終了した時点に視聴可能なコンテンツのディスプレイタイミングに応じて、前記第１及び第２シャッターガラス部のオープンタイミングを固定するように、前記シャッターガラス駆動部を制御できる。
【０１３０】
一方、複数のコンテンツを映像フレーム単位で交互にディスプレイするディスプレイ装置と連動するメガネ装置のコンテンツ選択方法は、前記ディスプレイ装置から受信された同期化信号に基づいて、前記複数のコンテンツのうちの何れか一つのコンテンツのディスプレイタイミングに応じて、第１及び第２シャッターガラス部をオープンさせるステップと、スイッチングモードが開始されると、前記複数のコンテンツの中で視聴可能な他のコンテンツに対応する同期化信号を受信して、前記第１及び第２シャッターガラス部のオープンタイミングを順次に変更するステップと、前記順次に転換されるコンテンツのうちの何れか一つが選択されて前記スイッチモードが終了すると、前記選択されたコンテンツが視聴できるように前記第１及び第２シャッターガラス部のオープンタイミングを維持する選択ステップとを含む。
【０１３１】
ここで、本実施形態にかかるコンテンツ転換方法は、前記スイッチングモードが開始されると、前記他のコンテンツに対応する同期化信号を要請するためのコンテンツ転換命令を前記ディスプレイ装置に送信するステップをさらに含む。
【０１３２】
一方、前記スイッチングモードは、前記メガネ装置に備えられたスイッチングボタンを介してスイッチング命令が入力されると、開始されることができる。
【０１３３】
そして、前記選択ステップは、前記スイッチングモードが行われる途中に選択命令を受け取るステップと、前記スイッチングモードを終了し、前記選択命令が入力されたタイミングに視聴可能なコンテンツのディスプレイタイミングに応じて前記第１及び第２シャッターガラス部のオープンタイミングを固定させるステップとを含むことができる。
【０１３４】
ここで、前記スイッチングモードは、前記スイッチングボタンがタッチされている間に行われ、前記スイッチングボタンのタッチ状態が解除されると、終了できる。
【０１３５】
一方、本発明の一実施形態にかかるディスプレイ装置は、互いに異なるコンテンツを各々受信する複数の受信部と、前記複数の受信部で受信されたコンテンツを各々処理して映像フレームを構成する複数の信号処理部と、前記複数の信号処理部で構成された各コンテンツの映像フレームを交互に配置してディスプレイする出力部と、各コンテンツのディスプレイタイミングに応じて、前記各コンテンツに対応するメガネ装置を同期化させる同期化信号を生成する同期化信号生成部と、前記メガネ装置と通信を行うインタフェース部と、前記メガネ装置からコンテンツ転換命令が受信されると、前記メガネ装置に対応するコンテンツが前記複数のコンテンツのうち、他のコンテンツに順次に転換する転換動作を行う制御部とを備える。
【０１３６】
ここで、前記制御部は、前記コンテンツ転換命令が受信されると、前記各コンテンツの映像フレームの配置パターンを変更するように前記出力部を制御し、前記メガネ装置に対応するコンテンツの映像フレームの位置に他のコンテンツの映像フレームが位置するように処理できる。
【０１３７】
一方、前記制御部は、前記コンテンツ転換命令が受信されると、前記複数のコンテンツのうち、他のコンテンツに対応する同期化信号を前記メガネ装置に送信するように前記インタフェース部を制御し、前記複数のコンテンツのうち、他のコンテンツに前記メガネ装置が同期化されるように処理できる。
【０１３８】
そして、前記制御部は、前記メガネ装置に対応するコンテンツが前記複数のコンテンツのうち、他のコンテンツに順次に転換される途中に、前記インタフェース部が前記メガネ装置から選択命令を受信すると、前記選択命令が受信された時点のコンテンツが前記メガネ装置を介して視聴できるように転換動作を終了できる。
【０１３９】
また、前記制御部は、前記コンテンツ転換命令が前記メガネ装置から受信される間に前記転換動作を行い、前記コンテンツ転換命令の受信が終了すると、前記転換動作を終了して、前記コンテンツ転換命令の受信が終了した時点のコンテンツが前記メガネ装置を介して視聴できるように制御できる。
【０１４０】
一方、本発明の一実施形態にかかるディスプレイ装置でのコンテンツ転換方法は、互いに異なる複数のコンテンツを映像フレーム単位で交互に配置してディスプレイするステップと、各コンテンツのディスプレイタイミングに応じて、前記各コンテンツに対応するメガネ装置を同期化させる同期化信号を送信するステップと、前記メガネ装置からコンテンツ転換命令を受信するステップと、前記コンテンツ転換命令が受信されると、前記メガネ装置に対応するコンテンツが前記複数のコンテンツのうち、他のコンテンツに順次に転換する転換動作を行うステップと、前記複数のコンテンツのうちの何れか一つが選択されると、前記転換動作を終了するステップとを含む。
【０１４１】
ここで、前記転換動作を行うステップは、前記コンテンツ転換命令が受信されると、前記コンテンツの配置パターンを変更して、前記メガネ装置に対応するコンテンツのフレーム位置に他のコンテンツのフレームが位置するように処理できる。
【０１４２】
一方、前記転換動作を行うステップは、前記コンテンツ転換命令が受信されると、前記複数のコンテンツのうち、他のコンテンツに対応する同期化信号を前記メガネ装置に送信して、前記複数のコンテンツのうち、他のコンテンツに前記メガネ装置が同期化されるように処理できる。
【０１４３】
また、前記転換動作を終了するステップは、前記メガネ装置に対応するコンテンツが前記複数のコンテンツのうち、他のコンテンツに順次に転換される途中に前記メガネ装置から選択命令が受信されると、前記選択命令が受信された時点のコンテンツが前記メガネ装置を介して視聴できるように前記転換動作を終了できる。
【０１４４】
そして、前記転換動作は、前記コンテンツ転換命令が前記メガネ装置から受信される間に行われることができる。
【０１４５】
上記の目的を達成すべく、本発明のさらに他の実施形態にかかるディスプレイ装置は、複数のコンテンツを受信し、各コンテンツの映像フレームを構成できる信号処理部と、前記ディスプレイ部を介して前記信号処理部から出力された一つのコンテンツの映像フレームのみを表示する第１モードまたは前記信号処理部から出力された前記複数のコンテンツの各々の映像フレームを組み合わせて表示する第２モードで動作できる出力部と、前記ディスプレイ装置のディスプレイ部の外郭に設置されて前記ディスプレイ装置の正面を撮像できる撮像部を有し外部ネットワークを介して画像通話要請が受信されると、画像通話を接続する画像通話処理部と、前記画像通話処理部の動作状態に応じて前記信号処理部を介して出力される前記複数のコンテンツの各々の映像フレームの組み合わせを決定するように前記出力部を制御する制御部とを備える。
【０１４６】
また、前記制御部は、前記撮像部で撮像されたデータを利用して前記ディスプレイ装置を視聴するユーザの変動状態を検知し、前記ユーザの変動状態に応じて前記第１モードまたは第２モードのうちの何れか一つで動作するように前記出力部を制御できる。
【０１４７】
また、前記制御部は、前記出力部が前記第１モードで動作する状態でユーザの追加が検知されると、前記第２モードに転換するように前記出力部を制御し、前記出力部が前記第２モードで動作する状態でユーザの離脱が検知されると、前記第１モードに転換するように前記出力部を制御できる。
【０１４８】
また、格納部をさらに備え、前記制御部は、前記出力部が前記第２モードで動作する状態で前記ユーザの離脱が検知されると、前記第１モードに転換するように前記出力部を制御し、前記第２モードにおいて出力される複数のコンテンツの中で離脱したユーザに対応するコンテンツの視聴環境情報を前記格納部に格納し、前記離脱したユーザが復帰すると、前記コンテンツの視聴環境情報を利用して前記離脱したユーザに対応するコンテンツを再構成し、前記再構成されたコンテンツを含む複数のコンテンツを出力するように前記出力部を制御できる。
【０１４９】
また、前記制御部は、パブリックモード（ｐｕＢｌｉｃ  ｍｏｄｅ）が設定されると、前記ユーザの変動状態に応じて前記第２モード及び前記第１モード間の転換を行い、プライベートモード（ｐｒｉｖＡｔｅ  ｍｏｄｅ）が設定されると、前記ユーザの変動状態が検知されても前記第２モード及び前記第１モード間の転換を禁止し、前記第２モードで固定的に動作するように前記出力部を制御できる。
【０１５０】
また、ユーザ別に個別的にコンテンツの視聴環境情報が格納される格納部をさらに備え、前記制御部は、新規ユーザの追加が検知されると、前記新規ユーザに対応するコンテンツの視聴環境情報を利用して新規コンテンツを構成し、前記新規コンテンツを含む複数のコンテンツを出力するように前記出力部を制御できる。
【０１５１】
また、前記撮像部は、遠隔制御装置から出力されるＩＲ信号を撮像し、前記制御部は、前記出力部が前記第２モードで動作する状態で前記遠隔制御装置からユーザ命令が受信されると、前記ＩＲ信号の撮像映像を介して前記遠隔制御装置から隣接したユーザを検出して、前記検出されたユーザに対応するコンテンツに前記ユーザ命令を適用できる。
【０１５２】
また、前記制御部は、前記出力部が前記第１モードで動作するとき、前記画像通話要請に応答して画像通話が接続されると、前記出力部を前記第１モードから前記第２モードに変更し、前記複数のコンテンツのうちの何れか一つのコンテンツの映像フレームを画像通話画面に代替するように制御できる。
【０１５３】
また、画像通話接続命令を受け取るインタフェース部をさらに備え、前記制御部は、前記インタフェース部を介して前記画像通話接続命令が入力されると、前記画像通話要請を送信したコレスポンデントノードとの画像通話を接続するように、前記画像通話処理部を制御できる。
【０１５４】
また、前記インタフェース部は、前記複数のコンテンツに対応する複数のメガネ装置のうちの何れか一つから前記画像通話接続命令を受信し、前記制御部は、前記複数のメガネ装置のうち、前記画像通話接続命令を送信したメガネ装置に対応するコンテンツの映像フレームを画像通話画面に代替するように前記出力部を制御できる。
【０１５５】
また、前記画像通話処理部は、撮像を行う撮像部と、前記画像通話が接続されると、前記画像通話要請を送信したコレスポンデントノードから画像通話データを受信する画像通話受信部と、前記画像通話データに含まれた画像データ及び前記撮像部で撮像した撮像データを利用して前記画像通話画面を構成する通話画面処理部とを備えることができる。
【０１５６】
また、前記インタフェース部は、前記撮像部で撮像されたデータを利用してユーザモーションを検知するモーション検知部であり、前記制御部は、前記モーション検知部であらかじめ設定されたユーザモーションが検知されると、前記画像通話要請を送信したコレスポンデントノードとの画像通話を接続するように前記画像通話処理部を制御し、前記ユーザモーションが検知された方向に撮像方向をシフトさせるように前記撮像部を制御できる。
【０１５７】
また、前記制御部は、前記画像通話要請が受信されると、画像通話の遂行有無を問い合わせるためのメッセージをディスプレイするよう前記出力部を制御できる。
【０１５８】
また、前記制御部は、前記出力部が前記第２モードで動作するとき、前記画像通話要請に応答して画像通話が接続されると、前記複数のコンテンツのうち、前記出力部が出力している一つのコンテンツの映像フレームを画像通話画面に代替するように制御できる。
【０１５９】
また、前記画像通話画面に代替されるコンテンツの映像フレームを格納する格納部をさらに備えることができる。
【０１６０】
また、前記制御部は、前記画像通話が終了すると、前記格納部に格納された映像フレームと画像通話画面に代替されないコンテンツの映像フレームとを組み合わせてディスプレイするよう出力部を制御できる。
【０１６１】
また、前記複数のコンテンツのうちの何れか一つのコンテンツに対応する同期化信号を送信するインタフェース部と、前記一つのコンテンツに対応するオーディオデータを外部装置に送信するオーディオデータ送信部とをさらに備え、前記制御部は、前記外部装置から前記同期化信号の送信のための接続要請メッセージが受信されると、前記一つのコンテンツに対応するオーディオデータを前記外部装置に送信するように前記オーディオデータ送信部を制御できる。
【０１６２】
また、前記制御部は、前記接続要請メッセージが受信されると、それに対する応答メッセージを前記外部装置に送信して、前記外部装置との間で定義された通信プロトコルに応じて前記インタフェース部と前記外部装置との間の接続動作を行うことができる。
【０１６３】
前記制御部は、前記外部装置から前記オーディオデータの受信有無を表す情報が受信されると、前記受信された情報を前記出力部の画面上にＵＩ形態で表示するように制御できる。
【０１６４】
また、前記オーディオデータの受信有無を表す情報は、前記インタフェース部と前記外部装置との間の接続動作中に送信される送信パケット内のリザーブ領域内に記録されることができる。
【０１６５】
また、前記インタフェース部は、ブルートゥース通信モジュールを備えることができる。
【０１６６】
上記の目的を達成すべく、本発明のさらに他の一実施形態にかかる映像処理システムは、ディスプレイ部に表示される映像を処理するためのディスプレイ装置と、前記ディスプレイ装置と通信をする少なくとも一つのアクティブメガネ装置からなる映像処理システムにおいて、ユーザ信号を受け取るための入力部と、複数のコンテンツを各々処理して映像フレームを構成できる信号処理部と、前記ディスプレイ部を介して前記信号処理部から出力された前記複数のコンテンツのうちの何れか一つの映像フレームのみを表示する第１モードまたは前記信号処理部から出力された前記複数のコンテンツの各々の映像フレームを組み合わせて表示する第２モードで動作できる出力部と、前記複数のコンテンツの各々の出力タイミングに応じて、前記複数のコンテンツの各々に対応する複数のメガネ装置を同期化させる同期化信号を生成する同期化信号生成部と、前記同期化信号を前記複数のメガネ装置に送信するためのインタフェース部と、外部ネットワークを介して画像通話要請が受信されると、画像通話を接続する画像通話処理部と、前記画像通話処理部の動作状態に応じて前記信号処理部を介して出力される前記複数のコンテンツの各々の映像フレームの組み合わせを決定するように前記出力部を制御し、前記出力部が第２モードで動作する場合、前記インタフェース部を介して前記第２モードの開始を通報するための情報が送信されるように制御する制御部と、を備える。
【０１６７】
また、前記制御部は、前記複数のメガネ装置との間で定義された通信プロトコルに応じて前記同期化信号を生成し、前記同期化信号内のリザーブ領域に前記第２モードの開始を通報するための情報を記録できる。
【０１６８】
また、前記制御部は、前記入力部を介して入力されるユーザ信号に応じて、前記複数のメガネ装置のうち、少なくとも一つに同期化されたコンテンツの映像フレームが転換されるように前記同期化信号生成部を制御できる。
【０１６９】
また、前記制御部は、前記入力部を介してコンテンツの転換を禁止するユーザ信号が入力された後、コンテンツ転換を命令するユーザ信号が入力された場合に、前記コンテンツ転換動作を制限できる。
【０１７０】
また、前記制御部は、前記入力部を介してコンテンツの転換を禁止するユーザ信号が入力された時点から転換解除命令が入力されるまで、前記コンテンツ転換動作を制限できる。
【０１７１】
また、前記制御部は、あらかじめ設定された種類のコンテンツに対しては、前記コンテンツ転換動作を制限し、残りのコンテンツに対しては、前記コンテンツ転換動作を許すことができる。
【０１７２】
また、前記制御部は、前記コンテンツが視聴制限放送プログラムの画面、ゲームプログラムの実行画面、メッセンジャープログラムの実行画面、メール確認画面またはＳＮＳ（ＳｏｃｉＡｌ  Ｎｅｔｗｏｒｋ  Ｓｅｒｖｉｃｅ）画面である場合に、前記コンテンツ転換動作を制限できる。
【０１７３】
また、前記出力部は、コンテンツの転換を禁止するかどうかを設定するための設定メニューをディスプレイし、前記設定メニューを介してコンテンツ転換許容が設定された状態でコンテンツ転換命令が入力されると、前記コンテンツ転換動作を行い、前記設定メニューを介してコンテンツ転換禁止が設定された状態で前記コンテンツ転換命令が入力されると、前記コンテンツ転換動作を制限できる。
【０１７４】
また、前記ディスプレイ部の外郭に設置されて前記ディスプレイ装置の正面を撮像できる撮像部と、前記撮像部で撮像されたイメージを利用して前記複数のメガネ装置のうち、少なくとも一つを検知する検知部とをさらに備え、前記制御部は、前記ユーザ信号が入力されると、同期化信号を生成して前記検知された少なくとも一つのメガネ装置に送信するように制御できる。
【０１７５】
また、前記制御部は、前記ユーザ信号の入力により前記出力部が前記第２モードに転換されると、前記信号処理部を介して出力される複数のコンテンツの映像フレームを組み合わせてディスプレイするよう制御できる。
【０１７６】
また、前記制御部は、前記複数のコンテンツのうち、前記生成された同期化信号に対応するコンテンツを除いた残りのコンテンツを任意に選択できる。
【０１７７】
また、前記制御部は、前記第２モードに転換されると、前記検知された少なくとも一つのメガネ装置の他に他のメガネ装置を同期化させるための同期化信号をさらに生成して出力するように制御できる。
【０１７８】
また、前記検知部は、前記撮像部で撮像されたイメージに含まれた複数のメガネ装置に付着された発光素子の位置を認識して、前記複数のメガネ装置のうち、前記ユーザ信号の入力方向に位置するメガネ装置を検知できる。
【０１７９】
また、リモコンをさらに備え、前記ユーザ信号は、前記リモコン操作を介して前記入力部に入力されることができる。
【０１８０】
また、前記リモコンは、タッチパッド付きリモコンで、前記ユーザ信号は、前記タッチパッド上において一方向へ移動するユーザタッチ操作信号でありうる。
【０１８１】
また、前記メガネ装置は、前記複数のコンテンツのうちの何れか一つのコンテンツに対応する同期化信号を受信するために、前記ディスプレイ装置に接続要請メッセージを送信する通信インタフェース部と、前記ディスプレイ装置からオーディオデータを受信するオーディオデータ受信部と、前記接続要請メッセージに対する応答メッセージが受信されると、あらかじめ設定された周波数帯域を選局して、前記一つのコンテンツに対応するオーディオデータを受信するように前記オーディオデータ受信部を制御し、前記オーディオデータの受信有無を表す情報を前記通信インタフェース部を介して前記ディスプレイ装置に送信するように制御する制御部と、を備えることができる。
【０１８２】
また、前記メガネ装置の制御部は、前記ディスプレイ装置との間で定義された通信プロトコルに応じて、前記ディスプレイ装置と前記通信インタフェース部とを接続するために送信される送信パケット内のリザーブ領域に前記オーディオデータの受信有無を表す情報を記録できる。
【０１８３】
また、前記通信インタフェース部は、ブルートゥース通信モジュールを備えることができる。
【０１８４】
また、前記メガネ装置は、第１シャッターガラス部と、第２シャッターガラス部と、前記第１及び第２シャッターガラス部をオープンさせるシャッターガラス駆動部とをさらに備え、前記メガネ装置の制御部は、前記ディスプレイ装置と前記通信インタフェース部との接続が完了して前記同期化信号が受信されると、前記同期化信号に基づいて、前記一つのコンテンツのディスプレイタイミングに応じて第１及び第２シャッターガラス部のオープンタイミングを制御するように前記シャッターガラス駆動部を制御できる。
【０１８５】
また、前記メガネ装置は、前記一つのコンテンツに対応するオーディオデータを出力するオーディオ出力部をさらに備えることができる。
【０１８６】
また、前記メガネ装置は、スイッチングモードを開始するためのスイッチング命令を受け取る入力部をさらに備え、前記メガネ装置の制御部は、前記スイッチングモードが開始されると、前記複数のコンテンツの中で視聴可能な他のコンテンツに対応する同期化信号を受信して、前記第１及び第２シャッターガラス部のオープンタイミングを順次に変更するように制御できる。
【０１８７】
また、前記メガネ装置の制御部は、前記スイッチングモードが開始されると、前記他のコンテンツに対応する同期化信号を要請するためのコンテンツ転換命令が前記ディスプレイ装置に送信されるように前記通信インタフェース部を制御できる。
【０１８８】
また、前記メガネ装置の制御部は、前記スイッチングモードが行われる途中に前記入力部を介して選択命令が入力されると、前記スイッチングモードを終了し、前記選択命令が入力されたタイミングに視聴可能なコンテンツのディスプレイタイミングに応じて、前記第１及び第２シャッターガラス部のオープンタイミングを固定するように前記シャッターガラス駆動部を制御できる。
【０１８９】
また、前記入力部は、前記スイッチング命令を受け取るためのスイッチングボタンを有し、前記メガネ装置の制御部は、前記スイッチングボタンがタッチされている間に前記スイッチングモードを行い、前記スイッチングボタンのタッチ状態が終了すると、前記スイッチングモードを終了し、前記タッチ状態が終了した時点に視聴可能なコンテンツのディスプレイタイミングに応じて前記第１及び第２シャッターガラス部のオープンタイミングを固定するように、前記シャッターガラス駆動部を制御できる。
【０１９０】
また、前記ディスプレイ装置の制御部は、前記複数のメガネ装置のうち、少なくとも一つからコンテンツ転換命令が受信されると、前記少なくとも一つのメガネ装置に対応するコンテンツが前記複数のコンテンツのうち、他のコンテンツに順次に転換する転換動作を行うように制御できる。
【０１９１】
また、前記ディスプレイ装置の制御部は、前記コンテンツ転換命令が受信されると、前記各コンテンツの映像フレームの配置パターンを変更するように前記出力部を制御して、前記少なくとも一つのメガネ装置に対応するコンテンツの映像フレームの位置に他のコンテンツの映像フレームが位置するように処理できる。
【０１９２】
また、前記ディスプレイ装置の制御部は、前記コンテンツ転換命令が受信されると、前記複数のコンテンツのうち、他のコンテンツに対応する同期化信号を前記少なくとも一つのメガネ装置に送信するように前記インタフェース部を制御して、前記複数のコンテンツのうち、他のコンテンツに前記少なくとも一つのメガネ装置が同期化されるように処理できる。
【０１９３】
また、前記ディスプレイ装置の制御部は、前記少なくとも一つのメガネ装置に対応するコンテンツが前記複数のコンテンツのうち、他のコンテンツに順次に転換される途中に、前記インタフェース部が前記少なくとも一つのメガネ装置から選択命令を受信すると、前記選択命令が受信された時点のコンテンツが前記少なくとも一つのメガネ装置を介して視聴できるように転換動作を終了できる。
【０１９４】
また、前記ディスプレイ装置の制御部は、前記コンテンツ転換命令が前記少なくとも一つのメガネ装置から受信される間に前記転換動作を行い、前記コンテンツ転換命令の受信が終了すると、前記転換動作を終了して、前記コンテンツ転換命令の受信が終了した時点のコンテンツが前記少なくとも一つのメガネ装置を介して視聴できるように制御できる。
【０１９５】
上記の目的を達成すべく、本発明のさらに他の実施形態にかかるディスプレイ方法は、第１モードでは、一つのコンテンツの映像フレームのみを出力し、第２モードでは、複数のコンテンツの各々の映像フレームを組み合わせて出力するディスプレイ装置のディスプレイ方法において、前記第１モードまたは前記第２モードで映像を出力するステップと、画像通話要請が受信されると、画像通話を接続するステップと、前記画像通話が接続されると、前記複数のコンテンツのうち、少なくとも一つのコンテンツの映像フレームと前記画像通話の映像フレームとを組み合わせて出力するステップとを含む。
【０１９６】
また、ディスプレイ装置の正面を撮像するステップと、前記撮像されたデータを利用して前記ディスプレイ装置を視聴するユーザの変動状態を検知し、前記ユーザの変動状態に応じて前記第１モードまたは第２モードのうちの何れか一つで動作するステップをさらに含むことができる。
【０１９７】
また、前記第１モードまたは第２モードで動作するステップは、前記第１モードで動作する状態でユーザの追加が検知されると、前記第２モードに転換し、前記第２モードで動作する状態でユーザの離脱が検知されると、前記第１モードに転換できる。
【０１９８】
また、前記第１モードまたは第２モードで動作するステップは、前記第２モードで動作する状態で前記ユーザの離脱が検知されると、前記第１モードに転換し、前記第２モードにおいて出力される複数のコンテンツの中で離脱したユーザに対応するコンテンツの視聴環境情報を格納し、前記離脱したユーザが復帰すると、前記コンテンツの視聴環境情報を利用して前記離脱したユーザに対応するコンテンツを再構成し、前記再構成されたコンテンツを含む複数のコンテンツを出力できる。
【０１９９】
また、前記第１モードまたは第２モードで動作するステップは、パブリックモードが設定されると、前記ユーザの変動状態に応じて前記第２モード及び前記第１モード間の転換を行い、プライベートモードが設定されると、前記ユーザの変動状態が検知されても前記第２モード及び前記第１モード間の転換を禁止し、前記第２モードで固定的に動作できる。
【０２００】
また、新規ユーザの追加が検知されると、前記新規ユーザに対応するコンテンツの視聴環境情報を利用して新規コンテンツを構成し、前記新規コンテンツを含む複数のコンテンツを出力するステップをさらに含むことができる。
【０２０１】
また、前記撮像ステップは、遠隔制御装置から出力されるＩＲ信号を撮像し、前記第１モードまたは第２モードで動作するステップは、前記出力部が前記第２モードで動作する状態で前記遠隔制御装置からユーザ命令が受信されると、前記ＩＲ信号の撮像映像を介して前記遠隔制御装置から隣接したユーザを検出して、前記検出されたユーザに対応するコンテンツに前記ユーザ命令を適用できる。
【０２０２】
また、前記映像フレームを組み合わせて出力するステップは、前記第１モードで動作するとき、前記画像通話要請に応答して画像通話が接続されると、前記第１モードを前記第２モードに変更し、前記複数のコンテンツのうちの何れか一つのコンテンツの映像フレームを画像通話画面に代替することができる。
【０２０３】
また、前記画像通話を接続するステップは、前記画像通話接続命令が入力されると、前記画像通話要請を送信したコレスポンデントノードとの画像通話を接続できる。
【０２０４】
また、前記画像通話を接続するステップは、前記画像通話要請が受信されると、前記複数のコンテンツに対応する複数のメガネ装置のうちの何れか一つから画像通話接続命令を受信して、前記画像通話を接続し、前記映像フレームを組み合わせて出力するステップは、前記複数のメガネ装置のうち、前記画像通話接続命令を送信したメガネ装置に対応するコンテンツの映像フレームを画像通話画面に代替することができる。
【０２０５】
また、前記画像通話を接続するステップは、前記画像通話が接続されると、前記画像通話要請を送信したコレスポンデントノードから画像通話データを受信するステップと、ディスプレイ部の正面を撮像するステップと、前記画像通話データに含まれた画像データ及び前記撮像データを利用して前記画像通話画面を構成するステップとを含むことができる。
【０２０６】
また、前記画像通話を接続するステップは、ディスプレイ部の正面を撮像するステップと、前記撮像されたデータを利用してユーザモーションを検知するステップと、あらかじめ設定されたユーザモーションが検知されると、前記画像通話要請を送信したコレスポンデントノードとの画像通話を接続し、前記ユーザモーションが検知された方向に撮像方向をシフトさせるステップとを含むことができる。
【０２０７】
また、前記画像通話を接続するステップは、前記画像通話要請が受信されると、画像通話の遂行有無を問い合わせるためのメッセージをディスプレイするステップをさらに含むことができる。
【０２０８】
また、前記映像フレームを組み合わせて出力するステップは、前記第２モードで前記画像通話が接続されると、前記複数のコンテンツのうち、出力している一つのコンテンツの映像フレームを画像通話画面に代替することができる。
【０２０９】
また、前記第２モードで前記画像通話が接続されると、前記画像通話画面に代替されるコンテンツの映像フレームを格納するステップとをさらに含むことができる。
【０２１０】
また、前記画像通話が終了すると、前記格納された映像フレームと画像通話画面に代替されないコンテンツの映像フレームとを組み合わせてディスプレイするステップをさらに含むことができる。
【０２１１】
また、前記第１モードまたは第２モードで映像を出力するステップは、外部装置から前記複数のコンテンツのうちの何れか一つのコンテンツに対応する同期化信号の送信のための接続要請メッセージを受信するステップと、前記接続要請メッセージが受信されると、前記一つのコンテンツに対応するオーディオデータをあらかじめ設定された周波数帯域を介して前記外部装置に送信するステップとをさらに含むことができる。
【０２１２】
また、前記送信ステップは、前記接続要請メッセージが受信されると、それに対する応答メッセージを前記外部装置に送信して、前記外部装置との間で定義された通信プロトコルに応じて、前記メガネ装置間の接続動作を行うことを含むことができる。
【０２１３】
また、前記外部装置から前記オーディオデータの受信有無を表す情報が受信されると、前記受信された情報を画面上にＵＩ形態で表示するステップをさらに含むことができる。
【０２１４】
また、前記オーディオデータの受信有無を表す情報は、前記ディスプレイ装置と前記外部装置との間の接続動作中に送信される送信パケット内のリザーブ領域内に記録されることができる。
【０２１５】
また、上記の目的を達成するための本発明のさらに他の実施形態にかかる映像処理方法は、ユーザ信号を受け取るステップと、複数のコンテンツを各々処理して映像フレームを構成するステップと、前記処理された複数のコンテンツのうちの何れか一つのコンテンツの映像フレームのみを表示する第１モードまたは前記複数のコンテンツの各々の映像フレームを組み合わせて表示する第２モードで映像を出力するステップと、前記複数のコンテンツの各々の出力タイミングに応じて、前記複数のコンテンツの各々に対応する複数のメガネ装置を同期化させる同期化信号を生成するステップと、前記第２モードで動作する場合、前記第２モードの開始を通報するための情報を生成するステップと、前記生成された同期化信号を前記複数のメガネ装置に送信するステップと、外部ネットワークを介して画像通話要請が受信されると、画像通話を接続するステップと、前記画像通話が接続されると、前記複数のコンテンツのうち、少なくとも一つのコンテンツの映像フレームと前記画像通話の映像フレームとを組み合わせて出力するステップとを含む。
【０２１６】
また、前記同期化信号を生成するステップは、前記複数のメガネ装置との間で定義された通信プロトコルに応じて前記同期化信号を生成し、前記同期化信号内のリザーブ領域に前記第２モードの開始を通報するための情報を記録できる。
【０２１７】
また、前記入力されたユーザ信号に応じて前記複数のメガネ装置のうち、少なくとも一つに同期化されたコンテンツの映像フレームを転換するステップをさらに含むことができる。
【０２１８】
また、前記映像フレームを転換するステップは、コンテンツの転換を禁止するユーザ信号が入力された後、コンテンツ転換を命令するユーザ信号が入力された場合、前記コンテンツ転換動作を制限できる。
【０２１９】
また、前記映像フレームを転換するステップは、前記コンテンツの転換を禁止するユーザ信号が入力された時点からコンテンツ転換を解除するユーザ信号が入力されるまで、前記コンテンツ転換動作を制限できる。
【０２２０】
また、前記映像フレームを転換するステップは、あらかじめ設定された種類のコンテンツに対しては、前記コンテンツ転換動作を制限し、残りのコンテンツに対しては、前記コンテンツ転換動作を許すことができる。
【０２２１】
また、前記映像フレームを転換するステップは、前記同期化されたコンテンツが視聴制限放送プログラムの画面、ゲームプログラムの実行画面、メッセンジャープログラムの実行画面、メール確認画面またはＳＮＳ画面である場合に前記コンテンツ転換動作を制限できる。
【０２２２】
また、コンテンツの転換を禁止するかどうかを設定するための設定メニューをディスプレイするステップをさらに含み、前記映像フレームを転換するステップは、前記設定メニューを介してコンテンツ転換許容が設定された状態でコンテンツ転換命令を含むユーザ信号が入力されると、前記コンテンツ転換動作を行い、前記設定メニューを介してコンテンツ転換禁止が設定された状態でコンテンツ転換命令を含むユーザ信号が入力されると、前記コンテンツ転換動作を制限できる。
【０２２３】
また、前記ディスプレイ装置の正面を撮像するステップと、前記撮像されたイメージを利用して前記複数のメガネ装置のうち、少なくとも一つを検知するステップとをさらに含み、前記同期化信号を生成するステップは、前記少なくとも一つのメガネ装置が検知されると、前記検知されたメガネ装置に対する同期化信号を生成することを特徴とし、前記生成された同期化信号を送信するステップは、前記検知されたメガネ装置に対する同期化信号を前記検知されたメガネ装置に送信できる。
【０２２４】
また、前記複数のコンテンツのうち、前記生成された同期化信号に対応するコンテンツを除いた残りのコンテンツは、任意に選択できる。
【０２２５】
また、前記検知ステップは、前記撮像されたイメージに含まれた前記複数のメガネ装置に付着された発光素子の位置を認識して、前記複数のメガネ装置のうち、前記ユーザ信号の入力方向に位置するメガネ装置を検知できる。
【０２２６】
また、前記ユーザ信号は、タッチパッドリモコン上において一方向へ移動するユーザタッチ操作信号でありうる。
【０２２７】
また、前記複数のメガネ装置のうち、一つのメガネ装置が前記複数のコンテンツのうちの何れか一つのコンテンツに対応する同期化信号を受信するために、前記ディスプレイ装置に接続要請メッセージを送信するステップと、前記一つのメガネ装置が前記ディスプレイ装置からオーディオデータを受信するステップと、前記一つのメガネ装置が前記接続要請メッセージに対する応答メッセージを受信すると、あらかじめ設定された周波数帯域を選局して前記一つのコンテンツに対応するオーディオデータを受信し、前記オーディオデータの受信有無を表す情報を前記ディスプレイ装置に送信するステップとをさらに含むことができる。
【０２２８】
また、前記オーディオデータの受信有無を表す情報を送信するステップは、前記ディスプレイ装置との間で定義された通信プロトコルに応じて、前記ディスプレイ装置と接続するために送信される送信パケット内のリザーブ領域に前記オーディオデータの受信有無を表す情報を記録できる。
【０２２９】
また、前記ディスプレイ装置と接続が完了して前記同期化信号が受信されると、前記同期化信号に基づいて、前記一つのコンテンツのディスプレイタイミングに応じて第１及び第２シャッターガラス部のオープンタイミングを制御するステップをさらに含むことができる。
【０２３０】
また、前記一つのメガネ装置が前記一つのコンテンツに対応するオーディオデータを出力するステップをさらに含むことができる。
【０２３１】
また、前記一つのメガネ装置がスイッチングモードを開始するためのスイッチング命令を受け取るステップと、前記スイッチングモードが開始されると、前記複数のコンテンツの中で視聴可能な他のコンテンツに対応する同期化信号を受信して、第１及び第２シャッターガラス部のオープンタイミングを順次に変更するようにするステップとをさらに含むことができる。
【０２３２】
また、前記スイッチングモードが開始されると、前記他のコンテンツに対応する同期化信号を要請するためのコンテンツ転換命令を前記ディスプレイ装置に送信するステップとをさらに含むことができる。
【０２３３】
また、前記スイッチングモードが行われる途中に選択命令が入力されると、前記スイッチングモードを終了し、前記選択命令が入力されたタイミングに視聴可能なコンテンツのディスプレイタイミングに応じて、前記第１及び第２シャッターガラス部のオープンタイミングを固定するステップをさらに含むことができる。
【０２３４】
また、前記複数のメガネ装置のうち、少なくとも一つからコンテンツ転換命令が受信されると、前記少なくとも一つのメガネ装置に対応するコンテンツが前記複数のコンテンツのうち、他のコンテンツに順次に転換する転換動作を行うステップをさらに含むことができる。
【０２３５】
また、前記転換動作遂行ステップは、前記コンテンツ転換命令が受信されると、前記複数のコンテンツの各々の映像フレームの配置パターンを変更して、前記少なくとも一つのメガネ装置に対応するコンテンツの映像フレームの位置に他のコンテンツの映像フレームが位置するように処理できる。
【０２３６】
また、前記コンテンツ転換命令が受信されると、前記複数のコンテンツのうち、他のコンテンツに対応する同期化信号を前記少なくとも一つのメガネ装置に送信し、前記複数のコンテンツのうち、他のコンテンツに前記少なくとも一つのメガネ装置が同期化されるように処理するステップをさらに含むことができる。
【０２３７】
また、前記少なくとも一つのメガネ装置に対応するコンテンツが前記複数のコンテンツのうち、他のコンテンツに順次に転換される途中に、前記少なくとも一つのメガネ装置から選択命令を受信すると、前記選択命令が受信された時点のコンテンツが前記少なくとも一つのメガネ装置を介して視聴できるように、転換動作を終了するステップをさらに含むことができる。
【０２３８】
また、前記転換動作遂行ステップは、前記コンテンツ転換命令が前記少なくとも一つのメガネ装置から受信される間に前記転換動作を行い、前記コンテンツ転換命令の受信が終了すると、前記転換動作を終了して、前記コンテンツ転換命令の受信が終了した時点のコンテンツが前記メガネ装置を介して視聴できるようにすることができる。
【発明の効果】
【０２３９】
本発明の多様な実施形態によれば、多数のユーザが一つのディスプレイ装置で互いに異なるコンテンツを各々視聴でき、他のユーザが視聴するコンテンツを手軽に確認するようになる。
【図面の簡単な説明】
【０２４０】
【図１】本発明の一実施形態にかかるコンテンツ提供システムの構成を示す模式図である。
【図２】本発明の一実施形態にかかるコンテンツ提供システムの構成を示す模式図である。
【図３】本発明の多様な実施形態にかかる同期化信号の送信方法を説明するための図である。
【図４】本発明の多様な実施形態にかかる同期化信号の送信方法を説明するための図である。
【図５】本発明の多様な実施形態にかかるディスプレイ装置の構成を説明するためのブロック図である。
【図６】信号処理部の構成を示したブロック図である。
【図７】本発明の多様な実施形態にかかるメガネ装置の構成を示したブロック図である。
【図８】本発明の多様な実施形態にかかるディスプレイ装置の構成を示したブロック図である。
【図９】本発明の一実施形態にかかるメガネ装置の構成を示したブロック図である。
【図１０】図９に示す本発明の一実施形態にかかるメガネ装置の外部構成を説明するための図である。
【図１１】本発明の一実施形態にかかるプライベートモード及びパブリックモードの具現方法を説明するための図である。
【図１２】本発明の一実施形態にかかるプライベートモード及びパブリックモードの具現方法を説明するための図である。
【図１３】図１１に示すモード設定と関連したユーザインタフェース画面の一例を示す図である。
【図１４】図１２に示すモード設定と関連したユーザインタフェース画面の一例を示す図である。
【図１５】本発明のさらに他の実施形態にかかる撮像映像の利用方法を説明するための図である。
【図１６】本発明のさらに他の実施形態にかかる撮像映像の利用方法を説明するための図である。
【図１７】本発明のさらに他の実施形態にかかるマルチビュー転換方法を説明するための図である。
【図１８】本発明の一実施形態にかかるディスプレイ方法を説明するためのフローチャートである。
【図１９】ディスプレイ装置を介してコンテンツを提供し、かつ画像通話機能を共に提供するシステムを示した概念図である。
【図２０】本発明の多様な実施形態にかかるディスプレイ装置の構成を示したブロック図である。
【図２１】図２０のディスプレイ装置を利用した画像通話方法を示したフローチャートである。
【図２２】本発明の多様な実施形態によってインタフェース部及び画像通話処理部をさらに具備しているディスプレイ装置のブロック図である。
【図２３】図２２のディスプレイ装置を利用して画像通話を行う過程を示すフローチャートである。
【図２４】コンテンツの映像フレームが画像通話画面に対する映像フレームに代替されることを示した概念図である。
【図２５】画像通話の遂行有無を問い合わせるメッセージをディスプレイするステップを含む画像通話を行う過程を示すフローチャートである。
【図２６】本発明の多様な実施形態にかかるメガネ装置の構成を説明するためのブロック図である。
【図２７】水平方向と垂直方向に偏光されたコンテンツに関する映像フレームが交互にディスプレイされる場合にそれぞれに合う偏光レンズを有したメガネ装置で映像を視聴する概念図である。
【図２８】本発明の多様な実施形態にかかるディスプレイ装置１００の構成を示したブロック図である。
【図２９】図２８のディスプレイ装置１００を利用した画像通話方法を示したフローチャートである。
【図３０】本発明の多様な実施形態によってインタフェース部１５０及び画像通話処理部１９０をさらに具備しているディスプレイ装置１００のブロック図である。
【図３１】図３０のディスプレイ装置１００を利用して画像通話を行う過程を示すフローチャートである。
【図３２】コンテンツの映像フレームが画像通話画面に対する映像フレームに代替されることを示した概念図である。
【図３３】画像通話が行われ終了した場合に視聴していたコンテンツのディスプレイが終了してもうこれ以上視聴できなくなった状況を示す参考図である。
【図３４】格納部１８０に画像通話画面に代替されたコンテンツの映像フレームを格納することを示した概念図である。
【図３５】画像通話の遂行有無を問い合わせるメッセージをディスプレイするステップを含む画像通話を行う過程を示すフローチャートである。
【図３６】本発明の多様な実施形態にかかるメガネ装置２００の構成を説明するためのブロック図である。
【図３７】コンテンツビューの転換過程を説明するための図である。
【図３８】コンテンツビューの転換動作が制限される状態を示した参考図である。
【図３９】本発明の他の実施形態にかかるディスプレイ装置の構成を示すブロック図である。
【図４０】本発明の他の実施形態にかかるディスプレイ装置のコンテンツビューの転換方法を説明するためのフローチャートである。
【図４１】本発明の一実施形態にかかるディスプレイ装置のシングルビューモードが概略的に示す図である。
【図４２】本発明の一実施形態にかかるディスプレイ装置のマルチビューモードが概略的に示す図である。
【図４３】本発明の一実施形態にかかるディスプレイ装置の構成を説明するためのブロック図である。
【図４４】本発明の一実施形態にかかるマルチビュー転換方法を説明するためのフローチャートである。
【図４５】本発明の多様な実施形態にかかるディスプレイ装置の構成を示したブロック図である。
【図４６】本発明の一実施形態にかかるブルートゥース通信方式に従って生成された送信パケットの構造を示す図である。
【図４７】本発明の一実施形態にかかるメガネ装置の構成を説明するためのブロック図である。
【図４８】本発明の一実施形態にかかるディスプレイ装置のマルチビューディスプレイ方法を説明するためのフローチャートである。
【図４９】本発明の一実施形態にかかるメガネ装置の制御方法を説明するためのフローチャートである。
【図５０】本発明の一実施形態にかかるディスプレイ装置の細部構成を説明するためのブロック図である。
【図５１】本発明の一実施形態にかかるメガネ装置の構成を説明するためのブロック図である。
【図５２】本発明の一実施形態によってメガネ装置からディスプレイ装置に送信する送信パケットの構造を説明するための図である。
【図５３】本発明の一実施形態にかかるメガネ装置の細部構成を示すブロック図である。
【図５４】本発明の一実施形態によってディスプレイ装置の画面上に表示されるＵＩを説明するための図である。
【図５５】本発明の一実施形態にかかるメガネ装置の通信方法を説明するためのフローチャートである。
【図５６】本発明の一実施形態にかかるディスプレイ装置のコンテンツ提供方法を説明するためのフローチャートである。
【図５７】本発明の一実施形態にかかる複数のユーザに複数のコンテンツを提供するシステムである。
【図５８】本発明の一実施形態にかかるディスプレイ装置の構成を説明するためのブロック図である。
【図５９】本発明の一実施形態にかかるメガネ装置の構成を説明するためのブロック図である。
【図６０】本発明の一実施形態にかかるコンテンツ選択方法を説明するためのフローチャートである。
【図６１】本発明の一実施形態にかかるコンテンツ転換方法を説明するためのフローチャートである。
【発明を実施するための形態】
【０２４１】
以下、添付された図面を参照して本発明をさらに詳細に説明する。
【０２４２】
ディスプレイ装置１００の構成
図１及び図２は、本発明の一実施形態にかかるコンテンツ提供システムの構成を示す模式図である。図１及び図２に示すように、本コンテンツ提供システム１０００は、ディスプレイ装置１００とメガネ装置２００とを備える。
【０２４３】
ディスプレイ装置１００は、互いに異なる複数のコンテンツを組み合わせてディスプレイし、複数のメガネ装置２００−１、２００−２のそれぞれは、ディスプレイ装置１００がディスプレイする一つのコンテンツ画像のみを透過させる。コンテンツを組み合わせてディスプレイするということは、コンテンツを混合して映像フレームを構成してディスプレイするか、またはコンテンツを交互にディスプレイすることを意味する。ここで、複数のコンテンツを交互にディスプレイするということは、一つのコンテンツに関する映像情報を含んでいるフレームをまずディスプレイし、続いて他のコンテンツに関する映像情報を含んでいるフレームをディスプレイする方式で交互に互いに異なるコンテンツに関する映像情報を含んでいるフレームをディスプレイすることを意味する。
【０２４４】
図１は、本発明の一実施形態によって複数の２Ｄコンテンツを提供する方法を説明するための図である。
【０２４５】
ディスプレイ装置１００は、複数の２ＤコンテンツであるコンテンツＡ、Ｂを交互にディスプレイし、各コンテンツに対応する第１メガネ装置２００−１及び第２メガネ装置２００−２を同期化させる同期化信号を生成して、第１メガネ装置２００−１及び第２メガネ装置２００−２に送信する。
【０２４６】
この場合、第１メガネ装置２００−１は、同期化信号に応じて一つのコンテンツＡがディスプレイされる時に、左側シャッターガラス及び右側シャッターガラスともをオープンさせ、他のコンテンツＢがディスプレイされる時に左側シャッターガラス及び右側シャッターガラスともをオープンさせるように動作できる。これにより、第１メガネ装置２００−１を着用した第１視聴者ｖｉｅｗｅｒ１は、交互にディスプレイされる複数のコンテンツＡ、Ｂのうち、第１メガネ装置２００−１と同期化された一つのコンテンツＡのみを視聴できる。同じ方式で第２メガネ装置２００−２を着用した第２視聴者ｖｉｅｗｅｒ２は、コンテンツＢのみを視聴できる。互いに異なるコンテンツに対する映像フレームの交互的なディスプレイは、非常に速い速度でなされ、レンズが閉鎖される間に網膜の残像効果は持続するので、ユーザには、自然な映像にみえるようになる。
【０２４７】
図２は、本発明の一実施形態によって複数の３Ｄコンテンツを提供する方法を説明するための図である。
【０２４８】
図２に示すように、複数の３Ｄコンテンツ（コンテンツＡ、Ｂ）が３Ｄコンテンツである場合に、ディスプレイ装置１００は、複数の３Ｄコンテンツ（コンテンツＡ、Ｂ）を交互にディスプレイしながら、各３Ｄコンテンツの左眼映像及び右眼映像もまた交互にディスプレイできる。
【０２４９】
例えば、３ＤコンテンツＡの左眼映像ＡＬ及び右眼映像ＡＲをディスプレイし、３ＤコンテンツＢの左眼映像ＢＬ及び右眼映像ＢＲを交互にディスプレイできる。この場合、第１メガネ装置２００−１は、３ＤコンテンツＡの左眼映像ＡＬ及び右眼映像ＡＲのディスプレイ時点に左眼及び右眼ガラスをオープンさせ、第２メガネ装置２００−２は、３ＤコンテンツＢの左眼映像ＢＬ及び右眼映像ＢＲのディスプレイ時点に左眼及び右眼ガラスをオープンさせることができる。
【０２５０】
本発明の多様な実施形態にかかるディスプレイ装置１００は、ＴＶ、携帯電話、ＰＤＡ、タブレット端末、モニター、タブレットＰＣ、電子本、電子額縁、キオスクなどのようにディスプレイユニットを備えた多様な装置になることができる。
【０２５１】
これにより、第１メガネ装置２００−１を着用した第１視聴者ｖｉｅｗｅｒ１は、３ＤコンテンツＡのみを視聴するようになり、第２メガネ装置２００−２を着用した第２視聴者ｖｉｅｗｅｒ２は、３ＤコンテンツＢのみを視聴するようになる。
【０２５２】
ただし、これは、シャッターガラス方式を想定した場合についての説明であり、偏光方式の場合には、複数のコンテンツ映像の各々の偏光方向と第１メガネ装置及び第２メガネ装置の偏光方向が一致するように具現して、マルチビューモードを支援できることは当業者にとって自明に認識されるはずである。
【０２５３】
図３及び図４は、本発明の多様な実施形態にかかる同期化信号の送信方法を説明するための図である。
【０２５４】
図３によれば、ディスプレイ装置１００は、第１メガネ装置２００−１及び第２メガネ装置２００−２に対応する同期化信号をマルチプレックスした一つの信号をブロードキャストまたはマルチキャストすることができ、各メガネ装置２００−１、２００−２は、該当信号のうち、ユーザ命令（例えば、チャネル転換命令）に対応する同期信号に同期化されて、シャッターガラスをオン／オフさせるように動作できる。
【０２５５】
ただし、上述した実施形態は一例に過ぎず、図４に示すように、ディスプレイ装置１００は、第１メガネ装置２００−１及び第２メガネ装置２００−２に対応する同期化信号をそれぞれ対応する各メガネ装置２００−１、２００−２にユニキャストし、該当メガネ装置２００−１、２００−２が該当同期化信号を受信する形態も具現化されることができる。
【０２５６】
一方、同期化信号は、ＲＦ（ＲＡｄｉｏ  Ｆｅｑｕｅｎｃｙ）信号形態またはＩＲ（ＩｎｆｒＡ  Ｒｅｄ）信号形態により具現化でき、これについての詳細な説明は後述する。
【０２５７】
図５は、本発明の多様な実施形態にかかるディスプレイ装置の構成を説明するためのブロック図である。
【０２５８】
図５によれば、ディスプレイ装置１００は、複数の受信部１１０−１，１１０−２，．．．，１１０−ｎ、複数の信号処理部１２０−１，１２０−２，．．．，１２０−ｎ、出力部１３０、同期化信号生成部１４０、インタフェース部１５０、制御部１６０を備える。
【０２５９】
複数の受信部１１０−１，１１０−２，．．．，１１０−ｎは、互いに異なるコンテンツをそれぞれ受信する。具体的に、各受信部１１０−１，１１０−２，．．．，１１０−ｎは、放送ネットワークを利用して放送プログラムコンテンツを送信する放送局またはインターネットを利用してコンテンツファイルを送信するウェブサーバからコンテンツを受信する。また、ディスプレイ装置１００内に設けられるか、またはディスプレイ装置１００に接続した各種の記録媒体再生装置からコンテンツを受信することができる。記録媒体再生装置とは、ＣＤ、ＤＶＤ、ハードディスク、ブルーレイディスク、メモリカード、ＵＳＢメモリなどのような多様な類型の記録媒体に格納されたコンテンツを再生する装置を意味する。
【０２６０】
放送局からコンテンツを受信する実施形態の場合には、複数の受信部１１０−１，１１０−２，．．．，１１０−ｎは、チューナー（図示せず）、復調器（図示せず）、等化器（図示せず）などのような構成を含む形態により具現化されることができる。反面、ウェブサーバのようなソースからコンテンツを受信する実施形態の場合には、複数の受信部１１０−１，１１０−２，．．．，１１０−ｎは、ネットワークインタフェースカード（図示せず）により具現化されることができる。または、上述した各種の記録媒体再生装置からコンテンツを受信する実施形態の場合には、複数の受信部１１０−１，１１０−２，．．．，１１０−ｎは、記録媒体再生装置と接続したインタフェース部（図示せず）により具現化されることができる。例えば、ＡＶ端子、ＣＯＭＰ端子、ＨＤＭＩ端子などにより具現化できる。
【０２６１】
このように、複数の受信部１１０−１，１１０−２，．．．，１１０−ｎは、実施形態によって多様な形態により具現化されることができる。
【０２６２】
また、複数の受信部１１０−１，１１０−２，．．．，１１０−ｎは、必ず同じ類型のソースからコンテンツを受信する必要はなく、互いに異なる類型のソースからコンテンツを受信することもできる。
【０２６３】
複数の信号処理部１３０−１，１３０−２，．．．，１３０−ｎは、複数の受信部１１０−１，１１０−２，．．．，１１０−ｎで受信されたコンテンツの各々に対して多様な信号処理を行うことができる。
【０２６４】
特に、複数の信号処理部１３０−１，１３０−２，．．．，１３０−ｎは、受信された各々を映像フレーム形態で処理し、フレーム形態で処理された複数のコンテンツの各々に対する輝度調整処理を行うことができる。
【０２６５】
一方、本発明の多様な実施形態によれば、ディスプレイ装置１００は、映像フレームをマルチプレクスするマルチプレクス部（図示せず）をさらに備えることができる。マルチプレクス部１７０は、第１コンテンツの映像フレーム、第２コンテンツの映像フレーム，．．．，第ｎコンテンツの映像フレームが少なくとも一つずつ交互に配置されるように、映像フレームをマルチプレクスして出力できる。
【０２６６】
出力部１３０は、マルチプレクス部（図示せず）から出力されるデータに応じて複数のコンテンツをディスプレイする。これにより、出力部１３０では、各コンテンツの映像フレームが少なくとも一つずつ交互に配置される形態でディスプレイできる。
【０２６７】
出力部１３０は、シングルビューモード（第１モード）では、一つのコンテンツビューを出力し、マルチビューモード（第２モード）では、複数のコンテンツビューを組み合わせて出力する機能を行う。
【０２６８】
ここで、出力部１３０は、液晶ディスプレイパネル（Ｌｉｑｕｉｄ  ＣｒｙｓｔＡｌ  ＤｉｓｐｌＡｙ  ＰＡｎｅｌ）、プラズマディスプレイパネル（ＰｌＡｓｍＡ  ＤｉｓｐｌＡｙ  ＰＡｎｅｌ）、ＯＬＥＤ（ＯｒｇＡｎｉｃ  Ｌｉｇｈｔ  Ｅｍｉｔｔｉｎｇ  Ｄｉｏｄｅｓ）、ＶＦＤ（ＶＡｃｕｕｍ  Ｆｌｕｏｒｅｓｃｅｎｔ  ＤｉｓｐｌＡｙ）、ＦＥＤ（Ｆｉｅｌｄ  Ｅｍｉｓｓｉｏｎ  ＤｉｓｐｌＡｙ）、ＥＬＤ（Ｅｌｅｃｔｒｏ  Ｌｕｍｉｎｅｓｃｅｎｃｅ  ＤｉｓｐｌＡｙ）などにより具現化されることができる。
【０２６９】
以上のように、各コンテンツの映像フレームを交互に配置してディスプレイするモードをマルチビューモード（または、第２モード、デュアルビューモード）などで名づけることができる。ディスプレイ装置１００は、２Ｄコンテンツまたは３Ｄコンテンツの一つのみをディスプレイする一般モード（またはシングルビューモード（第１モード））で動作する場合には、複数の受信部１１０−１，１１０−２，．．．，１１０−ｎのうちの何れか一つのみを活性化させてコンテンツを処理できる。一般モードで動作する途中にユーザがマルチビューモード（第２モード）を選択すると、ディスプレイ装置１００は、残りの受信部も活性化させて上述した方式によりデータを処理できる。
【０２７０】
一方、上述したコンテンツは、２Ｄコンテンツになることができ、３Ｄコンテンツになることができる。３Ｄコンテンツとは、同じオブジェクト（ｏＢｊｅｃｔ）を互いに異なる観点で表現した多視点映像を利用して、ユーザが立体感を感じるようにするコンテンツを意味する。
【０２７１】
複数の３Ｄコンテンツを利用する場合、出力部１３０は、複数のフレームレート変換部１２２−１，１２２−２，．．．，１２２−ｎから提供される各３Ｄコンテンツに含まれた左眼映像及び右眼映像をあらかじめ設定された配置形態でマルチプレクスし、他のコンテンツの映像フレームと交互に配置できる。
【０２７２】
これにより、第１コンテンツの左眼映像、右眼映像、第２コンテンツの左眼映像、右眼映像、．．．第ｎコンテンツの左眼映像、右眼映像が順次に配置されてディスプレイされ、ユーザは、メガネ装置２００を介して一つのコンテンツの左眼映像及び右眼映像を認識するようになる。
【０２７３】
一方、ディスプレイ装置１００は、マルチビューモード（第２モード）下で動作する時に各コンテンツに含まれたオーディオデータを各ユーザ別に異なるように提供する構成をさらに備える。すなわち、各受信部１１０−１，１１０−２，．．．，１１０−ｎで受信されたコンテンツからビデオデータ及びオーディオデータを分離するためのデマルチプレクサ（図示せず）、分離されたオーディオデータをデコードするオーディオデコーダ（図示せず）、デコードされた各オーディオデータを互いに異なる周波数信号に変調する変調部（図示せず）、変調された各オーディオデータをメガネ装置に送信する出力部（図示せず）などをさらに備えることができる。出力部１３０から出力された各オーディオデータは、メガネ装置に備えられたイヤホンのような出力手段を介してユーザに提供される。このような構成は、本発明と直接的な関連性がないので、別に図示しない。
【０２７４】
一方、場合によってコンテンツにＥＰＧ（Ｅｌｅｃｔｒｏｎｉｃ  ＰｒｏｇｒＡｍ  Ｇｕｉｄｅ）及び字幕のような付加情報が含まれた場合、デマルチプレクサは、コンテンツから付加データをさらに分離することができる。そして、ディスプレイ装置１００は、付加データ処理部（図示せず）を介して表示可能なように処理された字幕などを対応する映像フレームに付加することもできる。
【０２７５】
同期化信号生成部１４０は、各コンテンツのディスプレイタイミングに応じて、各コンテンツに対応するメガネ装置を同期化させる同期化信号を生成する。すなわち、同期化信号生成部１４０は、マルチビューモード（第２モード）でコンテンツに対する映像フレームのディスプレイタイミングにメガネ装置を同期化させるための同期化信号を生成する。
【０２７６】
インタフェース部１５０は、同期化信号をメガネ装置に送信する。この場合、インタフェース部１５０は、多様な方式で同期化信号をメガネ装置に送信できる。
【０２７７】
例えば、インタフェース部１５０は、ＲＦ通信モジュールを具備してメガネ装置と通信を行うことができる。ここで、ＲＦ通信モジュールは、ブルートゥース通信モジュールにより具現化できる。これにより、インタフェース部１５０は、同期化信号が含まれるようにブルートゥース通信規格に従う送信ストリームを生成してメガネ装置に送信できる。
【０２７８】
すなわち、送信ストリームは、各コンテンツのディスプレイタイミングに同期化されて、メガネ装置のシャッターガラスをオン／オフさせるための時間情報を含む。具体的に、送信ストリームは、各コンテンツごとに設定された基準時点からメガネ装置の左眼シャッターガラスをオンさせるオフセット時間、左眼シャッターガラスをオフさせるオフセット時間、右眼シャッターガラスをオンさせるオフセット時間、右眼シャッターガラスをオフさせるオフセット時間に対する情報を含むことができる。ここで、基準時点とは、各コンテンツの映像フレームにおいて垂直同期信号が発生する時点であって、垂直同期信号が発生する時点に対する時間情報もまた送信ストリームに共に含まれることができる。
【０２７９】
ブルートゥース通信方式に従って通信を行うために、インタフェース部１５０は、各メガネ装置とペアリング（ｐＡｉｒｉｎｇ）を行う。ペアリングが完了すると、インタフェース部１５０には、各メガネ装置に対する情報、例えば、装置ＩＤ（または、アドレス）などが登録されることができる。インタフェース部１５０は、各コンテンツのディスプレイタイミングとメガネ装置に対する情報とをマッチングさせて、ブルートゥース通信規格に従う一つの送信ストリームを生成する。例えば、インタフェース部１５０は、コンテンツの映像フレームが配列された順序に応じて、各コンテンツごとに互いに異なるメガネ装置に対する情報をマッチングさせることができる。すなわち、マルチビューモード（第２モード）で２個のコンテンツが交互に提供される場合、第１番目、第３番目，．．．，第ｎ番目に配置されたコンテンツの映像フレームは、第１メガネ装置に対する情報をマッチングさせ、第２番目、第４番目、．．．、第ｎ＋１番目に配置されたコンテンツの映像フレームは、第２メガネ装置に対する情報をマッチングさせることができる（ここで、ｎは奇数）。メガネ装置は、同期化信号が受信されると、自身のメガネ装置情報に対応するディスプレイタイミングを確認し、確認されたディスプレイタイミングに応じてシャッターガラスをオンまたはオフさせることができる。
【０２８０】
上述した実施形態では、インタフェース部１５０とメガネ装置とがブルートゥース通信方式に従って通信を行うと説明したが、これは一例にすぎない。すなわち、ブルートゥース方式の他に赤外線通信、ジグビー（ＺｉｇＢｅｅ（登録商標））などの通信方式を利用でき、その他近距離で通信チャネルを形成して信号を送受信できる多様な無線通信方式に従って通信を行うことができることはもちろんである。
【０２８１】
一方、インタフェース部１５０は、相異なる周波数を有するＩＲ（ＩｎｆｒＡ  Ｒｅｄ）同期化信号をメガネ装置に提供することができる。この場合、メガネ装置は、特定周波数を有する同期化信号を受信して、対応するコンテンツのディスプレイタイミングに応じてシャッターガラスをオンまたはオフさせることができる。
【０２８２】
この場合、インタフェース部１５０は、同期化情報に基づいてあらかじめ設定された時間間隔で第１周期の間のハイレバル（ｈｉｇｈ  ｌｅｖｅｌ）と第２周期の間のロウレベル（ｌｏｗ  ｌｅｖｅｌ）が交互に繰り返される赤外線信号をメガネ装置に送信できる。メガネ装置は、ハイレバルである第１周期の間にシャッターガラスをオンさせ、ロウレベルである第２周期の間にシャッターガラスをオフさせるように具現化されることができる。その他にも、同期化信号は、多様な方式により生成されることができる。
【０２８３】
制御部１６０は、ディスプレイ装置１００の全般に対する動作を制御する。具体的に、制御部１６０は、複数の受信部１１０−１，１１０−２，．．．，１１０−ｎ、複数の信号処理部１３０−１，１３０−２，．．．，１３０−ｎ、マルチプレクス部（図示せず）、出力部１３０、同期化信号生成部１４０、及びインタフェース部１５０のそれぞれを制御して、対応する動作を行うように各構成を制御できる。一方、ディスプレイ装置１００の各構成が行う動作については、上述したことがあるので、重複する説明は省略する。
【０２８４】
図６は、信号処理部１３０の構成を示したブロック図である。
【０２８５】
図６に示すように、任意の信号処理部１２０−１は、ビデオ処理部１２１−１及びフレームレート変換部１２２−１を備えることができる。
【０２８６】
ビデオ処理部１２１−１は、受信されたコンテンツに含まれたビデオデータに対する信号処理を行う。具体的に、ビデオ処理部１２１−１は、ビデオデータに対するデコードを行うデコーダ（図示せず）、出力部１３０の画面サイズに合せてアップまたはダウンスケーリングを行うスケーラー（図示せず）を備えることができる。
【０２８７】
その他に、ビデオ処理部１２１−１は、フレームレート変換部１２２−１に対応するデータフォーマットでビデオデータを変換することができる。例えば、各コンテンツの映像フレームを横方向に並列して接続して、サイド−バイ−サイドフォーマットに変換できる。
【０２８８】
フレームレート変換部１２２−１は、ビデオ処理部１２１−１から提供されるコンテンツのフレームレートをディスプレイ装置１００の出力レートを参照してマルチコンテンツディスプレイレートに合うように変換する。具体的に、ディスプレイ装置１００が６０Ｈｚで動作する場合であれば、フレームレート変換部１２２−１は、各コンテンツのフレームレートをｎ×６０Ｈｚに変換できる。
【０２８９】
メガネ装置の構成
図７は、本発明の多様な実施形態にかかるメガネ装置２００の構成を示したブロック図である。
【０２９０】
図７に示すように、メガネ装置２００は、複数のコンテンツを映像フレーム単位で交互にディスプレイするディスプレイ装置１００と連動し、通信インタフェース部２１０、制御部２２０、シャッターガラス駆動部２３０、第１シャッターガラス部２５０、及び第２シャッターガラス部２６０を備える。
【０２９１】
通信インタフェース部２１０は、ディスプレイ装置から同期化信号を受信する。
【０２９２】
例えば、通信インタフェース部２１０がブルートゥース通信モジュールにより具現化される場合、ディスプレイ装置１００とブルートゥース通信規格に従う通信を行って、同期化信号が含まれた送信ストリームを受信することができる。この場合、送信ストリームは、各コンテンツのディスプレイタイミングに同期化されて、メガネ装置２００の第１シャッターガラス部２５０及び第２シャッターガラス部２６０をオンまたはオフさせるための時間情報を含み、メガネ装置２００は、自身のメガネ装置に対応するディスプレイタイミングに応じてシャッターガラスをオンまたはオフさせることができる。
【０２９３】
これとは異なり、通信インタフェース部２１０は、ＩＲ受信モジュールにより具現化されて特定周波数を有する赤外線形態の同期化信号を受信することができる。この場合には、複数のコンテンツのうちの何れか一つのコンテンツのディスプレイタイミングに同期化されるように、メガネ装置２００の第１シャッターガラス部２５０及び第２シャッターガラス部２６０をオンまたはオフさせるための時間情報を含む。
【０２９４】
一方、通信インタフェース部２１０は、ディスプレイ装置１００から各コンテンツに対する映像フレームレート、映像フレーム周期に対する情報を受信することもできる。
【０２９５】
制御部２２０は、メガネ装置２００の全般に対する動作を制御する。特に、制御部２２０は、通信インタフェース部２１０から受信された同期化信号をシャッターガラス駆動部２３０に伝達して、シャッターガラス駆動部２３０の動作を制御する。すなわち、制御部２２０は、同期化信号に基づいて、第１シャッターガラス部２５０及び第２シャッターガラス部２６０を駆動させるための駆動信号が生成されるようにシャッターガラス駆動部２３０を制御する。
【０２９６】
シャッターガラス駆動部２３０は、制御部２２０から受信された同期化信号に基づいて駆動信号を生成する。特に、シャッターガラス駆動部２３０は、同期化信号に基づいて、ディスプレイ装置１００でディスプレイされる複数のコンテンツのうちの何れか一つのコンテンツのディスプレイタイミングに応じて、第１シャッターガラス部２５０及び第２シャッターガラス部２６０をオープンさせることができる。
【０２９７】
第１シャッターガラス部２５０及び第２シャッターガラス部２６０は、シャッターガラス駆動部２３０から受信された駆動信号に応じてシャッターガラスをオンまたはオフさせる。具体的に、第１シャッターガラス部２５０及び第２シャッターガラス部２６０は、複数のコンテンツのうちの何れか一つのコンテンツがディスプレイされる時にシャッターガラスを同時にオープンし、他のコンテンツがディスプレイされる時にシャッターガラスのすべてをオフさせる。これにより、メガネ装置２００を着用したユーザは、一つのコンテンツを視聴できる。
【０２９８】
一方、３Ｄコンテンツの場合、第１シャッターガラス部２５０及び第２シャッターガラス部２６０は、それぞれのガラスを交互に開閉できる。すなわち、駆動信号に応じて一つの３Ｄコンテンツを構成する左眼映像がディスプレイされるタイミングに第１シャッターガラス部２５０を開放し、右眼映像がディスプレイされるタイミングに第２シャッターガラス部２６０を開放できる。
【０２９９】
ユーザの変動状態に応じてコンテンツビューモード（ｃｏｎｔｅｎｔｓ  ｖｉｅｗ  ｍｏｄｅ）を転換する実施形態
以下、本発明の多様な実施形態にかかる、ディスプレイ装置１００を視聴するユーザの変動状態に応じてビューモードを転換するシステム及び方法を説明する。
【０３００】
図８は、本発明のこのような実施形態にかかるディスプレイ装置１００の構成を示したブロック図である。
【０３０１】
図８によれば、本発明に係るディスプレイ装置１００は、受信部１１０、信号処理部１２０、マルチプレクス部、出力部１３０、制御部１６０、インタフェース部１５０、同期化信号生成部１４０、撮像部１７０、格納部１８０を備える。
【０３０２】
受信部１１０、信号処理部１２０、マルチプレクス部、出力部１３０、制御部１６０、インタフェース部１５０、同期化信号生成部１４０については上述したので、重複する説明は省略し、以下、本実施形態にかかる撮像部１２０、格納部１８０、制御部１６０の機能について説明する。
【０３０３】
撮像部１２０は、撮像を行う機能する。
【０３０４】
ここで、撮像部１２０は、一般カメラにより具現化されることができるが、場合によってデプス（Ｄｅｐｔｈ）カメラ及びカラー（Ｃｏｌｏｒ）カメラのうち、少なくとも一つを含む形態により具現化できる。ここで、デプスカメラは、ユーザ、遠隔制御装置などとの距離、ユーザモーションなどを認識し、カラーカメラは、ユーザの顔、手動作などを認識できる。一方、デプスカメラは、深さにデプス、すなわち、カメラからの距離に応じて撮像画面を補正するように具現化されることができ、補正形態は、画面の拡大／縮小、解像度の調整などの形態になることができる。
【０３０５】
一方、図示の実施形態では、撮像部１２０がディスプレイ装置１００の内部に備えられる内蔵型カメラと説明したが、これは、一実施形態に過ぎず、撮像機器１０は、ディスプレイ装置１００の外部に別に設けられる外装型カメラにより具現化されることもできる。
【０３０６】
しかしながら、以下、説明の便宜のために撮像機器１０がディスプレイ装置１００と別途に備えあれる場合と想定して説明するようにする。
【０３０７】
このとき、制御部１６０は、撮像部１７０で撮像されたデータを利用してディスプレイ装置１００を視聴するユーザの変動状態を検知し、ユーザの変動状態に応じてシングルビューモード（第１モード）またはマルチビューモード（第２モード）で動作するように出力部１３０を制御できる。
【０３０８】
具体的に制御部１６０は、撮像部１７０で撮像されたデータを分析して、ユーザが撮像対象空間から離脱したかどうか、追加されたかどうか、追加されたユーザが以前に離脱したユーザであったかどうかなどを検知できる。
【０３０９】
これにより、制御部１６０は、出力部１３０がシングルビューモード（第１モード）で動作する状態でユーザの追加が検知されると、マルチビューモード（第２モード）に転換するように出力部１３０を制御できる。
【０３１０】
また、制御部１６０は、出力部１３０がマルチビューモード（第２モード）で動作する状態でユーザの離脱が検知されると、シングルビューモード（第１モード）に転換するように出力部１２０を制御できる。
【０３１１】
格納部１８０は、ディスプレイ装置１００を動作させるために必要な各種のプログラムなどが格納される格納媒体であって、メモリ、ＨＤＤ（ＨＡｒｄ  Ｄｉｓｋ  Ｄｒｉｖｅ）などにより具現化できる。例えば、格納部１８０は、制御部１６０の動作を行うためのプログラムを格納していることができ、制御部１８０の動作遂行に応じるデータを一時格納するか、または各種の参照データを格納することができる。
【０３１２】
一方、制御部１６０は、出力部１３０がマルチビューモード（第２モード）で動作する状態でユーザの離脱が検知されると、シングルビューモード（第１モード）に転換するように出力部１３０を制御すると、同時に、対応するコンテンツビュー環境情報を格納部１８０に格納することができる。
【０３１３】
また、制御部１６０は、離脱したユーザが復帰すると、格納部１８０に格納されたコンテンツビューの視聴環境情報を利用して離脱したユーザに対応するコンテンツビューを再構成し、再構成されたコンテンツビューを含む複数のコンテンツビューを出力するように出力部１３０を制御できる。この場合、制御部１６０は、撮像部１７０を介して撮像された映像を介して新しく追加されたユーザが以前に離脱したユーザであるかどうかを検知して、以前ユーザが復帰したかどうかを判断できる。
【０３１４】
一方、離脱したユーザが復帰したかどうかを検知するために、撮像された映像に対して顔認識技術を適用できる。顔認識技術は、既存の顔写真のデータベースを構築し、これに基づいてカメラにより撮られた映像と比較して、既存の顔写真と同じであるかどうかを確認し認識する技術である。顔認識技術は、基本的に顔検出、顔認識の二つのステップの過程を経てなされることができる。顔検出の場合、知識基盤方法（ｋｎｏｗｌｅｄｇｅ−ＢＡｓｅｄ  Ｍｅｔｈｏｄｓ）、特徴基盤方法（ＦｅＡｔｕｒｅ−ＢＡｓｅｄ  Ｍｅｔｈｏｄｓ）、テンプレートマッチング方法（ＴｅｍｐｌＡｔｅ−ｍＡｔｃｈｉｎｇ  Ｍｅｔｈｏｄｓ）などが利用されることができ、顔認識の場合、２Ｄアルゴリズム、３Ｄアルゴリズムなどが利用されることができる。顔認識技術は、従来に広く知られた技術であるから、詳細な説明は省略する。
【０３１５】
一方、コンテンツビューの視聴環境情報とは、コンテンツ種類（または、チャネル番号）、ボリウム、画面モード、バックライト（ＢＡｃｋｌｉｇｈｔ）、輝度（Ｂｒｉｇｈｔｎｅｓｓ）、シャープネス（ｓｈＡｒｐｎｅｓｓ）、ブラックトーン（ＢｌＡｃｋ  ｔｏｎｅ）、コントラスト（ｃｏｎｔｒＡｓｔ）、カラー（ｃｏｌｏｒ）、チント（ｔｉｎｔ）、字幕の位置及び大きさなどの情報を含むことができる。
【０３１６】
ただし、コンテンツが２Ｄ映像である場合の環境情報と３Ｄ映像である場合の環境情報は、多少相異なる構成を含むことができる。例えば、２Ｄ映像である場合の環境情報は、バックライト、輝度、シャープネス、コントラスト、カラー、チントを含むことができ、３Ｄ映像である場合の環境情報は、深度（ｄｅｐｔｈ）、焦点（ｖｉｅｗｐｏｉｎｔ）などをさらに含むことができる。その他に、環境情報は、イコライザー（ｅｑｕＡｌｉｚｅｒ）情報（バランス、周波数帯域別増幅レベル）、ＳＲＳ  ＴｒｕＳｕｒｒｏｕｎｄ  ＨＤ、ボリウム情報などを含むことができる。
【０３１７】
一方、格納部１８０は、ユーザ別に個別的に設定されたコンテンツビューの視聴環境情報を格納することができる。
【０３１８】
この場合、制御部１６０は、撮像部１７０で撮像される映像を介して新規ユーザの追加が検知されると、格納部１８０に格納された視聴環境情報のうち、新規ユーザに対応するコンテンツビューの視聴環境情報を利用して新規コンテンツビューを構成し、新規コンテンツビューを含む複数のコンテンツビューを出力するように出力部１３０を制御できる。
【０３１９】
また、制御部１６０は、メガネ装置（図示せず）から送信されたユーザ命令に応じてパブリックモードまたはプライベートモードでディスプレイモードを設定できる。ただし、これに限定されるものではなく、該当ユーザ命令は、リモコンのような遠隔制御装置（図示せず）から送信されることも可能である。
【０３２０】
具体的に、制御部１６０は、パブリックモードが設定されると、ユーザの変動状態に応じてマルチビューモード（第２モード）及びシングルビューモード（第１モード）間の転換を行うようにすることができる。すなわち、パブリックモードでは、コンテンツビューの転換を自由に許すことができる。
【０３２１】
また、制御部１６０は、プライベートモードが設定されると、ユーザの変動状態が検知されてもマルチビューモード（第２モード）及びシングルビューモード（第１モード）間の転換を禁止し、マルチビューモード（第２モード）で固定的に動作するように制御できる。例えば、プライベートモードでは、シングルビューモード（第１モード）状態でユーザの追加が検知されても、シングルビューモード（第１モード）を維持して追加されたユーザが該当コンテンツを視聴できないようにすることができる。
【０３２２】
一方、上述したプライベートモード及びパブリックモードは、ユーザ変更状態に応じるマルチビューモード（第２モード）及びシングルビューモード（第１モード）と連関して説明したものであり、本発明の他の実施形態によれば、プライベートモード及びパブリックモードは、ユーザ変更状態に応じるマルチビューモード（第２モード）及びシングルビューモード（第１モード）と別に動作できる。
【０３２３】
この場合、プライベートモードでは、特定コンテンツビューをプライベートモードに設定するようになると、他の視聴者のメガネ装置（図示せず）がディスプレイ装置１００と接続されても、該当メガネ装置（図示せず）にプライベートモードに設定されたコンテンツビューに対する同期化信号を遮断するように具現化できる。これについての詳細な説明は、図面を参照して後述する。
【０３２４】
一方、撮像部１７０は、遠隔制御装置（図示せず）から出力されるＩＲ信号を撮像できる。
【０３２５】
この場合、制御部１６０は、マルチビューモード（第２モード）で動作する状態で遠隔制御装置（図示せず）からユーザ命令が受信されると、撮像部１７０に撮像されるＩＲ信号の撮像映像を介して遠隔制御装置（図示せず）から隣接したユーザを検出し、検出されたユーザに対応するコンテンツビューに受信されたユーザ命令を適用できる。
【０３２６】
例えば、マルチビュー状態で一つだけのリモコンを使用する場合に、リモコン自体にコンテンツに同期化させる命令が入力されない場合を仮定すると、ディスプレイ装置１００側で該当リモコン信号が複数のユーザのうちの何れかユーザによるユーザ命令であるかを検知して、該当ユーザ命令を対応するコンテンツビューに適用するシナリオになることができる。この場合、遠隔制御装置（図示せず）及びユーザを撮像した映像を分析してユーザ命令を入力したユーザを検知する方法も可能でありうる。
【０３２７】
一方、上述した実施形態では、メガネ装置（図示せず）を介してプライベートモードを設定する場合を想定して説明したが、これに限定されるものではなく、コンテンツ種類別にプライベートモードが既設定されている場合も可能でありうる。例えば、未成年者の視聴が禁止される視聴制限等級の放送プログラムの画面、各種のゲームプログラムの実行画面、メッセンジャープログラムの実行画面、電子メール確認画面またはＳＮＳ画面などは、プライベートモードにあらかじめ設定されていることができる。このようにプライベートモードに設定されるコンテンツ種類に対する情報は、ディスプレイ装置１００内のメモリ（図示せず）にあらかじめ登録されたり、別途の外部ソースから提供されることができる。
【０３２８】
また、制御部１６０は、シングルビュー状態で新規ユーザが追加されてマルチビューモード（第２モード）に転換されると、新規ユーザのメガネ装置（図示せず）の左眼ガラス及び右眼ガラスに互いに異なるコンテンツビューを同期化させて、新規ユーザの望むコンテンツビューを選択するようにすることができる。
【０３２９】
また、制御部１６０は、撮像部１７０を介して撮像された映像からユーザの動作を検知し、検知されたユーザの動作に応じて複数のコンテンツビューを制御できる。
【０３３０】
例えば、制御部１６０は、撮像された映像を介してユーザの左手または右手を検知し、左手または右手の制御動作に応じて互いに異なるコンテンツビューを制御できる。例えば、左手の制御動作が検知される場合に第１コンテンツビューを制御し、右手の制御動作が検知される場合に第２コンテンツビューを制御できる。
【０３３１】
また、制御部１６０は、コンテンツビューの視聴者が左側から右側（または、右側から左側）へ手を水平に移動すると、コンテンツを転換することができ、この場合、手の模様を認識する方式を適用してもよい。
【０３３２】
以下、ユーザの変動状態に応じてビューモード（ｖｉｅｗ  ｍｏｄｅ）を転換する実施形態にかかるメガネ装置２００を説明する。
【０３３３】
図９は、本発明の多様な実施形態にかかるメガネ装置２００の構成を示したブロック図である。
【０３３４】
前記実施形態にかかるメガネ装置２００は、通信インタフェース部２１０、制御部２２０、シャッターガラス駆動部２３０、第１シャッターガラス部２５０、第２シャッターガラス部２６０、入力部２４０を備える。
【０３３５】
通信インタフェース部２１０、シャッターガラス駆動部２３０、第１シャッターガラス部２５０、第２シャッターガラス部２６０については上述したので、ここでは、入力部２４０、制御部２２０についてのみ説明する。
【０３３６】
入力部２４０は、多様なユーザ命令を受け取ることができる。
【０３３７】
具体的に、入力部２４０は、ディスプレイ装置１００とのペアリング遂行のためのペアリング命令、コンテンツビューの転換命令、プライベートまたはパブリックモード設定のためのモード設定命令、３Ｄモードまたはデュアルビューモード設定命令などを受け取ることができる。
【０３３８】
例えば、入力部２４０は、タッチセンサ、操作ボタン、スライドスイッチのうち、少なくとも一つの形態により具現化できる。
【０３３９】
このとき、前述した制御部２２０は、コンテンツビューの転換命令が入力されると、ディスプレイ装置１００から受信された同期化信号に応じて第１シャッターガラス部２５０及び第２シャッターガラス部２６０が順次にオン／オフになるようにシャッターガラス駆動部２３０を制御できる。
【０３４０】
また、制御部２２０は、プライベートモードまたはパブリックモードが選択されると、該当モードに応じるユーザ命令をディスプレイ装置１００に送信するように制御できる。このとき、送信ストリームは、ユーザ命令に応じるプライベートモードまたはパブリックモードに対する情報を含むことができる。また、送信ストリームは、ユーザ命令に応じる３Ｄモードまたはデュアルビューモードに対する情報を含むことができる。
【０３４１】
図１０は、図９に示す本発明の一実施形態にかかるメガネ装置２００の外部構成を説明するための図である。
【０３４２】
図１０に示すように、本発明の一実施形態にかかるメガネ装置２００は、複数の入力ボタン２４１、２４２、２４３を備えることができる。
【０３４３】
複数の入力ボタン２４１、２４２、２４３のそれぞれは、互いに異なるユーザ命令を受け取ることができる。
【０３４４】
例えば、複数の入力ボタン２４１、２４２、２４３のそれぞれは、ディスプレイ装置１００、３００とのペアリング遂行のためのペアリング命令、コンテンツビューの転換命令、プライベートまたはパブリックモード設定のためのモード設定命令などを受け取ることができる。
【０３４５】
ただし、上述した入力ボタンの形態は、一実施形態に過ぎず、タッチセンサ、スライドスイッチなどの形態によっても具現化でき、場合によっては、ディスプレイ装置１００、３００を介してメニュー形態で提供されることも可能である。
【０３４６】
以下、本発明の一実施形態にかかるプライベートモード及びパブリックモードの具現方法を説明する。
【０３４７】
図１１及び図１２は、本発明の一実施形態にかかるプライベートモード及びパブリックモードの具現方法を説明するための図である。
【０３４８】
図１１に示すように、特定コンテンツに対してパブリックモードに設定した場合に、該当コンテンツは、他のユーザｖｉｅｗｅｒ２も視聴できるようになる。すなわち、該当コンテンツの同期化信号は、ｖｉｅｗｅｒ１が着用したメガネ装置２００−１だけでなく、ｖｉｅｗｅｒ２が着用したメガネ装置２００−２にも送信されることができる。
【０３４９】
しかしながら、図１２に示すように、特定コンテンツに対してプライベートモードに設定した場合に、他のユーザｖｉｅｗｅｒ２は、該当コンテンツを視聴することができず、他のユーザｖｉｅｗｅｒ２には、基本チャネルまたは新しいチャネル選択のためのＵＩを提供できる。すなわち、該当コンテンツの同期化信号は、他のユーザｖｉｅｗｅｒ２が着用したメガネ装置２００−２には遮断されるように具現化できる。
【０３５０】
図１３及び図１４は、図１１及び図１２に示すモード設定と関連したユーザインタフェース画面の一例を示す図である。
【０３５１】
特定コンテンツを視聴するユーザｖｉｅｗｅｒ１のメガネ装置２００−１を介してモード設定命令が入力されると、ディスプレイ装置１００の画面（ディスプレイ部）に図１３及び図１４に示すように、モード転換を確認するＵＩ画面がディスプレイされることができる。ただし、これは、一実施形態に過ぎず、該当ＵＩのディスプレイ無しでモード設定命令入力に応じて直ちにモード転換がなされるように具現化されることもできる。
【０３５２】
図１５及び図１６は、本発明のさらに他の実施形態にかかる撮像映像の利用方法を説明するための図である。
【０３５３】
図１５に示すように、マルチビューモード（第２モード）で複数のユーザｖｉｅｗｅｒ１、ｖｉｅｗｅｒ２が一つの遠隔制御装置３００を利用する場合にカメラ１０を介して撮像された映像を利用して遠隔制御装置３００から送信されたリモコン信号がどのユーザにより送信されたことであるかを検知できる。
【０３５４】
または、カメラ１０を介して撮像された映像を介して遠隔制御装置３００から出力されるＩＲ信号を検知して、該当リモコン信号がどのユーザにより送信されたことであるかを検知できる。この場合に、遠隔制御装置３００は、ＲＦ通信を利用する場合にも機器ＩＤ信号のような一部のリモコン信号は、ＩＲ信号を介して送信するように具現化されることができる。
【０３５５】
図１６に示すように、マルチビューモード（第２モード）状態で複数のユーザが各々別個の遠隔制御装置３００−１、３００−２を利用する場合にも、遠隔制御装置３００−１、３００−２が特定コンテンツにペアリングされない限り、送信されたリモコン信号がどのユーザにより送信されたことかが分からないので、図１５と同じ方式で該当リモコン信号がどのユーザにより送信されたことであるかを検知できる。
【０３５６】
図１７は、本発明のさらに他の実施形態にかかるマルチビュー転換方法を説明するための図である。
【０３５７】
図１７に示すように、シングルビューモード（第１モード）で新規ユーザが追加されると、マルチビューモード（第２モード）に転換されると、同時に、新規ユーザには、可能なコンテンツビューが少なくとも二つ以上提供されることができる。これにより、新規ユーザは、自身が望むコンテンツを選択できる。例えば、新規ユーザの左眼ガラス及び右眼ガラスには、互いに異なるコンテンツビューが提供され、新規ユーザは、自身が望むコンテンツビューを選択できる。
【０３５８】
図１８は、本発明の一実施形態にかかるディスプレイ方法を説明するためのフローチャートである。
【０３５９】
図１８に示した、シングルビューモード（第１モード）では、一つのコンテンツビューを出力し、マルチビューモード（第２モード）では、複数のコンテンツビューを組み合わせて出力するディスプレイ装置のディスプレイ方法によれば、まず撮影を行う（Ｓ１８１０）。
【０３６０】
次に、ステップＳ１８１０にて撮像されたデータを利用してディスプレイ装置を視聴するユーザの変動状態を検知する（Ｓ１８２０）。
【０３６１】
この後、ステップＳ１８１０にて検知されたユーザの変動状態に応じてシングルビューモード（第１モード）またはマルチビューモード（第２モード）で動作する（Ｓ１８３０）。
【０３６２】
この場合、シングルビューモード（第１モード）またはマルチビューモード（第２モード）で動作するステップ（Ｓ１８３０）は、シングルビューモード（第１モード）で動作する状態でユーザの追加が検知されると、マルチビューモード（第２モード）に転換し、マルチビューモード（第２モード）で動作する状態でユーザの離脱が検知されると、シングルビューモード（第１モード）に転換できる。
【０３６３】
また、マルチビューモードで動作する状態でユーザの離脱が検知されると、シングルビューモード（第１モード）に転換し、マルチビューモード（第２モード）で出力される複数のコンテンツビューの中で離脱したユーザに対応するコンテンツビューの視聴環境情報を格納することができる。
【０３６４】
また、離脱したユーザが復帰すると、コンテンツビューの視聴環境情報を利用して離脱したユーザに対応するコンテンツビューを再構成し、再構成されたコンテンツビューを含む複数のコンテンツビューを出力できる。
【０３６５】
一方、パブリックモードが設定されると、ユーザの変動状態に応じて前記マルチビューモード（第２モード）及び前記シングルビューモード（第１モード）間の転換を行い、プライベートモードが設定されると、ユーザの変動状態が検知されてもマルチビューモード（第２モード）及びシングルビューモード（第１モード）間の転換を禁止し、マルチビューモード（第２モード）で固定的に動作できる。
【０３６６】
また、ディスプレイ装置は、ユーザ別に個別的にコンテンツビューの視聴環境情報をあらかじめ格納できる。
【０３６７】
この場合、シングルビューモード（第１モード）またはマルチビューモード（第２モード）で動作するステップＳ１８３０は、新規ユーザの追加が検知されると、新規ユーザに対応するコンテンツビューの視聴環境情報を利用して新規コンテンツビューを構成し、新規コンテンツビューを含む複数のコンテンツビューを出力できる。
【０３６８】
また、遠隔制御装置から出力されるＩＲ信号を撮像し、マルチビューモード（第２モード）で動作する状態で遠隔制御装置からユーザ命令が受信されると、ＩＲ信号の撮像映像を介して遠隔制御装置から隣接したユーザを検出できる。次に、検出されたユーザに対応するコンテンツビューに前記ユーザ命令を適用できる。
【０３６９】
それらの各実施形態については上述したことがあるので、重複する説明及び図示を省略する。
【０３７０】
一方、上述した本発明の多様な実施形態にかかる方法を行うためのプログラムは、多様な類型の記録媒体に格納されて使用されることができる。
【０３７１】
具体的には、上述した方法を行うためのコードは、ＲＡＭ（ＲＡｎｄｏｍ  Ａｃｃｅｓｓ  Ｍｅｍｏｒｙ）、フラッシュメモリ、ＲＯＭ（ＲｅＡｄ  Ｏｎｌｙ  Ｍｅｍｏｒｙ）、ＥＰＲＯＭ（ＥｒＡｓＡＢｌｅ  ＰｒｏｇｒＡｍｍＡＢｌｅ  ＲＯＭ）、ＥＥＰＲＯＭ（ＥｌｅｃｔｒｏｎｉｃＡｌｌｙ  ＥｒＡｓＡＢｌｅＡｎｄ  ＰｒｏｇｒＡｍｍＡＢｌｅ  ＲＯＭ）、レジスタ、ハードディスク、リムーバブルディスク、メモリカード、ＵＳＢメモリ、ＣＤ−ＲＯＭなどのように、端末機で読み取り可能な多様な類型の記録媒体に格納されていることができる。
【０３７２】
ディスプレイ装置１００を介して画像通話を行う実施形態
以下、本発明の一実施形態にかかるディスプレイ装置１００が複数のコンテンツを出力する場合に、そのうちの何れか一つのコンテンツの映像フレームを画像通話画面に代替することができるシステム及び方法について説明する。
【０３７３】
図１９は、本発明に係るディスプレイ装置１００を介してコンテンツを提供し、かつ画像通話機能を共に提供するシステムを示した概念図である。
【０３７４】
図１９は、一つのコンテンツに対する映像フレームが画像通話画面に代替されて画像通話を実施する場合を示している。以下、図１９の実施形態を説明するために本発明のディスプレイ装置１００及びメガネ装置２００の追加的な構成及び動作を介して詳細に説明する。
【０３７５】
図２０は、本発明の多様な実施形態にかかるディスプレイ装置１００の構成を示したブロック図で、図２１は、図３のディスプレイ装置１００を利用した画像通話方法を示したフローチャートである。
【０３７６】
図２０ないし図２１をさらに参照すれば、本発明の多様な実施形態にかかるディスプレイ装置１００は、受信部１１０、信号処理部１２０、出力部１３０、インタフェース部１５０、同期化信号生成部１４０、画像通話処理部１９０、及び制御部１６０を備える。
【０３７７】
受信部１１０、信号処理部１２０、出力部１３０、インタフェース部１５０、同期化信号生成部１４０については上述したので、ここでは、画像通話処理部１９０、制御部１６０について追加的に説明する。
【０３７８】
図２２は、本発明の多様な実施形態によってインタフェース部１５０及び画像通話処理部１９０の具体的な構成を示しているディスプレイ装置１００のブロック図であり、図２３は、図２２のディスプレイ装置１００を利用して画像通話を行う過程を示すフローチャートで、図２４は、コンテンツの映像フレームが画像通話画面に対する映像フレームに代替されることを示した概念図で、図２５は、画像通話の遂行有無を問い合わせるメッセージをディスプレイするステップを含む画像通話を行う過程を示すフローチャートである。
【０３７９】
図２２及び２３に示すように、画像通話処理部１９０は、画像通話要請を受信して画像通話を接続する構成である。画像通話は、ディスプレイを介して相手を見ながら通話する方式のことをいい、交換機を利用した回線交換方式と、パケット交換方式に分類される。後者の場合、ＩＰ（インターネットプロトコル）ネットワークを介して音声をパケット形態でＶｏＩＰ技術を利用して送信可能である。その他、多様なプロトコルを利用して具現できる。
【０３８０】
画像通話処理部１９０は、画像通話接続命令を受け取るインタフェース部１５０と、撮像を行う撮像部１９１と、画像通話データを受信する画像通話受信部１９２と、画像データ及び撮像データを利用して画像通話画面を構成する通話画面処理部１９３とを備えることができる。
【０３８１】
インタフェース部１５０は、画像通話接続命令を受け取る役割をする。後述する画像通話受信部１９２がまず画像通話要請を受信すると、インタフェース部１５０は、複数のコンテンツに対応する複数のメガネ装置２００のうちの何れか一つから画像通話接続命令を受け取る。このとき、前述した制御部１６０は、画像通話要請を送信したコレスポンデントノードとの画像通話を接続するように、前記画像通話処理部１９０を制御する。インタフェース部１５０は、ボタン、タッチスクリーンなどディスプレイ装置１００に通話接続命令を入力できるすべての種類の技術的手段により具現化されることができる。また、ディスプレイ装置１００の表面、後述するメガネ装置２００または、別に備えられるリモコン（図示せず）等ディスプレイ装置１００と関連したすべての装置に位置できる。例えば、メガネ装置２００は、めがねフレーム部位に画像通話を接続させるかまたは終了させることができる画像通話接続／終了ボタン（図２６の２４０´参照）を具備できる。この場合、ユーザは、画像電話が掛かってくると（すなわち、ディスプレイ装置で画像通話要請が受信されると、）メガネ装置２００に位置する画像通話接続／終了ボタン（図２６の２４０´参照）を押さえてディスプレイ装置１００に画像通話接続命令を入力することができる。また、画像通話を終了させるために画像通話接続／終了ボタン（図２６の２４０´参照）を再びた押さえて画像通話を終了させることができる。
【０３８２】
本発明の多様な実施形態においてインタフェース部１５０は、撮像部１９１（実施形態によって前述した撮像部１７０と同じ構成でってもよい。）で撮像されたデータを利用して、ユーザモーションを検知するモーション検知部（図示せず）を備えることができる。すなわち、後述する画像通話受信部１９２がまず画像通話要請を受信すると、撮像部１９１は、撮像を行い、撮像されたデータを利用してユーザのモーションを検知できる。
【０３８３】
モーション検知部（図示せず）は、ディスプレイ装置１００の外部に位置したオブジェクトのモーション（ｍｏｔｉｏｎ）を認識する構成である。具体的には、モーション検知部（図示せず）は、ディスプレイ装置１００を使用しようとするユーザの動きをセンシングして、いかなるモーションがなされたかを認識する。このために、モーション検知部（図示せず）は、撮像部１９１の撮像範囲内に存在するユーザなどのオブジェクトを撮像し、その撮像イメージデータを分析する。すなわち、最初に撮像されたイメージデータとその後一定時間の間に撮像されたイメージデータとを比較して、画素値の変更を追跡する。例えば、画像通話要請が受信される場合、撮像部１９１が一定時間の間に撮像を行うと、モーション検知部（図示せず）は、毎瞬間撮像されたイメージデータを比較し始める。万が一、一定時間の間に連続して撮像されたイメージデータの画素値に変化がないか、または誤差範囲内の微細な変化のみが検知される場合に、モーション検知は、失敗と看做される。反面、一定時間の間に撮像されたイメージデータの画素値に変化があり、その変化が一定の臨界値を超える場合にモーションが検知されたと看做される。このとき、モーション検知部（図示せず）は、イメージデータの画素値が変化した方向と変化範囲及び位置などを判断して、実際のユーザによりなされたモーションが何であるかを識別する。モーション検知部（図示せず）は、識別されたモーションが既に設定されたモーションと一致すると、判明された場合、そのモーションに該当する命令が入力されたと見なし、制御部１６０は、命令に応じてディスプレイ装置１００を適切に作動させる。
【０３８４】
本発明の一実施形態においてモーションに該当する命令は、画像通話接続命令でありうる。この場合、制御部１６０は、画像通話要請を送信したコレスポンデントノードとの画像通話を接続するように、前記画像通話処理部１９０を制御し、モーションが検知された方向に撮像方向をシフトさせるように前記撮像部１９１を制御する。
【０３８５】
撮像部１９１は、撮像を行う構成であって、詳細には、ディスプレイ装置１００に設置されてメガネ装置２００を着用したユーザを撮像してモーション検知部（図示せず）に伝達するか、または通話画面処理部１９３に伝達する役割をする。撮像部１９１は、動映像または停止映像を撮像できるすべての種類の撮像手段を有し、具体的にデジタルカメラ、赤外線カメラ、ラインカメラなどを包括する。また、前述した撮像部１７０の一部構成であるか、または別の構成でありうる。
【０３８６】
本発明の一実施形態によって撮像部１９１は、モーション検知のために撮像したデータを前述したモーション検知部（図示せず）に送信できる。この場合、撮像データは、連続するフレームから構成される映像データになることができ、モーション検知部は、撮像データを分析して変化を追跡し、その結果、ユーザにより行なわれたモーションを認識する。モーションが検知されると、制御部１６０は、画像通話要請を送信したコレスポンデントノードと画像通話を接続するように画像通話処理部１９０を制御し、撮像部１９１を制御してモーションが検知された方向に撮像方向をシフトさせるように撮像部１９１を制御する。画像通話処理部１９０の動作については後述するようにし、以下、撮像部１９１が撮像方向をシフトさせる原理を説明する。ただし、これは、本発明の理解を助けるための一実施形態に過ぎず、本発明が撮像部１９１の撮像を制御するための多様な技術的手段を排除するものではないことを明らかにする。撮像部１９１は、図１９に示すように、ディスプレイ装置１００の上段の中央に位置できる。撮像部１９１は、一定の解像度及び撮像角を有し撮像角の範囲に入るすべてのオブジェクトを撮像する。前述した実施形態によってモーション検知部（図示せず）が撮像角の範囲にあるユーザの画像通話接続モーションを認識した場合、制御部１６０は、撮像映像上にモーションが認識された位置情報に基づいて撮像部１９１の左右及び上下回転角を計算し、オブジェクトまでの距離を計算する。制御部１６０は、オブジェクトが位置している地点が撮像部１９１の撮像映像の中心点と一致するように撮像部１９１を回転させて動かし、オブジェクトまでの距離を考慮してオブジェクトが十分に撮像画面内に入るように撮像部１９１のズームを伸ばしたり縮めたりして画像通話に必要な映像条件を確保する。例えば、画像通話接続モーションが撮像部１９１の撮像画面の中心点から右側１５度と上側１７度の地点でなされた場合に、制御部１６０は、該当地点が撮像部１９１の撮像映像の中心点と一致するように撮像部１９１を動かし、ユーザの上半身が撮像部１９１の撮像画面内に入るように撮像部１９１のズームを縮める。
【０３８７】
また、撮像部１９１は、通話画面を構成するために撮像したデータを通話画面処理部１９３に送信できる。後述する通話画面処理部１９３は、撮像部１９１から撮像データを受信して、通話画面を構成する。通話画面処理部１９３の詳細な動作については後述する。一方、撮像部１９１が撮像したデータは、ディスプレイ装置１００の送信部（図示せず）によりディスプレイ装置１００を介して画像通話を行っているユーザの相手の画像通話装置（図示せず）に伝達されることができる。
【０３８８】
画像通話受信部１９２は、画像通話が接続されると、画像通話要請を送信したコレスポンデントノードから画像通話データを受信する構成である。画像通話データは、画像通話のためのすべての種類の送受信データを含む。すなわち、音声データ、画像データが回線信号またはパケット信号形態で送信されることができる。画像通話受信部１９２を介して受信された画像通話データは、後述する通話画面処理部１９３に伝達されて出力部１３０上に通話画面を構成するのに用いられる。
【０３８９】
通話画面処理部１９３は、画像データ及び撮像データを利用して画像通話画面を構成する役割を果たす。すなわち、前述した画像通話受信部１９２を介して受信した画像データと撮像部１９１が撮像した撮像データとを受信して出力部１３０に画像通話画面を構成する。制御部１６０は、画像通話画面が出力部１３０に表示されるように出力部１３０を制御するが、これについては後述する。一実施形態として、画像通話画面は、図１９ように画像通話の相手の姿が出力部１３０に大きく表示され、画像通話接続命令を入力したユーザの姿が出力部１３０上に小さな画面として表示される形態でありうる。
【０３９０】
以下、本実施形態での制御部１６０について説明する。
【０３９１】
第１に、制御部１６０は、インタフェース部１５０を介して画像通話接続命令が入力される場合に、画像通話要請を送信したコレスポンデントノードと画像通話を接続するように、画像通話処理部１９０を制御する。画像通話処理部１９０は、コレスポンデントノードの画像通話要請を受信し、画像通話接続命令が入力されると、画像通話を開始する。すなわち、相手から送信される画像データを信号処理して出力部１３０に伝達し、オーディオデータをデコードし変調してディスプレイ装置１００に伝達できる。画像データに対する信号処理は、前述したディスプレイ装置１００の信号処理部１２０の受信規約に合せて処理した後、ディスプレイ装置１００の信号処理部１２０を利用して出力してもよく、別途の信号処理部（図示せず）を介して処理してディスプレイしてもよい。
【０３９２】
第２に、制御部１６０は、画像通話が接続した場合、複数のメガネ装置２００の中で画像通話接続命令を送信したメガネ装置２００に対応するコンテンツの映像フレームを画像通話画面に代替するように出力部１３０を制御できる。すなわち、メガネ装置２００を着用し互いに異なるコンテンツを視聴しているユーザのうちの何れか一人のユーザが相手と画像通話を始める場合、出力部１３０は、そのユーザが視聴しているコンテンツの映像フレームを画像通話画面に対する映像フレームに交替する。例えば、図２４は、一名のユーザは、映像フレーム１−１、映像フレーム１−２、映像フレーム１−３などからなる一つのコンテンツを視聴し、他のユーザは、映像フレーム２−１、映像フレーム２−２、映像フレーム２−３などからなる他のコンテンツを視聴する場合の映像データストリームを示している。このとき、画像通話を始めたユーザが視聴するコンテンツの映像フレームは、画像通話画面を表すフレームである画像通話−１、画像通話−２、画像通話−３に代替される。このように２名のユーザがはじめから互いに異なるコンテンツを視聴していた場合は、別にフレームレートを変更することがなく映像フレームに対するスワッピング（ＳｗＡｐｐｉｎｇ）作業だけで画像通話がなされることができる。しかしながら、メガネ装置を着用している複数のユーザが同じコンテンツを視聴している場合がありうる。この場合に、画像通話が接続されると、画像通話を行わないユーザが同じコンテンツを視聴し続けるのに何らの影響がない状態で他のユーザは画像通話をすることができなければならない。したがって、前述したフレームレート変換部１２２は、ビデオ処理部１２１から提供されるコンテンツのフレームレートを２倍に増加させ、出力部１３０は、本来ディスプレイされていたコンテンツの映像フレームと画像通話画面に対する映像フレームとを交互に配置してディスプレイする。この場合に、画像通話画面に対する映像フレームは、ディスプレイ装置１００が提供する画面サイズや解像度に及ばないときもありうるから、追加的な補正またはアップスケーリング作業がなされることができる。
【０３９３】
第３に、制御部１６０は、前述したモーション検知部（図示せず）が撮像データを分析してあらかじめ設定されたユーザモーションを検知すると、画像通話要請を送信したコレスポンデントノードと画像通話とを接続するように前記画像通話処理部１９０を制御できる。次に、ユーザモーションが検知された方向に撮像方向をシフトさせるように前記撮像部１９１を制御する。モーション検知部（図示せず）、画像通話処理部１９０及び撮像部１９１の動作については前述したとおりである。
【０３９４】
第４に、制御部１６０は、画像通話要請が受信される場合、画像通話の遂行有無を問い合わせるためのメッセージをディスプレイするよう出力部１３０を制御できる。前述したように、モーション検知部（図示せず）がユーザのモーションを検知して画像通話を接続することもできるが、出力部１３０を介して通話有無を問い合わせることができる。この場合に、ユーザは、前述したインタフェース部１５０を介して画像通話を接続できる。上述したように、メガネ装置のめがねフレーム部位に備えられた画像通話接続／終了ボタン（図２６の２４０´参照）が一実施形態になることができる。ただし、本発明で多様な視覚的手段を動員して画像通話の遂行有無を問い合わせることができ、視覚的手段だけでなく、多様な認知手段が活用されることができる。
【０３９５】
以下、図２１、２３及び２５を参照して、本発明に係る画像通話方法について説明する。具体的な構成の動作については上述したので、ここでは、全体的な動作を概略的に記述する。
【０３９６】
何人かのユーザがメガネ装置２００を着用し互いに異なるコンテンツを視聴する途中に（Ｓ２１１０，Ｓ２３０５，Ｓ２５１０）画像通話要請がある場合（Ｓ２１２０−Ｙ，Ｓ２３１０−Ｙ，Ｓ２５２０−Ｙ）、これを受信する（Ｓ２１３０，Ｓ２３１５，Ｓ２５３０）。このとき、メガネ装置２００を着用しコンテンツを視聴するユーザは、画像通話要請に応答でき、ディスプレイ装置１００は、画像通話の遂行有無を問い合わせるためのメッセージをディスプレイできる（Ｓ２５４０）。応答の意志表示は、インタフェース部１５０を介して画像通話接続命令として入力されることができ（Ｓ２３１０−Ｙ）、ユーザに対する撮像映像を利用したモーション検知方式は、一実施形態になることができる（Ｓ２３３０）。インタフェース部１５０を介した画像通話接続命令入力またはそれに該当するモーションが検知された場合（Ｓ２３３０−Ｙ）、画像通話が始まる（Ｓ２３３５）。画像通話が始まると、複数のコンテンツのうちの何れか一つのコンテンツの映像フレームは、画像通話画面に代替される（Ｓ２１５０，Ｓ２３５５，Ｓ２５６０）。したがって、互いに異なるコンテンツを視聴していた他のユーザは、何らの妨害を受けないで引き続いて自身のコンテンツを視聴できる。ただし、一つのコンテンツを複数のユーザが視聴していた場合は、フレームレートを調節して、そのコンテンツと画像通話画面とを交互に配置してディスプレイする。一方、ユーザのモーションを検知して画像通話が始まった場合は、撮像部がモーションが検知された方向に撮像方向をシフトして適切な画像通話画面を構成できる（Ｓ２３４０）。画像通話がなされる場合に、コレスポンデントノードから受信した画像通話データ及び撮像部で撮像した撮像データを利用して画像通話画面を構成できる（Ｓ２３４５，Ｓ２３５０）。また、画像通話データに含まれる音声データを処理して、画像通話接続命令を送信したメガネ装置に送信できる（Ｓ２３６０）。画像通話が終了すると、本来のコンテンツをディスプレイし続ける（Ｓ２１６０−Ｙ，Ｓ２３６５−Ｙ，Ｓ２５７０−Ｙ）。
【０３９７】
以下、本実施形態にかかるメガネ装置２００について説明する。
【０３９８】
図２６は、本発明の多様な実施形態にかかるメガネ装置２００の構成を説明するためのブロック図である。特に、図２６のメガネ装置２００は、複数のコンテンツを映像フレーム単位で交互にディスプレイするディスプレイ装置１００と連動し、前述したメガネ装置２００において画像通話接続／終了ボタン２４０´をさらに備える。
【０３９９】
画像通話接続／終了ボタン２４０´は、画像通話を接続または終了させることができる構成である。ユーザは、画像電話が掛かってくると（すなわち、ディスプレイ装置において画像通話要請が受信されると、）、メガネ装置２００に位置する画像通話接続／終了ボタン２４０´を押さえて、ディスプレイ装置１００に画像通話接続命令を入力できる。また、画像通話を終了させるために、画像通話接続／終了ボタン２４０´を再び押さえて画像通話を終了させることができる。
【０４００】
前述したように、制御部２２０は、同期化信号に基づいて、第１シャッターガラス部２５０及び第２シャッターガラス部２６０を駆動させるための駆動信号が生成されるように、シャッターガラス駆動部２３０を制御する。複数のユーザが互いに異なるコンテンツを視聴する途中に画像通話接続がなされた場合は、既にディスプレイ装置１００で互いに異なるコンテンツが混合されてディスプレイされる状況であったため、別途の同期化過程は必要でない。しかし、マルチビュー状況でない場合、すなわち、同じコンテンツを視聴する途中に一名のユーザに画像通話接続がなされた場合に、前述したようにディスプレイ装置１００においてマルチビューに転換がなされるようになり、それによってディスプレイ装置１００と同期化が必要である。このとき、制御部は、ディスプレイ装置１００に送信された同期化信号に合せて、第１シャッターガラス部２５０と第２シャッターガラス部２６０とを駆動させる。しかしながら、画像通話が終了して再び同じコンテンツを視聴する状況に転換されると、制御部は、第１シャッターガラス部２５０と第２シャッターガラス部２６０との動作を中止させる。
【０４０１】
以下、図２７を参照して、コンテンツを交互にディスプレイするか、または混合してディスプレイする場合に適用できる偏光方式について記述する。
【０４０２】
前述したディスプレイ装置１００は、偏光部材１８０をさらに有することができる。偏光部材１８０は、映像を偏光させるために液晶層（図示せず）を具備できる。ディスプレイ装置１００は、互いに異なるレベルの駆動電圧を利用して、液晶層を水平ラインまたは垂直ライン別に制御し、ディスプレイ装置１００から放出されるコンテンツの映像を特定の方向に偏光させる。このとき、偏光されたコンテンツの映像は、交互に配置されてディスプレイされることができる。例えば、一つのコンテンツについて水平方向に偏光させてディスプレイし、続いて他のコンテンツに対して垂直方向に偏光させてディスプレイでき、このような過程を繰り返す。水平偏光レンズを有しているメガネ装置２００−３と垂直偏光レンズを有しているメガネ装置２００−４を介してそれぞれの映像を視聴できる。他の実施形態として、一つの映像フレームの互いに異なる領域に互いに異なるコンテンツの映像情報を含むことができる。この場合に、各領域を他の方向に偏光させてディスプレイでき、各々の偏光方向と一致するレンズを有しているメガネ装置を介して視聴が可能である。
【０４０３】
このとき、ディスプレイ装置１００を視聴するのに使用されるメガネ装置２００−３、２００−４は、視聴しようとするコンテンツの偏光方向と一致する偏光レンズを具備できる。これを通じて各メガネ装置は、偏光された映像のみを通過させるようになるので、ユーザは、所望のコンテンツのみを視聴できるようになる。各メガネ装置２００−３、２００−４は、ディスプレイ装置１００と別途の同期化作業が不必要なので、経済性が高く、同期化過程において生じるちらつき現象も減る効果がある。図２７は、水平方向と垂直方向に偏光されたコンテンツに関する映像フレームが交互にディスプレイされる場合に、各々に合う偏光レンズ付きメガネ装置２００−３、２００−４で映像を視聴する場合を示している。
【０４０４】
本システムが画像通話に利用される場合に、上記のように複数の偏光された映像のうちの何れか一つは、画像通話画面に代替できる。すなわち、ディスプレイ装置１００は、画像通話データを受信して交互にディスプレイしながら特定方向に偏光させるか、または混合してディスプレイしながら、画面（ディスプレイ部）の画像通話画面に該当する領域の映像を偏光させる。
【０４０５】
本発明は、前述した構成を含んで複数人が一つのディスプレイ装置１００を介して各自互いに異なるコンテンツを視聴でき、他人の視聴に影響を及ぼさずに画像通話をすることができるようになる。
【０４０６】
画像通話時に代替された映像フレームを格納する実施形態
以下、画像通話時に代替される映像フレームである画像通話前に視聴中であった映像コンテンツ）を格納し、画像通話が終わってからディスプレイできるシステム及び方法について説明する。
【０４０７】
図２８は、本発明の多様な実施形態にかかるディスプレイ装置１００の構成を示したブロック図で、図２９は、図２８のディスプレイ装置１００を利用した画像通話方法を示したフローチャートである。
【０４０８】
図２８をさらに参照すれば、本発明の多様な実施形態にかかるディスプレイ装置１００は、コンテンツを受信する受信部１１０と、受信されたコンテンツを信号処理する信号処理部１２０と、信号処理されたコンテンツをディスプレイする出力部１３０と、同期化信号を生成する同期化信号生成部１４０と、画像通話要請を処理する画像通話処理部１９０と、コンテンツの映像フレームを格納する格納部１８０と、ディスプレイ装置１００を制御する制御部１６０と、メガネ装置２００と通信するインタフェース部１５０とを備えることができる。
【０４０９】
受信部１１０、信号処理部１２０、出力部１３０、同期化信号生成部１４０、インタフェース部１５０、画像通話処理部１９０については上述したので、重複記載を避けるために省略する。
【０４１０】
以下、格納部１８０と本発明の多様な例による格納部１８０に画像通話画面に代替されたコンテンツの映像フレームを格納する実施形態を説明する。
【０４１１】
図３０は、本発明の多様な実施形態によってインタフェース部１５０及び画像通話処理部１９０をさらに具備しているディスプレイ装置１００のブロック図で、図３１は、図３０のディスプレイ装置１００を利用して画像通話を行う過程を示すフローチャートで、図３２は、コンテンツの映像フレームが画像通話画面に対する映像フレームに代替されることを示した概念図で、図３３は、画像通話が行われ終了した場合に視聴していたコンテンツのディスプレイが終了して、もうこれ以上視聴できなくなった状況を示す参考図であり、図３４は、格納部１８０に画像通話画面に代替されたコンテンツの映像フレームを格納することを示した概念図で、図３５は、画像通話の遂行有無を問い合わせるメッセージをディスプレイするステップを含む画像通話を行う過程を示すフローチャートである。
【０４１２】
格納部１８０は、コンテンツの映像フレームを格納する構成である。具体的に、画像通話が始まる場合、その時点からディスプレイが予定されていたが、画像通話画面に代替されてディスプレイされないコンテンツの映像フレームを格納する。前述したように、あるユーザがコンテンツを視聴する途中に画像通話が接続された場合、コンテンツの映像フレームは、画像通話画面に代替されるので、ユーザは、もうこれ以上コンテンツを視聴できなくなる。万が一、ディスプレイ装置１００がはじめからディスプレイ装置１００内に格納されたりディスプレイ装置１００に接続した各種の記録媒体再生装置からコンテンツを受信してディスプレイする場合であれば、画像通話が終了した後、視聴が中断されたコンテンツを視聴し続けるために、ただディスプレイ装置１００や記録媒体再生装置に格納されたコンテンツを再び受信してディスプレイすればよい。しかしながら、放送ネットワークやインターネットを利用してリアルタイムでコンテンツを受信する等、時間的または経済的にコンテンツを受信してディスプレイするのに制限が加えられる場合があることができる。また、このような時間的または物理的制限がない場合も、映画と共に連続するコンテンツの場合、画像通話を始めながら視聴を中止した時点から続いて視聴できなければならない。例えば、図３３に示すように、ユーザは、ドラマを視聴する途中にかわいい甥と画像通話することもあり、甥と画像通話する間に視聴していたドラマの重要なシーンを逃がすか、またはドラマが終わって広告が出てくる可能性もある。このとき、ドラマの放映時間が制約的な場合であれば、ユーザは、当分再視聴が不可能になることができ、再視聴は可能であるが、別途の費用を支払わなければならないこともある。そして、ドラマを再び受信して視聴できる場合も、視聴を中止した時点まで検索しなければならないという不便がある。本発明は、上記の通りに格納部１８０を介して画像通話が始まる場合、その時点からディスプレイが予定されていたが、画像通話画面に代替されてディスプレイされないコンテンツの映像フレームを格納する。そして、画像通話が終了すると、制御部１６０は、格納部１８０に格納された映像フレームと画像通話画面に代替されないコンテンツの映像フレームとを組み合わせてディスプレイするよう出力部１３０を制御する。したがって、ユーザは、コンテンツを視聴する途中に画像通話をするようになる場合にも、自身が視聴していたコンテンツを格納部１８０に格納しておいてから、画像通話が終了する時点に再び続いて視聴できるようになる。ここで、格納部１８０は、ディスプレイ装置１００内に存在したりディスプレイ装置１００に接続した各種の記録媒体再生装置でありうる。記録媒体再生装置とは、ＣＤ、ＤＶＤ、ハードディスク、ブルーレイディスク、メモリカード、ＵＳＢメモリなどのような多様な類型の記録媒体に格納されたコンテンツを再生できる装置のことを意味する。
【０４１３】
以下、本実施形態にかかる制御部１６０について説明する。以下で述べること以外は、制御部１６０に関する内容は、前述した実施形態と同一である。
【０４１４】
制御部１６０は、画像通話要請に応答して画像通話が接続されると、画像通話画面に代替されるコンテンツの映像フレームを格納するように格納部１８０を制御し、画像通話が終了すると、格納された映像フレームと画像通話画面に代替されないコンテンツの映像フレームとを組み合わせてディスプレイするよう出力部１３０を制御できる。一実施形態として、図３２は、一名のユーザは、映像フレーム１−１、映像フレーム１−２、映像フレーム１−３等からなる一つのコンテンツを視聴し、他のユーザは、映像フレーム２−１、映像フレーム２−２、映像フレーム２−３等からなる他のコンテンツを視聴する場合の映像データストリームを示している。前述したように、画像通話を始めたユーザが視聴するコンテンツの映像フレームは、画像通話画面を表すフレームである画像通話−１、画像通話−２、画像通話−３に代替される。このとき、制御部は、図３４に示すように、各画像通話画面を表すフレームである画像通話−１、画像通話−２、画像通話−３に代替された映像フレーム１−２，１−３，１−４．．．のコンテンツを格納するように格納部１８０を制御する。そして、画像通話が終了すると、格納部１８０に格納されたコンテンツの映像フレーム１−２，１−３，１−４．．．と画像通話画面に代替されない他のコンテンツの映像フレーム２−ｎ，２−（ｎ＋１），．．．を組み合わせてディスプレイするよう出力部１３０を制御できる。格納部１８０と出力部１３０との動作については、上述した通りである。
【０４１５】
以下、図２９、３１及び３４を参照して、本発明に係る画像通話方法について説明する。具体的な構成の動作については上述したので、ここでは、全体的な動作を概略的に記述する。
【０４１６】
何人かのユーザがメガネ装置２００を着用し互いに異なるコンテンツを視聴する途中に（Ｓ２９１０，Ｓ３１０５，Ｓ３５１０）画像通話要請がある場合（Ｓ２９２０−Ｙ，Ｓ３１１０−Ｙ，１１２０−Ｙ）に、これを受信する（Ｓ２９３０，Ｓ３１１５，Ｓ３５３０）。このとき、メガネ装置２００を着用しコンテンツを視聴するユーザは、画像通話要請に応答でき、ディスプレイ装置１００は、画像通話の遂行有無を問い合わせるためのメッセージをディスプレイできる（Ｓ３５４０）。応答の意志表示は、インタフェース部１５０を介して画像通話接続命令として入力されることができ、ユーザに対する撮像映像を利用したモーション検知方式は、一実施形態になることができる（Ｓ３１２０，Ｓ３１２５）。インタフェース部１５０を介した画像通話接続命令入力またはそれに該当するモーションが検知された場合（Ｓ３１３０−Ｙ）、画像通話が始まる（Ｓ３１３５）。画像通話が始まると、複数のコンテンツのうちの何れか一つのコンテンツの映像フレームは、画像通話画面に代替される（Ｓ２９５０，Ｓ３１５５，Ｓ３５６０）。したがって、互いに異なるコンテンツを視聴していた他のユーザは、何らの妨害を受けないで引続き自身のコンテンツを視聴できる。ただし、一つのコンテンツを複数のユーザが視聴していた場合は、フレームレートを調節してそのコンテンツと画像通話画面を交互に配置してディスプレイする。一方、ユーザのモーションを検知して画像通話が始まった場合は、撮像部がモーションが検知された方向に撮像方向をシフトして、適切な画像通話画面を構成できる（Ｓ３１４０）。画像通話がなされる場合にコレスポンデントノードから送信された画像通話データ及び撮像部で撮像した撮像データを利用して、画像通話画面を構成できる（Ｓ３１４５，Ｓ３１５０）。また、画像通話画面に代替されるコンテンツの映像フレームを格納部に格納する（Ｓ２９６０，Ｓ３１６０，Ｓ３５７０）。そして、画像通話データに含まれる音声データを処理して、画像通話接続命令を送信したメガネ装置に送信できる（Ｓ３１６５）。画像通話が終了すると（Ｓ２９７０−Ｙ，Ｓ３１７０−Ｙ，Ｓ３５８０−Ｙ）、格納された映像フレームと画像通話画面に代替されないコンテンツの映像フレームとを組み合わせてディスプレイする（Ｓ２９８０，Ｓ３１７５，Ｓ３５９０）。
【０４１７】
図３６は、本発明の多様な実施形態にかかるメガネ装置２００の構成を説明するためのブロック図である。特に、図３６のメガネ装置２００は、複数のコンテンツを映像フレーム単位で交互にディスプレイするディスプレイ装置１００と連動し、入力部２４０、制御部２２０、シャッターガラス駆動部２３０、通信インタフェース部２１０、第１シャッターガラス部２５０、及び第２シャッターガラス部２６０を備える。
【０４１８】
シャッターガラス駆動部２３０、通信インタフェース部２１０、第１シャッターガラス部２５０、第２シャッターガラス部２６０、及び制御部２２０については上述したので、重複記載を避けるために具体的な説明を省略する。
【０４１９】
入力部２４０は、画像通話を接続または終了させることができる構成である（図２参照）。ユーザは、画像電話が掛かってくると（すなわち、ディスプレイ装置で画像通話要請が受信されると、）、メガネ装置２００に位置する入力部２４０を介してディスプレイ装置１００に画像通話接続命令を入力できる。また、画像通話を終了させる場合も、入力部２４０を介して画像通話を終了させることができる。入力部２４０は、前述した実施形態のように画像通話接続／終了ボタン（図２６の２４０´）と同一であるか、またはこれに含まれる構成でもあってもよい。
【０４２０】
その他のメガネ装置２００に関する細部構成及び機能は、前述した実施形態に含まれるので、重複する説明は省略する。
【０４２１】
本発明は、前述した構成を含んで、ユーザは、コンテンツを視聴する途中に画像通話をするようになる場合にも、自身が視聴していたコンテンツを格納部１８０に格納しておいてから、画像通話が終了する時点に再び続いて視聴できるようになる。
【０４２２】
ディスプレイ装置がコンテンツビューの転換を制限する実施形態
以下、本発明の多様な実施形態によってディスプレイ装置１００がコンテンツビューの転換を制限するシステム及び方法を説明する。
【０４２３】
本実施形態にかかるディスプレイ装置１００は、図５に示すように、複数の受信部１１０−１，１１０−２，．．．，１１０−ｎ、複数の信号処理部１２０−１，１２０−２，．．．，１２０−ｎ、出力部１３０、同期化信号生成部１４０、インタフェース部１５０、及び制御部１６０を備える。
【０４２４】
受信部１１０−１，１１０−２，．．．，１１０−ｎ、複数の信号処理部１２０−１，１２０−２，．．．，１２０−ｎ、出力部１３０、同期化信号生成部１４０、インタフェース部１５０については上述したので、重複記載を避けるために具体的な説明は省略し、本実施形態にかかる制御部１６０の動作を説明する。
【０４２５】
制御部１６０は、ユーザ選択に応じてディスプレイ装置１００の動作モードを変更できる。ユーザは、一つのコンテンツを視聴するシングルビューモード（第１モード）、複数のコンテンツを視聴するマルチビューモード（第２モード）などのように、多様な動作モードのうちの何れか一つを選択できる。
【０４２６】
シングルビューモード（第１モード）では、２Ｄコンテンツや３Ｄコンテンツのような一つのコンテンツが出力されるが、マルチビューモード（第２モード）では、複数のコンテンツが上述したように組み合わせられて、複数のコンテンツビューとして提供される。マルチビューモード（第２モード）で一つのコンテンツビューに割り当てられたコンテンツ再生が終了し、次のコンテンツの再生が始まっても、コンテンツビューはそのまま維持される。
【０４２７】
二つのコンテンツが組み合わせられて出力される場合には、マルチビューモード（第２モード）は、デュアルビューモードと呼ばれることができる。制御部１６０は、シングルビューモード（第１モード）に応じて動作する途中にユーザがモード転換命令を入力すると、複数のコンテンツを組み合わせて出力するように出力部１３０を制御する。マルチビューモード（第２モード）に転換されると、制御部１６０は、同期化信号生成部１２０及びインタフェース部１３０を制御して、各コンテンツにマッピングされる各メガネ装置に同期化信号を送信する。
【０４２８】
一方、マルチビューモード（第２モード）下で複数のコンテンツビューのうちの何れか一つのコンテンツビューを視聴しているユーザは、コンテンツビューの転換動作を行うためのコンテンツビューの転換命令を入力できる。コンテンツビューの転換動作とは、複数のコンテンツの各々を視聴している複数の視聴者が視聴可能なコンテンツビューを転換する動作のことを意味する。
【０４２９】
例えば、ニュースプログラムを放送する放送チャネルが割り当てられたコンテンツビューと、スポーツプログラムが割り当てられたコンテンツビューとが組み合わせられて出力される途中にコンテンツビューの転換動作が行われると、ニュースプログラムを視聴していた第１ユーザは、スポーツプログラムを視聴するようになり、スポーツプログラムを視聴していた第２ユーザは、ニュースプログラムを視聴するようにコンテンツビューが転換される。
【０４３０】
または、コンテンツビューの転換動作は、コンテンツビューの転換命令を入力したユーザだけが他のコンテンツビューに転換されるようになされることができる。すなわち、上述した例において、第１ユーザがコンテンツビューの転換命令を入力したならば、第１ユーザは、スポーツプログラムを視聴することに転換され、第２ユーザは、本来の状態のままスポーツプログラムを視聴するようになる。
【０４３１】
コンテンツビューの転換命令は、ユーザが着用しているメガネ装置やリモコンから受信されるか、またはディスプレイ装置１００の本体に備えられたキーボタンを介して入力されることができる。
【０４３２】
制御部１６０は、コンテンツビューの転換命令が入力されると、コンテンツの種類及びユーザの設定状態に応じてコンテンツビューの転換動作を制限的に行う。
【０４３３】
具体的には、制御部１６０は、あらかじめ設定された種類のコンテンツが表示されるコンテンツビューに対しては、コンテンツビューの転換動作を制限し、残りのコンテンツが表示されるコンテンツビューに対しては、コンテンツビューの転換動作を許すことができる。コンテンツビューの転換動作が制限されるコンテンツには、未成年者の視聴が禁止される視聴制限等級の放送プログラムの画面、各種のゲームプログラムの実行画面、メッセンジャープログラムの実行画面、電子メール確認画面またはＳＮＳ画面などが挙げられる。メッセンジャー内容や電子メール、ＳＮＳメッセージ内容などは、個人プライバシーが侵害されるおそれがあるので、コンテンツビューの転換命令が入力されても、コンテンツビューの転換を禁止させる。また、複数のユーザが互いに競うゲームプログラムを実行しながら各々のゲーム画面が一つのディスプレイ装置１００で組み合わせられてディスプレイされている場合に、コンテンツビューの転換動作が行われると、他のユーザの戦略をこっそりと確認できるようになる。したがって、このような場合にも、コンテンツビューの転換を禁止させることができる。その他に、視聴制限等級の放送プログラムの画面の場合にも、未成年者などがこっそりと視聴するのを防止する目的で、コンテンツビューの転換を禁止させることができる。コンテンツビューの転換動作が制限されるコンテンツ種類に対した情報は、ディスプレイ装置１００内のメモリ（図示せず）にあらかじめ登録されたり、別途の外部ソースから提供されることができる。
【０４３４】
一方、他の実施形態によれば、制御部１６０は、ユーザの設定値に応じてコンテンツビューの転換動作を行うか、または禁止するかを判断できる。制御部１６０は、デュアルビューモードが開始される場合に、デュアルビューモード下で新しいコンテンツの出力がなされる場合、デュアルビューモード下で設定命令が入力される場合などに設定メニューをディスプレイするよう出力部１３０を制御する。出力部１３０は、制御部１６０の制御に応じて、コンテンツビューの転換を禁止するかどうかを設定するための設定メニューをディスプレイする。
【０４３５】
ユーザが設定メニュー上においてコンテンツビューの転換許容を設定した場合、以後にコンテンツビューの転換命令が入力されると、制御部１６０は、コンテンツビューの転換動作を行う。これに対し、ユーザが設定メニューを介してコンテンツビューの転換禁止を設定した場合、制御部１６０は、コンテンツビューの転換命令が入力されても、コンテンツビューの転換動作を制限する。
【０４３６】
図３７は、コンテンツビューの転換過程を説明するための図である。図３７によれば、マルチビューモード（第２モード）が開始されると、ディスプレイ装置１００は、複数のコンテンツが交互に配置されたマルチコンテンツフレームデータ１０をディスプレイする。各コンテンツに対応するメガネ装置２１０、２２０は、該当コンテンツのディスプレイタイミングに同期化されて駆動される。これにより、第１メガネ装置２１０を着用したユーザは、第１コンテンツＣ１が視聴でき、第２メガネ装置２２０を着用したユーザは、第２コンテンツＣ２が視聴できる。
【０４３７】
このような状態で第１メガネ装置２１０、第２メガネ装置２２０、またはリモコンのような別途の入力装置を介してコンテンツビューの転換命令が入力されると、ディスプレイ装置１００は、コンテンツＣ１、Ｃ２の配置順序を反転させて、第１メガネ装置２１０及び第２メガネ装置２２０において視聴可能なコンテンツを互いに転換する。
【０４３８】
図３７では、コンテンツの配置順序を転換させて各メガネ装置２１０、２２０において視聴可能なコンテンツを変更する方式を示したが、ディスプレイ装置１００は、同期化信号を変更してコンテンツビューの転換動作を行うこともできる。すなわち、制御部１６０は、コンテンツ配置順序はそのまま維持しながら第１メガネ装置２１０及び第２メガネ装置２２０に対応する同期化信号をそれぞれ変更するように同期化信号生成部１４０を制御して、第１メガネ装置２１０がＣ２のディスプレイタイミングに同期化され、第２メガネ装置２２０がＣ１のディスプレイタイミングに同期化されるようにする。
【０４３９】
一方、上述したように、コンテンツビューの転換動作は、場合によって制限されることができる。図３８は、コンテンツビューの転換動作が制限される状態を示す。
【０４４０】
図３８によれば、コンテンツの種類またはユーザの設定値に応じてコンテンツが制限される場合、制御部１６０は、コンテンツビューの転換命令が入力されてもコンテンツビューの転換動作を行わない
制御部１６０は、コンテンツビューの転換動作が制限される場合、これを通知するためのエラーメッセージ２０を表示するように出力部１３０を制御する。
【０４４１】
図３９は、本発明の他の実施形態にかかるディスプレイ装置の構成を示すブロック図である。図３９によれば、ディスプレイ装置１００は、出力部１３０、同期化信号生成部１４０、インタフェース部１３０、制御部１６０、及び入力部１５０を備える。
【０４４２】
入力部１５０は、コンテンツビューの転換禁止命令のようなユーザ命令を受け取る。このようなユーザ命令は、ディスプレイ装置１００の本体に備えられたボタンやリモコンなどを介して入力されることができる。
【０４４３】
制御部１６０は、マルチビューモード（第２モード）が開始されて出力部１３０で複数のコンテンツがディスプレイされている状態においてコンテンツビューの転換禁止命令が入力されると、現在ディスプレイされているコンテンツに対しては、コンテンツビューの転換命令が入力されても転換動作を制限する。
【０４４４】
また、入力部１５０は、コンテンツビューの転換禁止命令を解除するための解除命令も受け取ることができる。
【０４４５】
この場合、制御部１６０は、コンテンツビューの転換禁止命令が入力された時点から解除命令が入力される時点の間には、コンテンツビューの転換命令が入力されてもコンテンツビューの転換動作を制限する。
【０４４６】
以下、本発明の多様な実施形態にかかるメガネ装置２００について説明する。本実施形態にかかるメガネ装置２００は、前述した図９の構成を取ることができる。
【０４４７】
すなわち、メガネ装置２００は、複数のコンテンツを映像フレーム単位で交互にディスプレイするディスプレイ装置１００と連動し、通信インタフェース部２１０、制御部２２０、シャッターガラス駆動部２３０、第１シャッターガラス部２５０、第２シャッターガラス部２６０、及び入力部２４０を備える。
【０４４８】
通信インタフェース部２１０、シャッターガラス駆動部２３０、第１シャッターガラス部２５０、及び第２シャッターガラス部２６０については上述したので、ここでは、本実施形態にかかる制御部２２０及び入力部２４０のみを説明する。
【０４４９】
入力部２４０は、コンテンツビューの転換命令を受け取る。入力部２４０は、コンテンツビューの転換命令を受け取るためのボタンを有することができ、ボタンは、タッチセンサまたは操作ボタンなどにより具現化されることができる。
【０４５０】
制御部２１４は、入力部２４０を介して入力されたコンテンツビューの転換命令をディスプレイ装置１００に送信するようにインタフェース部２１６を制御する。ディスプレイ装置１００において上述した通りにコンテンツビューの転換が許される場合には、コンテンツビューの転換動作を行い、制限される場合には、コンテンツビューの転換動作を行わない。
【０４５１】
以下、本発明の一実施形態にかかるディスプレイ装置のコンテンツビューの転換方法について説明する。
【０４５２】
図３９は、本発明の一実施形態にかかるディスプレイ装置のコンテンツビューの転換方法を説明するためのフローチャートである。
【０４５３】
図３９によれば、マルチビューモード（第２モード）が開始されると、複数のコンテンツを受信した後に各々処理して、各コンテンツの映像フレームを複数のコンテンツビューとしてディスプレイする（Ｓ３９１０）。
【０４５４】
そして、各コンテンツビューと対応するメガネ装置を同期化させるための同期化信号を生成して（Ｓ３９２０）、各メガネ装置に送信する（Ｓ３９３０）。
【０４５５】
このような状態において、メガネ装置からコンテンツビューの転換命令が受信されると（Ｓ３９４０）、コンテンツビューの転換を許すかどうかを判断する（Ｓ３９５０）。ディスプレイ装置１００は、各コンテンツビューに対応するコンテンツの種類やユーザの設定状態などを考慮して、コンテンツビューの転換を許すかどうかを決定できる。たとえ未成年者の視聴が禁止される視聴制限等級の放送プログラムの画面、各種のゲームプログラムの実行画面、メッセンジャープログラムの実行画面、メール確認画面またはＳＮＳ画面などに対しては、コンテンツビューの転換が禁止されることができ、その他にユーザが転換禁止を設定しておいた場合にも、コンテンツビューの転換が禁止されることができる。
【０４５６】
ユーザの設定に応じて制限するかどうかが決定される場合、本方法は、コンテンツビューの転換を禁止するかどうかを設定するための設定メニューをディスプレイするステップをさらに含むことができる。そして、前記設定メニューを介してコンテンツビューの転換許容が設定された状態でコンテンツビューの転換命令が入力されると、前記コンテンツビューの転換動作を行うステップ、及び前記設定メニューを介してコンテンツビューの転換禁止が設定された状態で前記コンテンツビューの転換命令が入力されると、前記コンテンツビューの転換動作を制限するステップをさらに含むことができる。
【０４５７】
ディスプレイ装置１００は、判断結果、許容可能であれば、コンテンツビューの転換を行い（Ｓ３９６０）、制限されると、コンテンツビューの転換を禁止する（Ｓ３９７０）。この場合、コンテンツビューの転換命令に対して何らのフィードバックも提供しなくてもよいが、音声または視覚的なエラーメッセージを介してコンテンツビューの転換が制限された事実を知らせることができる。
【０４５８】
図４０は、本発明の他の実施形態にかかるディスプレイ装置のコンテンツビューの転換方法を説明するためのフローチャートである。
【０４５９】
図４０によれば、マルチビューモード（第２モード）が開始されると、複数のコンテンツを受信した後に各々処理して各コンテンツの映像フレームを複数のコンテンツビューとしてディスプレイする（Ｓ４０１０）。
【０４６０】
そして、各コンテンツビューと対応するメガネ装置を同期化させるための同期化信号を生成して（Ｓ４０２０）、各メガネ装置に送信する（Ｓ４０３０）。
【０４６１】
このような状態でコンテンツビューの転換禁止命令が受信されると（Ｓ４０４０）、この後にコンテンツビューの転換命令が受信されても、エラーメッセージを表示し（Ｓ４０６０）、コンテンツビューの転換動作を行わないことに対し、コンテンツビューの転換禁止命令が受信されない場合には、コンテンツビューの転換命令が受信されると（Ｓ４０７０）、コンテンツビューの転換を行う（Ｓ４０８０）。一方、解除命令が入力されると、コンテンツビューの転換禁止命令が解除され、制限無しでコンテンツビューの転換がなされることができる。すなわち、コンテンツビューの転換は、コンテンツビューの転換禁止命令が入力された時点から解除命令が入力される時点まで制限されることができる。
【０４６２】
以上のように、ディスプレイ装置１００は、ユーザの便宜によってコンテンツビューを転換して、視聴するコンテンツビューの転換機能を提供し、かつ場合によってまたはユーザの要請に応じてコンテンツビューの転換機能を制限することができる。結果的に、ユーザがコンテンツビューの転換機能を悪用することを防止できる。
【０４６３】
一方、上述した本発明の多様な実施形態にかかる方法を行うためのプログラムは、多様な類型の記録媒体に格納されて用いられることができる。
【０４６４】
具体的には、このようなプログラムは、ＲＡＭ（ＲＡｎｄｏｍ  Ａｃｃｅｓｓ  Ｍｅｍｏｒｙ）、フラッシュメモリ、ＲＯＭ（ＲｅＡｄ  Ｏｎｌｙ  Ｍｅｍｏｒｙ）、ＥＰＲＯＭ（ＥｒＡｓＡＢｌｅ  ＰｒｏｇｒＡｍｍＡＢｌｅ  ＲＯＭ）、ＥＥＰＲＯＭ（ＥｌｅｃｔｒｏｎｉｃＡｌｌｙ  ＥｒＡｓＡＢｌｅＡｎｄ  ＰｒｏｇｒＡｍｍＡＢｌｅ  ＲＯＭ）、レジスタ、ハードディスク、リムーバブルディスク、メモリカード、ＵＳＢメモリ、ＣＤ−ＲＯＭなどのように、端末機で読み取り可能な多様な類型の記録媒体に格納されて提供されることができる。
【０４６５】
ユーザ信号の方向性に応じて対応するメガネ装置をペアリングする実施形態
以下、ユーザ信号の方向性に応じて対応するメガネ装置をペアリングして、コンテンツをディスプレイするシステム及び方法を説明する。
【０４６６】
図４１は、本発明の一実施形態にかかるディスプレイ装置のシングルビューモード（第１モード）が概略的に示す図であり、図４２は、本発明の一実施形態にかかるディスプレイ装置のマルチビューモード（第２モード）が概略的に示す図である。
【０４６７】
ディスプレイ装置１００は、単一のコンテンツをディスプレイするシングルビューモード（第１モード）と、複数のコンテンツを交互にディスプレイするマルチビューモード（第２モード）で動作できる。
【０４６８】
図４１に示すように、複数のユーザは、各々メガネ装置２１０、２２０を着用しコンテンツ１を視聴することができる。もちろん、シングルビューモード（第１モード）では、メガネ装置無しで視聴できることはもちろんである。
【０４６９】
図４２に示すように、複数のユーザは、各々メガネ装置２１０、２２０を着用した状態でマルチビューモード（第２モード）視聴（コンテンツ１、コンテンツ２）が可能である。
【０４７０】
リモコン３００には、ユーザのタッチに反応するタッチパッド３１０が備えられている。
【０４７１】
メガネ装置２１０、２２０は、ディスプレイ装置１００においてメガネ装置２１０、２２０の位置を検知できるように、それぞれ発光素子４００が設けられている。本実施形態では、位置検知に発光素子４００が利用されると、述べられているが、これは、ディスプレイ装置１００においてメガネ装置２１０、２２０の位置を検知できるものであればよい。
【０４７２】
発光素子４００は、ＩＲ  ＬＥＤが利用されることができる。
【０４７３】
本実施形態のディスプレイ装置１００は、リモコン３００から方向性を有するユーザ信号が受信されると、モード転換を行う。具体的には、シングルビューモード（第１モード）で動作中である状態でユーザ信号が受信されると、ユーザ信号を入力したユーザのメガネ装置が現在ディスプレイされているコンテンツをそのまま視聴し、他のユーザのメガネ装置では、他のコンテンツを視聴するように現在コンテンツ及び他のコンテンツを組み合わせてディスプレイするマルチビューモード（第２モード）に転換できる。
【０４７４】
例えば、左側のユーザがコンテンツ１をマルチビューモード（第２モード）で視聴しようとする場合、左側のユーザは、リモコン３００のタッチパッド３１０をタッチして、左側方向にドラッグまたはフリップできる。リモコン３００は、ユーザがドラッグまたはフリップした方向を知らせるためのリモコン信号を生成して、ディスプレイ装置１００に送信できる。
【０４７５】
ディスプレイ装置１００は、リモコン信号が検知されると、該当リモコン信号に含まれた方向性に基づいて、複数のメガネ装置２１０、２２０のうちの何れか一つのメガネ装置のユーザがリモコンを操作したかどうかを判断する。ディスプレイ装置１００は、各メガネ装置の位置とリモコン信号に含まれたタッチ方向とを比較して、リモコンを操作したユーザのメガネ装置を認識できる。一例として、上述したように各メガネ装置２１０、２２０にＩＲ  ＬＥＤのような発光素子が設けられ、該当発光素子のカラーが互いに異なると、ディスプレイ装置１００は、ディスプレイ装置１００の前方を撮像した撮像イメージ上に表示された発光素子カラーを利用して、各メガネ装置の位置を確認することができる。
【０４７６】
ディスプレイ装置１００は、左側に位置したユーザのメガネ装置２１０を認識すると、認識されたメガネ装置２１０が現在ディスプレイされているコンテンツ、すなわち、コンテンツ１をそのまま視聴できるように制御し、残りのユーザに対しては、他のコンテンツ、すなわち、コンテンツ２を視聴するようにするか、またはコンテンツ視聴ができないように処理する。コンテンツ２は、コンテンツ１の次のチャネルで受信される放送プログラムのように、任意に決定されることができる。
【０４７７】
このように、ディスプレイ装置１００は、ユーザのリモコン操作に応じてシングルビューモード（第１モード）からマルチビューモード（第２モード）に転換される。したがって、ユーザは、特定コンテンツに対して自分だけが視聴しようとする場合、簡単なタッチ操作だけでマルチビューモード（第２モード）に転換して、他のユーザに特定コンテンツが露出するのを防止できる。
【０４７８】
図４３は、本発明の一実施形態にかかるディスプレイ装置の構成を説明するためのブロック図である。図４３によれば、ディスプレイ装置１００は、複数の受信部１１０−１，１１０−２，．．．，１１０−ｎ、複数の信号処理部１２０−１，１２０−２，．．．，１２０−ｎ、出力部１３０、撮像部１８０´、検知部１７０´、制御部１６０、インタフェース部１５０、同期化信号生成部１４０を備える。
【０４７９】
受信部１１０、信号処理部１２０、出力部１３０、制御部１６０、インタフェース部１５０、同期化信号生成部１４０、撮像部１８０´については、下記の説明の他には、前述した構成と似た機能を行うので、重複する説明は省略する。
【０４８０】
インタフェース部１５０は、リモコン３００から方向性を有するユーザ信号を受け取る。
【０４８１】
撮像部１８０´は、メガネ装置２１０、２２０を含んだユーザに対する撮像作業を行う。撮像部１８０´は、ディスプレイ装置１００の一側に付着されてディスプレイ装置１００の前方を撮像できる。これにより、撮像部１８０´で撮像されたイメージには、ディスプレイ装置１００を視聴中である全体ユーザのメガネ装置が表示されることができる。撮像部１８０´は、前述した実施形態の撮像部に含まれるか、またはこのような機能を共に行うことができる。
【０４８２】
検知部１７０´は、撮像部１８０´で撮像された撮像イメージを利用して、方向性に対応するメガネ装置２１０、２２０を検知する。
【０４８３】
一例として、検知部１７０´は、撮像部１８０´で撮像されたイメージに含まれた複数のメガネ装置２１０、２２０に付着された発光素子４００のカラーを認識して、タッチ操作方向に位置するメガネ装置がどんなメガネ装置であるかを検知できる。
【０４８４】
他の例として、発光素子がメガネ装置２１０、２２０に付着されない場合には、検知部１７０´は、各メガネ装置２１０、２２０の形状、カラー、またはメガネ装置２１０、２２０に付着された特定マークなどを認識してメガネ装置を識別することができる。
【０４８５】
検知部１７０´は、検知結果を制御部１６０に提供する。
【０４８６】
制御部１６０は、ユーザ信号が入力されると、ユーザ信号を入力したメガネ装置を検知するように検知部１７０´を制御する。これにより、上述した通り一つのメガネ装置が検知されると、制御部１６０は、検知されたメガネ装置２１０、２２０で特定コンテンツが視聴できるようにマルチビューモード（第２モード）に転換する。
【０４８７】
具体的には、制御部１６０は、非活性化状態であった他受信部を活性化させ、他のコンテンツを受信するように制御する。そして、各受信部１１０−１，１１０−２，．．．，１１０−ｎで受信された各コンテンツを信号処理して、複数のコンテンツビューとしてディスプレイするよう信号処理部１２０−１，１２０−２，．．．，１２０−ｎ及び出力部１３０を制御する。制御部１６０は、複数のコンテンツビューの中でこれまでディスプレイしていたコンテンツに該当するコンテンツビューと、ユーザ信号を入力したと認識されたユーザのメガネ装置を同期化させる同期化信号を生成して、該当メガネ装置に送信するようにインタフェース部１５０を制御する。そして、残りのコンテンツビューに対しては、残りのメガネ装置を同期化させるための同期化信号を生成して、各メガネ装置に送信するように同期化信号生成部１４０及びインタフェース部１５０を制御する。残りのコンテンツビューに表示されるコンテンツは、任意に選択できる。
【０４８８】
同期化信号生成部１４０は、マルチビューモード（第２モード）に転換される場合、複数のコンテンツのうち、コンテンツの出力タイミングに検知されたメガネ装置２１０、２２０を同期化させ、複数のコンテンツのうち、他のコンテンツの出力タイミングに他のメガネ装置２１０、２２０を同期化させるための同期化信号を出力する。
【０４８９】
一方、上述した実施形態では、ディスプレイ装置１００がコンテンツのディスプレイタイミングに対応する同期化信号を各々生成して、メガネ装置２１０、２２０に送信すると、説明したが、これは一例にすぎない。
【０４９０】
図４４は、本発明の一実施形態にかかるマルチビュー転換方法を説明するためのフローチャートである。
【０４９１】
まず、コンテンツをディスプレイする（Ｓ４４１０）。本実施形態では、例示的に単一のコンテンツ（コンテンツ１）をディスプレイするシングルビューモード（第１モード）をディスプレイすることとする。
【０４９２】
以後、リモコン３００から方向性を有するユーザ信号を受け取る（Ｓ４４２０）。リモコン３００は、タッチパッド３１０を備えたリモコン３００であり、ユーザ信号は、タッチパッド３１０上において一方向へ移動するユーザタッチ操作信号でありうる。本実施形態では、例示的に、左側へ移動すると、説明する。
【０４９３】
ユーザ信号が入力されると、撮像作業を行う（Ｓ４４３０）。撮像作業は、ディスプレイ装置１００に付着されたカメラによりディスプレイ装置１００の前方に対して行われることができる。
【０４９４】
撮像作業後、撮像されたイメージ内に含まれた複数のメガネ装置２１０、２２０の中で方向性に対応するメガネ装置２１０を検知する（Ｓ４４４０）。図４１及び図４２では、例示的に左側のメガネ装置２１０を方向性に対応するメガネ装置２１０にした。メガネ装置２１０を検知するステップは、撮像されたイメージに含まれた複数のメガネ装置２１０、２２０に付着された発光素子４００の位置を認識して、複数のメガネ装置２１０、２２０のうち、方向性に対応するメガネ装置２１０を検知する。
【０４９５】
この後、コンテンツ（コンテンツ１）が検知されたメガネ装置２１０において視聴できるようにマルチビューモード（第２モード）に転換する（Ｓ４４５０）。マルチビューモード（第２モード）の転換は、コンテンツ（コンテンツ１）を受信する受信部の他に少なくとも一つの他受信部を利用して新規コンテンツ（コンテンツ２）を受信して、コンテンツ（コンテンツ１）及び新規コンテンツ（コンテンツ２）を組み合わせてディスプレイすることにより行われる。マルチビューモード（第２モード）の転換は、複数のコンテンツのうち、コンテンツ（コンテンツ１）の出力タイミングに検知されたメガネ装置２１０を同期化させ、複数のコンテンツのうち、他のコンテンツ（コンテンツ２）の出力タイミングに他のメガネ装置２２０を同期化させるための同期化信号を出力することを含む。
【０４９６】
一方、マルチビューモード（第２モード）で視聴する途中に、ユーザがあらかじめ設定されたタッチパターンをリモコン３００のタッチパッド３１０を介して入力すると、リモコン３００は、マルチビューモード（第２モード）を終了しシングルビューモード（第１モード）に転換するためのリモコン信号をディスプレイ装置１００に送信することもできる。ここで、あらかじめ設定されたタッチパターンとは、マルチビューモード（第２モード）で動作するためにタッチしたパターンと同じパターンであってもよく、反対方向を示すパターンであってもよく、その他、特定形態のパターンであってもよい。
【０４９７】
これにより、ユーザは、リモコンに付着されたタッチパッドを利用して簡単にシングルビューモード（第１モード）及びマルチビューモード（第２モード）間の転換を行うことができる。
【０４９８】
一方、上述した本発明の多様な実施形態にかかる方法を行うためのプログラムは、多様な類型の記録媒体に格納されて使用されることができる。
【０４９９】
具体的には、上述した方法を行うためのコードは、ＲＡＭ、フラッシュメモリ、ＲＯＭ、ＥＰＲＯＭ、ＥＥＰＲＯＭ、レジスタ、ハードディスク、リムーバブルディスク、メモリカード、ＵＳＢメモリ、ＣＤ−ＲＯＭなどのように、端末機で読み取り可能な多様な類型の記録媒体に格納されていることができる。
【０５００】
同期化信号にマルチビューモード（第２モード）情報を記録して送信する実施形態
以下、本発明の多様な実施形態にかかる前記同期化信号にマルチビューモード（第２モード）情報を記録して送信するシステム及び方法について説明する。
【０５０１】
本発明の多様な実施形態にかかるディスプレイ装置１００は、複数の受信部１１０−１，１１０−２，．．．，１１０−ｎ、複数の信号処理部１２０−１，１２０−２，．．．，１２０−ｎ、出力部１３０、同期化信号生成部１４０、インタフェース部１５０、制御部１６０、入力部１７０´´を含む。
【０５０２】
複数の受信部１１０−１，１１０−２，．．．，１１０−ｎ、複数の信号処理部１２０−１，１２０−２，．．．，１２０−ｎ、出力部１３０、同期化信号生成部１４０、インタフェース部１５０、及び制御部１６０は、下記で説明する内容の他には、各々に対応する上述した構成の機能を行うことができる。
【０５０３】
入力部１７０´´は、マルチビュー視聴命令を受け取る。マルチビュー視聴命令とは、ディスプレイ装置が複数のユーザに互いに異なるコンテンツを提供するために、複数のコンテンツを映像フレーム単位で交互にディスプレイさせるユーザ命令を意味する。
【０５０４】
このために、入力部１７０´´は、タッチパッド、キーボタン、キーパッドなどにより具現化されたり、リモコンのような遠隔制御装置（図示せず）から入力されるユーザ命令を受信するように具現化されることができる。また、入力部１７０´´は、マルチビュー視聴命令の他にも、チャネル選局命令、ボリウム調節命令などディスプレイ装置１００の制御のための多様なユーザ命令を受け取ることができる。
【０５０５】
制御部１６０は、マルチビュー視聴命令が入力されると、同期化信号にマルチビューモード（第２モード）情報を記録して送信するようにインタフェース部１５０を制御できる。ここで、マルチビューモード（第２モード）情報は、マルチビューモード（第２モード）の開始事実を通知するための情報を含む。メガネ装置は、受信された同期化信号にマルチビューモード（第２モード）情報が含まれているかどうかに応じて、ディスプレイ装置１００がマルチビューモード（第２モード）に応じて動作しているかどうかを判断して、シャッターガラス部のオープン／オフ動作を制御するようになる。
【０５０６】
制御部１６０は、少なくとも一つのメガネ装置との間で定義された通信プロトコルに応じて同期化信号を生成し、同期化信号内のリザーブ領域にマルチビューモード（第２モード）情報を記録する。すなわち、制御部１６０は、インタフェース部１５０が行う無線通信方式に従って、マルチビューモード（第２モード）情報が記録された同期化信号を生成し、同期化信号をメガネ装置に送信するように、後述するインタフェース部１５０を制御できる。
【０５０７】
インタフェース部１５０は、ディスプレイ装置１００と連動する少なくとも一つのメガネ装置に同期化信号を送信する。この場合、インタフェース部１５０は、多様な無線通信方式に従って同期化信号を処理してメガネ装置に送信できる。
【０５０８】
例えば、インタフェース部１５０は、ブルートゥース通信モジュールを具備してメガネ装置と通信を行う場合、制御部１６０は、同期化信号をブルートゥース通信方式に従う送信パケットとして生成してメガネ装置に送信するように、インタフェース部１５０を制御できる。以下、添付された図４６を参照して、ブルートゥース通信方式に従って生成された送信パケットをさらに詳細に説明する。
【０５０９】
図４６は、本発明の一実施形態にかかるブルートゥース通信方式に従って生成された送信パケットの構造を示す図である。
【０５１０】
図４６に示すように、送信パケットは、コンテンツのディスプレイタイミングに同期化されて、メガネ装置のシャッターガラスをオープン／オフさせるための時間情報を含む。具体的に、時間情報は、メガネ装置の左眼シャッターガラスをオープンさせるオフセット時間（ｌｅｆｔ  ｓｈｕｔｔｅｒ  ｏｐｅｎ  ｏｆｆｓｅｔ）、左眼シャッターガラスをオフさせるオフセット時間（ｌｅｆｔ  ｓｈｕｔｔｅｒ  ｃｌｏｓｅ  ｏｆｆｓｅｔ）、右眼シャッターガラスをオープンさせるオフセット時間（ｒｉｇｈｔ  ｓｈｕｔｔｅｒ  ｏｐｅｎ  ｏｆｆｓｅｔ）、右眼シャッターガラスをオフさせるオフセット時間（ｒｉｇｈｔ  ｓｈｕｔｔｅｒ  ｃｌｏｓｅ  ｏｆｆｓｅｔ）に対する情報を含み、これらは、２バイトのパケットからなる。
【０５１１】
ここで、時間情報は、マルチビューモード（第２モード）で複数のコンテンツのうちの何れか一つのコンテンツのディスプレイタイミングに応じてメガネ装置のシャッターガラスをオープン／オフさせるための時間情報を意味する。そして、一般モードにおける時間情報は、３Ｄコンテンツの左眼映像フレーム及び右眼映像フレームのディスプレイタイミングに応じて、メガネ装置のシャッターガラスをオープン／オフさせるための時間情報を意味する。
【０５１２】
一方、オフセット時間は、コンテンツごとに設定された基準時点からシャッターガラスのオープンまたはオフ時点までの遅延情報である。すなわち、メガネ装置は、基準時点からオフセット時間が経過したとき、左眼シャッターガラス及び右眼シャッターガラスをオープン／オフさせる。例えば、基準時点は、映像フレームにおいて垂直同期信号（すなわち、フレームシンク）が発生する時点であり、基準時点に対する情報は、送信パケットに含まれることができる。また、ディスプレイ装置１００において使用されるクロック信号に対する情報も送信パケットに含まれることができる。
【０５１３】
すなわち、図４６に示すように、基準時点に対する情報及びクロック信号に対する情報は、送信パケット内で４バイトのＢＴ（Ｂｌｕｅｔｏｏｔｈ（登録商標））クロックパケット及び２バイトのＢＴクロック位相パケットに含まれる。これにより、メガネ装置は、送信パケットを受信すれば、ＢＴクロックパケット及びＢＴクロック位相パケットを利用してディスプレイ装置１００のクロック信号に自身のクロック信号を同期化し、クロック信号を利用して垂直同期信号が発生する時点からオフセット時間が到達したかどうかを判断して、シャッターガラスをオープン／オフさせることができる。
【０５１４】
一方、４バイトのＢＴクロックパケット内で基準時点情報及びクロック信号情報を含むＢＴクロックは、２８ビットからなり、残りの４ビットは、リザーブ（ｒｅｓｅｒｖｅｄ）領域になることができる。制御部１６０は、ＢＴクロックパケット内のリザーブ領域にマルチビューモード（第２モード）情報を記録する。例えば、ディスプレイ装置１００において一つの３Ｄコンテンツを提供すると、制御部１６０は、リザーブ領域内に「０」を記録し（一般モード）、複数のコンテンツを交互にディスプレイすると、マルチビューモード（第２モード）情報としてリザーブ領域内に「１」を記録できる（マルチビューモード（第２モード））。メガネ装置は、リザーブ領域内に記録された情報を確認し、ディスプレイ装置１００の動作モードを判断し、各モードに対応する動作を行う。具体的に、メガネ装置は、リザーブ領域内に「１」が記録されていると、時間情報に基づいて左眼シャッターガラス及び右眼シャッターガラスを同時にオープン／オフさせ、リザーブ領域内に「０」が記録されていると、時間情報に基づいて左眼シャッターガラス及び右眼シャッターガラスを交互にオープン／オフさせる。
【０５１５】
その他にも、送信パケットは、フレームシンクの周期に対する情報を含む２バイトのパケット、フレームシンクの周期が小数点を有するとき、小数点情報を表記するための１バイトのパケット（ｆｒＡｍｅ  ｓｙｎｃ  ｆｒＡｃｔｉｏｎ）、ユーザが現在視聴している３Ｄコンテンツの残りの再生時間に対する情報を含む１バイトのパケットＴｒｅｍ及びメガネ装置のオープン度に対する情報を含む１バイトのパケットＴｄｉｓなどを含むことができる。
【０５１６】
一方、インタフェース部１５０は、メガネ装置とブルートゥースアドレス（Ｂｌｕｅｔｏｏｔｈ  ｄｅｖｉｃｅ  Ａｄｄｒｅｓｓ）及びＰＩＮコードなどを送受信して、ブルートゥース通信方式に従うペアリング（ｐＡｉｒｉｎｇ）を行う。ペアリングが完了すると、インタフェース部１５０は、ペイリングを介して獲得した情報に基づいて、複数のコンテンツのうちの何れか一つのコンテンツに対応する同期化信号をメガネ装置に送信できる。
【０５１７】
また、複数のメガネ装置とペアリングが完了した場合、インタフェース部１５０は、ペイリングを介して獲得した情報に基づいて同一または互いに異なる同期化信号を互いに異なるメガネ装置に送信できる。また、インタフェース部１５０は、一部のメガネ装置に同じ同期化信号を送信することもできる。例えば、インタフェース部１５０は、第１メガネ装置にコンテンツ１に対応する同期化信号、第２メガネ装置には、コンテンツ２に対応する同期化信号、第３メガネ装置にコンテンツ１に対応する同期化信号を送信できる。
【０５１８】
たとえ、上述した実施形態では、インタフェース部１５０とメガネ装置とがブルートゥース通信方式に従って通信を行うと説明したが、これは一例にすぎない。すなわち、ブルートゥース方式以外に赤外線通信、ジグビーなどの通信方式を利用でき、その他の近距離で通信チャネルを形成して信号を送受信できる多様な無線通信方式に従って通信を行うことができることはもちろんである。
【０５１９】
また、上述した実施形態では、近距離で通信チャネルを形成して信号を送受信できる多様な無線通信方式に従って、ディスプレイ装置とメガネ装置とが通信を行うと説明したが、これは一例にすぎない。すなわち、ディスプレイ装置は、互いに異なる周波数を有するＩＲ同期化信号をメガネ装置に提供し、メガネ装置は、特定周波数を有する同期化信号を受信して、対応するコンテンツのディスプレイタイミングに応じてシャッターガラスをオープンまたはオフさせることができることはもちろんである。
【０５２０】
一方、上述した実施形態では、ディスプレイ装置１００がコンテンツのディスプレイタイミングに対応する同期化信号を各々生成して、メガネ装置２００に送信すると、説明したが、これは一例にすぎない。
【０５２１】
すなわち、制御部１６０は、各コンテンツのディスプレイタイミングに対応する同期化信号をブルートゥース通信規格に従う一つの送信パケットとして生成するように、インタフェース部１５０を制御することができる。すなわち、インタフェース部１５０は、第１コンテンツのディスプレイタイミングに同期化されて、メガネ装置のシャッターガラスをオープン／オフさせるための時間情報、第２コンテンツのディスプレイタイミングに同期化されてメガネ装置のシャッターガラスをオープン／オフさせるための時間情報，．．．，第ｎコンテンツのディスプレイタイミングに同期化されてメガネ装置のシャッターガラスをオープン／オフさせるための時間情報をすべて含む一つの送信パケットを生成できる。
【０５２２】
この場合、インタフェース部１５０は、各コンテンツのディスプレイタイミングにメガネ装置に対する情報をマッチングさせて、送信パケットを生成できる。例えば、インタフェース部１５０は、コンテンツの映像フレームが配列された順序に応じて、各コンテンツごとに互いに異なるメガネ装置に対する情報をマッチングさせることができる。すなわち、マルチビューモード（第２モード）で２個のコンテンツが提供される場合、第1番目、第３番目，．．．，第ｎ番目に配置されたコンテンツの映像フレームは、第１メガネ装置に対する情報をマッチングさせ、第２番目、第４番目，．．．，第ｎ＋１番目に配置されたコンテンツの映像フレームは、第２メガネ装置に対する情報をマッチングさせることができる（ここで、ｎは奇数）。そして、インタフェース部１５０は、複数のコンテンツの各々に対する同期化信号を含むように、生成された送信パケットをメガネ装置に送信できる。メガネ装置は、複数のコンテンツの各々に対する同期化信号のうち、自身のメガネ装置情報を含む同期化信号を利用して、シャッターガラスをオープン／オフさせることができる。
【０５２３】
図４７は、本発明の一実施形態にかかるメガネ装置の構成を説明するためのブロック図である。図４７に示すように、メガネ装置２００は、通信インタフェース部２１０、制御部２２０、シャッターガラス駆動部２３０、第１シャッターガラス部２５０及び第２シャッターガラス部２６０を備える。
【０５２４】
前記構成要素について下記に説明する内容の他には、各々に対応する上述した構成要素の機能を行うことができるので、重複する内容は省略する。
【０５２５】
通信インタフェース部２１０は、ディスプレイ装置から同期化信号を受信する。具体的に、通信インタフェース部２１０は、多様な無線通信方式に従ってディスプレイ装置と通信を行い、同期化信号を受信することができる。例えば、通信インタフェース部２１０は、ブルートゥース通信モジュールを具備してディスプレイ装置とブルートゥース通信方式に従う通信を行うことができる。
【０５２６】
上述したように、同期化信号は、ブルートゥース通信方式に従う送信パケットの形態で受信されることができ、コンテンツのディスプレイタイミングに同期化されて、メガネ装置２００の第１シャッターガラス部２５０及び第２シャッターガラス部２６０をオープン／オフさせるための時間情報を含むことができる。送信パケットに含まれた情報については、図４６と共に上述したことがあるので、重複する説明は省略する。
【０５２７】
制御部２２０は、メガネ装置２００の全般に対する動作を制御する。特に、制御部２２０は、通信インタフェース部２１０で受信された同期化信号をシャッターガラス駆動部２３０に伝達して、シャッターガラス駆動部２３０の動作を制御する。
【０５２８】
具体的に、制御部２２０は、同期化信号にマルチビューモード（第２モード）情報が含まれていると、マルチビューモード（第２モード）情報に応じて第１シャッターガラス部２５０及び第２シャッターガラス部２６０のオープンタイミングを調整するように、シャッターガラス駆動部２３０を制御する。
【０５２９】
例えば、制御部２２０は、ブルートゥース通信方式に従って同期化信号が送信パケットの形態で受信された場合、送信パケット内のリザーブ領域にマルチビューモード（第２モード）情報が含まれているかどうかを確認し、マルチビューモード（第２モード）の情報を含んでいるかどうかによって、第１シャッターガラス部２５０及び第２シャッターガラス部２６０を駆動させるための駆動信号が生成されるように、シャッターガラス駆動部２３０を制御する。
【０５３０】
具体的に、制御部２２０は、ディスプレイ装置で３Ｄコンテンツがディスプレイされると、第１シャッターガラス部２５０及び第２シャッターガラス部２６０を交互にオープンさせ、マルチビューモード（第２モード）情報が含まれた同期化信号が受信されると、ディスプレイ装置においてディスプレイされる複数のコンテンツのうち、メガネ装置２００に対応するコンテンツのディスプレイタイミングに応じて、第１シャッターガラス部２５０及び第２シャッターガラス部２６０をオープンさせる。
【０５３１】
すなわち、制御部２２０は、同期化信号にマルチビューモード（第２モード）情報が含まれないと判断されると、同期化信号に含まれた時間情報に基づいて第１シャッターガラス部２５０及び第２シャッターガラス部２６０を交互にオープン／オフさせるための駆動信号が生成されるように、シャッターガラス駆動部２３０を制御する。これにより、第１シャッターガラス部２５０及び第２シャッターガラス部２６０は、３Ｄコンテンツの左眼映像フレーム及び右眼映像フレームのディスプレイタイミングに同期化されてオープン／オフさｓれることができる。
【０５３２】
そして、制御部２２０は、同期化信号にマルチビューモード（第２モード）情報が含まれたと判断されると、同期化信号に含まれた時間情報に基づいて第１シャッターガラス部２５０及び第２シャッターガラス部２６０ともをオープン／オフさせるための駆動信号が生成されるように、シャッターガラス駆動部２３０を制御する。これにより、第１シャッターガラス部２５０及び第２シャッターガラス部２６０は、複数のコンテンツのうちの何れか一つのコンテンツに対する映像フレームがディスプレイされる時にオープンされることができる。
【０５３３】
一方、上述した実施形態では、ディスプレイ装置１００がコンテンツのディスプレイタイミングに対応する同期化信号を各々生成して、メガネ装置２００に送信すると、説明したが、これは一例にすぎない。すなわち、ディスプレイ装置１００は、各コンテンツのディスプレイタイミングに対応する同期化信号をブルートゥース通信規格に従う一つの送信パケットとして生成して、メガネ装置に送信できる。
【０５３４】
図４８は、本発明の一実施形態にかかるディスプレイ装置のマルチビューディスプレイ方法を説明するためのフローチャートである。
【０５３５】
まず、マルチビュー視聴命令を受け取る（Ｓ４８１０）。マルチビュー視聴命令とは、ディスプレイ装置が複数のユーザに互いに異なるコンテンツを提供するために、複数のコンテンツを映像フレーム単位で交互にディスプレイさせるユーザ命令を意味する。
【０５３６】
以後、マルチビュー視聴命令が入力されると（Ｓ４８１０−Ｙ）、複数のコンテンツをディスプレイする（Ｓ４８２０）。具体的に、マルチビュー視聴命令が入力されると、互いに異なる複数のコンテンツを受信して複数のコンテンツの各々の映像フレームを構成し、複数のコンテンツの各々の映像フレームを交互に配置してディスプレイする。
【０５３７】
そして、マルチビューモード（第２モード）情報を含む同期化信号を生成する（Ｓ４８３０）。マルチビューモード（第２モード）情報とは、マルチ命令視聴が入力されると、該当事実を通知するための情報として、マルチビューモード（第２モード）の開始事実を通知するための情報を含む。
【０５３８】
マルチビューモード（第２モード）情報は、少なくとも一つのメガネ装置との間で定義された通信プロトコルに応じて生成される同期化信号のリザーブ領域に記録されることができる。例えば、同期化信号がブルートゥース通信方式に従う送信パケットの形態で生成される場合、マルチビューモード（第２モード）情報は、ＢＴパケット内のリザーブ領域に記録されることができる。これについては、図４６において上述したことがある。
【０５３９】
以後、同期化信号を送信する（Ｓ４８４０）。具体的に、同期化信号をディスプレイ装置と連動する少なくとも一つのメガネ装置に送信する。例えば、ブルートゥース通信方式による場合、ペアリング過程において獲得した装置ＩＤなどを各コンテンツのディスプレイタイミングに対応する時間情報を含む送信パケットにマッチングさせる。そして、ペアリングを介して獲得した情報に基づいて、送信パケットを対応するメガネ装置に送信する。
【０５４０】
図４９は、本発明の一実施形態にかかるメガネ装置の制御方法を説明するためのフローチャートである。特に、図４９では、ディスプレイ装置と連動し、ディスプレイ装置に表示されるコンテンツのディスプレイタイミングに応じて、第１及び第２シャッターガラス部をオープンさせるメガネ装置の制御方法を説明する。
【０５４１】
まず、ディスプレイ装置から同期化信号を受信する（Ｓ４９１０）。このために、ディスプレイ装置と多様な通信方式に従って通信を行うことができる。
【０５４２】
以後、マルチビューモード（第２モード）情報が含まれているかどうかを判断する（Ｓ４９２０）。例えば、ブルートゥース通信方式に従って生成された送信パケットを受信する場合、送信パケット内のリザーブ領域にマルチビューモード（第２モード）情報が含まれているかどうかを判断する。
【０５４３】
同期化信号にマルチビューモード（第２モード）情報が含まれていると（Ｓ４９２０−Ｙ）、マルチビューモード（第２モード）情報に応じて第１及び第２シャッターガラス部のオープンタイミングを調整する（Ｓ４９３０）。
【０５４４】
具体的に、ディスプレイ装置において３Ｄコンテンツがディスプレイされると、第１及び第２シャッターガラス部を交互にオープンさせ、マルチビューモード（第２モード）情報が含まれた同期化信号が受信されると、ディスプレイ装置においてディスプレイされる複数のコンテンツのうち、メガネ装置に対応するコンテンツのディスプレイタイミングに前記第１及び第２シャッターガラス部をオープンさせることができる。これにより、ユーザは、一般モードでは、３Ｄコンテンツを視聴し、マルチビューモード（第２モード）では、複数のコンテンツのうちの何れか一つのコンテンツを視聴できるようになる。
【０５４５】
一方、上述した本発明の多様な実施形態にかかる方法を行うためのプログラムは、多様な類型の記録媒体に格納されて使用されることができる。
【０５４６】
具体的には、上述した方法を行うためのコードは、ＲＡＭ、フラッシュメモリ、ＲＯＭ、ＥＰＲＯＭ、ＥＥＰＲＯＭ、レジスタ、ハードディスク、リムーバブルディスク、メモリカード、ＵＳＢメモリ、ＣＤ−ＲＯＭなどのように、端末機で読み取り可能な多様な類型の記録媒体に格納されていることができる。
【０５４７】
メガネ装置が正常に動作するかどうかに対する情報を提供するメガネ装置の実施形態
以下、本発明の多様な実施形態にかかるコンテンツ提供の際、メガネ装置が正常に動作しているかどうかに対する情報を提供するメガネ装置を説明する。
【０５４８】
図５０は、本発明の多様な実施形態にかかるディスプレイ装置の構成を示したブロック図である。
【０５４９】
図５０に示すように、本発明の多様な実施形態にかかるディスプレイ装置は、複数の受信部１１０−１，１１０−２，．．．，１１０−ｎ、複数の信号処理部１２０−１，１２０−２，．．．，１２０−ｎ、出力部１３０、同期化信号生成部１４０、インタフェース部１５０、制御部１６０、オーディオデータ送信部１７０を備える。以下で説明する内容の他に前記構成要素は、対応する上述した構成要素の機能を行い、重複する内容はできるだけその説明を省略する。
【０５５０】
制御部１６０は、メガネ装置から同期化信号の送信のための接続要請メッセージが受信されると、一つのコンテンツに対応するオーディオデータをメガネ装置に送信するようにオーディオデータ送信部１７０を制御する。
【０５５１】
そして、制御部１６０は、接続要請メッセージが受信されると、それに対する応答メッセージをメガネ装置に送信して、メガネ装置との間で定義された通信プロトコルに応じてインタフェース部１５０とメガネ装置との間の接続動作を行う。
【０５５２】
説明の便宜のために、インタフェース部１５０がブルートゥース通信モジュールを具備し、メガネ装置に備えられたブルートゥース通信モジュールとブルートゥース通信プロトコルに応じて接続動作を行う場合を想定する。
【０５５３】
具体的に、メガネ装置は、ペアリング動作を行うためにインクワイアリーメッセージ（Ｉｎｑｕｉｒｙ  ＭｅｓｓＡｇｅ）をブロードキャストして、ブルートゥース通信が可能な範囲内にあるディスプレイ装置を検索する。インクワイアリーメッセージが受信されると、制御部１６０は、それに対する応答メッセージ（Ｅｘｔｅｎｄｅｄ  Ｉｎｑｕｉｒｙ  Ｒｅｓｐｏｎｓｅ、ＥＩＲ）をメガネ装置に送信するようにインタフェース部１５０を制御する。ここで、応答メッセージには、ブルートゥースアドレス（Ｂｌｕｅｔｏｏｔｈ  ｄｅｖｉｃｅ  Ａｄｄｒｅｓｓ）、機器名称（ＮＡｍｅ）、ＣＯＤ（ＣｌＡｓｓ  ｏｆ  Ｄｅｖｉｃｅ）及びクロック情報などが含まれることができる。
【０５５４】
一方、応答メッセージを受信したメガネ装置は、ブルートゥースアドレス、機器タイプ（Ｔｙｐｅ）などを含む送信パケットをディスプレイ装置１００に送信する。インタフェース部１５０を介して該当送信パケットを受信すると、制御部１６０は、メガネ装置とＰＩＮコード（ＰＩＮＣｏｄｅ）を送受信するようにインタフェース部１５０を制御し、メガネ装置とのペアリング動作を行うことができる。ここで、制御部１６０は、ユーザがＰＩＮコードを直接入力しなくても自動に入力してディスプレイ装置を登録することによって、ペアリング動作を行うようになる。しかしながら、これに限定されず、ユーザがディスプレイ装置のＰＩＮコードを直接入力する方法を介してペアリング過程を行うことも可能である。
【０５５５】
このように、制御部１６０は、メガネ装置からインクワイアリーメッセージが受信されると、それに対する応答メッセージを送信してインタフェース部１５０とメガネ装置とが通信可能なように接続動作を行う。このとき、制御部１６０は、メガネ装置からインクワイアリーメッセージが受信されると、ＲＦ方式で変調されたオーディオデータがメガネ装置に送信されるようにオーディオデータ送信部１７０を制御できる。
【０５５６】
一方、制御部１６０は、メガネ装置からオーディオデータの受信有無を表す情報が受信されると、受信された情報を出力部１３０の画面（ディスプレイ部）上にＵＩ形態で表示するように制御する。ここで、オーディオデータの受信有無を表す情報は、インタフェース部１５０とメガネ装置との間の接続動作中に送信される送信パケット内のリザーブ領域内に記録される。応答メッセージを受信したメガネ装置は、ブルートゥースアドレス、機器タイプ（ｔｙｐｅ）などを含む送信パケットをディスプレイ装置１００に送信することは前述したことがある。すなわち、メガネ装置は、該当送信パケット内のリザーブ領域にオーディオデータの受信有無を表す情報を記録してディスプレイ装置１００に送信できる。
【０５５７】
これにより、制御部１６０は、送信パケット内のリザーブ領域に記録された情報を参照して、メガネ装置でオーディオデータが受信されているかどうかを判断できる。例えば、制御部１６０は、リザーブ領域からビット値「１」を読み出した場合に、メガネ装置でオーディオデータが受信されていると判断し、リザーブ領域からビット値「０」を読み出した場合に、メガネ装置でオーディオデータが受信されていないと判断できる。
【０５５８】
しかしながら、これは、一例に過ぎず、オーディオデータの受信有無を表す情報は、メガネ装置との間であらかじめ設定された方式に従って多様な形態で記録されることができる。すなわち、制御部１６０は、送信パケット内のリザーブ領域にいかなるビット値も記録されていない場合、メガネ装置でオーディオデータが受信されていないと判断することもできる。
【０５５９】
一方、制御部１６０は、オーディオデータの受信有無を表す情報をＵＩ形態で画面（ディスプレイ部）上にディスプレイされるように出力部１３０を制御できる。この場合、制御部１６０は、インタフェース部１５０の接続状態に対する情報をＵＩ上に共に表示できる。具体的に、制御部１６０は、オーディオデータが正常にメガネ装置で受信されているメッセージ、及びインタフェース部１５０がメガネ装置と正常に接続したというメッセージのうち、少なくとも一つをＯＳＤ形態で出力部１２０の画面（ディスプレイ部）に表示できる。これにより、メガネ装置の動作状態に対する情報をユーザに提供できる。
【０５６０】
一方、制御部１６０は、複数のコンテンツの各々に対応する同期化信号のうちの何れか一つを接続動作が完了したメガネ装置に送信するようにインタフェース部１５０を制御できる。
【０５６１】
ここで、メガネ装置に送信される同期化信号は、デフォルトとして設定されていることができる。例えば、第１コンテンツの映像フレーム及び第２コンテンツの映像フレームが交互にディスプレイされる場合を想定する。この場合、第１コンテンツに対応する同期化信号と第２コンテンツに対応する同期化信号のうち、第１コンテンツに対応する同期化信号をメガネ装置に送信するように設定されていることができる。
【０５６２】
一方、制御部１６０は、メガネ装置から他の同期化信号の送信を要請する要請メッセージが受信されると、他の同期化信号を送信するようにインタフェース部１５０を制御できる。この場合、制御部１６０は、各コンテンツと関連したオーディオデータを互いに異なる周波数信号に変調し、新しい周波数帯域を利用して他の同期化信号に対応するコンテンツと関連したオーディオデータを送信するようにすることができる。
【０５６３】
一方、上述した実施形態において接続動作が完了したメガネ装置にデフォルトとして設定された同期化信号を送信すると説明したが、これは一例にすぎない。
【０５６４】
すなわち、制御部１６０は、ペアリング動作を介して獲得した情報に基づいて同一であるか、または互いに異なる同期化信号を互いに異なるメガネ装置に送信するように、インタフェース部１５０を制御できる。また、インタフェース部１５０は、一部のメガネ装置に同じ同期化信号を送信することもできる。例えば、インタフェース部１５０は、第１メガネ装置にコンテンツ１に対応する同期化信号、第２メガネ装置には、コンテンツ２に対応する同期化信号、第３メガネ装置にコンテンツ１に対応する同期化信号を送信できる。
【０５６５】
また、制御部１６０は、各コンテンツのディスプレイタイミングに対応する同期化信号をブルートゥース通信規格に従う一つの送信パケットとして生成するように、インタフェース部１５０を制御することもできる。すなわち、インタフェース部１５０は、第１コンテンツのディスプレイタイミングに同期化されて、メガネ装置のシャッターガラスをオープン／オフさせるための時間情報、第２コンテンツのディスプレイタイミングに同期化されて、メガネ装置のシャッターガラスをオープン／オフさせるための時間情報，．．．，第ｎコンテンツのディスプレイタイミングに同期化されて、メガネ装置のシャッターガラスをオープン／オフさせるための時間情報をすべて含む一つの送信パケットを生成できる。
【０５６６】
この場合、インタフェース部１５０は、各コンテンツのディスプレイタイミングにメガネ装置に対する情報をマッチングさせて、送信パケットを生成できる。例えば、インタフェース部１５０は、コンテンツの映像フレームが配列された順序に応じて、各コンテンツごとに互いに異なるメガネ装置に対する情報をマッチングさせることができる。すなわち、マルチビューモード（第２モード）で２個のコンテンツが提供される場合、第１番目、第３番目，．．．，第ｎ番目に配置されたコンテンツの映像フレームは、第１メガネ装置に対する情報をマッチングさせ、第２番目、第４番目，．．．，第ｎ＋１番目に配置されたコンテンツの映像フレームは、第２メガネ装置に対する情報をマッチングさせることができる（ここで、ｎは奇数）。そして、インタフェース部１５０は、複数のコンテンツの各々に対する同期化信号を含むように生成された送信パケットをメガネ装置に送信できる。メガネ装置は、複数のコンテンツの各々に対する同期化信号のうち、自身のメガネ装置情報を含む同期化信号を利用して、シャッターガラスをオープン／オフさせることができる。
【０５６７】
一方、制御部１６０は、各コンテンツと関連したオーディオデータを互いに異なる周波数信号に変調し、互いに異なる周波数帯域を利用して各コンテンツと関連したオーディオデータを送信できる。このとき、制御部１６０は、各オーディオデータにメガネ装置に対する情報を記入でき、メガネ装置は、自身のメガネ装置情報に対応するオーディオデータを選択的に受信して出力できる。
【０５６８】
図５１は、本発明の一実施形態にかかるメガネ装置の構成を説明するためのブロック図である。図５１によれば、メガネ装置２００は、通信インタフェース部２１０、オーディオデータ受信部２４１、及び制御部２２０を備える。特に、本メガネ装置２００は、複数のコンテンツの各々を交互にディスプレイするディスプレイ装置と連動できる。以下、メガネ装置２００の構成について説明すること以外は、上述したメガネ装置２００の構成を含むことができることを明らかにする。
【０５６９】
通信インタフェース部２１０は、複数のコンテンツのうちの何れか一つのコンテンツに対応する同期化信号を受信するために、ディスプレイ装置に接続要請メッセージを送信できる。すなわち、ブルートゥース通信モジュールを備える場合、通信インタフェース部２１０は、インクワイアリーメッセージをディスプレイ装置に送信する。そして、ディスプレイ装置から送信される応答メッセージを受信して、ペアリング動作を行うことができる。これについては、図２とともに上述したことがある。
【０５７０】
一方、ディスプレイ装置との間で定義された通信プロトコルに応じて、ディスプレイ装置と通信インタフェース部２１０とが接続すると、通信インタフェース部２１０は、ディスプレイ装置から同期化信号を受信することができる。
【０５７１】
具体的に、ディスプレイ装置がマルチビューモード（第２モード）である場合、通信インタフェース部２１０は、複数のコンテンツのうちの何れか一つのコンテンツに対する映像フレームのディスプレイタイミングにメガネ装置を同期化させるための同期化信号を受信する。そして、ディスプレイ装置が一般モードである場合に、通信インタフェース部２１０は、３Ｄコンテンツの左眼映像フレーム及び右眼映像フレームのディスプレイタイミングにメガネ装置を同期化させるための同期化信号を受信することができる。
【０５７２】
オーディオデータ受信部２４１は、ディスプレイ装置からオーディオデータを受信する。具体的に、オーディオデータ受信部２４１は、ＲＦ通信方式に従って変調されて、あらかじめ設定された周波数帯域に送信されるオーディオデータを受信することができる。ここで、オーディオデータ受信部２４１は、通信インタフェース部２１０から受信される同期化信号に対応するオーディオデータを受信することができる。すなわち、同期化信号に対応するコンテンツと関連したオーディオデータでありうる。
【０５７３】
制御部２２０は、メガネ装置２００の全般的な動作を制御する。
【０５７４】
特に、制御部２２０は、接続要請メッセージに対する応答メッセージが受信されると、あらかじめ設定された周波数帯域を選局して一つのコンテンツに対応するオーディオデータを受信するように、オーディオデータ受信部２４１を制御する。
【０５７５】
このために、制御部２２０は、オーディオデータの受信のために、ディスプレイ装置とメガネ装置２００との間であらかじめ定義された周波数帯域を選局するように、オーディオデータ受信部２４１を制御できる。または、制御部２２０は、特定周波数帯域をスキャンしてオーディオデータが存在する周波数帯域を検出し、検出された周波数帯域を選局するようにオーディオデータ受信部２４１を制御して、オーディオデータを受信することができる。
【０５７６】
そして、制御部２２０は、オーディオデータの受信有無を表す情報を送信するように、通信インタフェース部２１０を介してディスプレイ装置に送信するように制御できる。具体的に、制御部２２０は、ディスプレイ装置との間で定義された通信プロトコルに応じて、ディスプレイ装置と通信インタフェース部２１０とを接続するために送信される送信パケット内のリザーブ領域にオーディオデータの受信有無を表す情報を記録できる。
【０５７７】
すなわち、通信インタフェース部２１０がブルートゥース通信プロトコルに応じてディスプレイ装置と接続動作を行う過程において、ディスプレイ装置から応答メッセージが受信されると、制御部２２０は、ブルートゥースアドレス、機器タイプ（ｔｙｐｅ）などを含む送信パケットをディスプレイ装置１００に送信するように、通信インタフェース部２１０を制御できる。この場合、制御部２２０は、該当送信パケットのリザーブ領域内にオーディオデータの受信有無を表す特定ビット値を記録できる。さらに具体的な説明のために、図５２を参照する。
【０５７８】
図５２は、本発明の一実施形態によってメガネ装置からディスプレイ装置に送信する送信パケットの構造を説明するための図である。
【０５７９】
ディスプレイ装置から応答メッセージが受信されると、メガネ装置は、ディスプレイ装置とのペアリングのための多様な情報が含まれるように送信パケットを構成して、ディスプレイ装置に送信できる。
【０５８０】
具体的に、図５２に示すように、メガネ装置は、メガネ装置に対するブルートゥースアドレス（３ＤＧ  ＢＤ  Ａｄｄｒｅｓｓ）、機器タイプ（Ｄｅｖｉｃｅ  Ｔｙｐｅ）、メガネ装置のバージョン情報（３ＤＧ  Ｖｅｒｓｉｏｎ  Ｎｏ．）、バッテリータイプ（ＢＡｔｔｅｒｙ  Ｔｙｐｅ）、残存バッテリー電圧（ＲｅｍＡｉｎｉｎｇ  ＢＡｔｔｅｒｙ  ＶｏｌｔＡｇｅ）、バッテリー充電状態（ＢＡｔｔｅｒｙ  ＣｈＡｒｇｉｎｇ  ＳｔＡｔｕｓ）、残存バッテリー率（ＲｅｍＡｉｎｉｎｇ  ＢＡｔｔｅｒｙ  ＲＡｔｉｏ）、残存バッテリー時間（ＲｅｍＡｉｎｉｎｇ  ＢＡｔｔｅｒｙ  Ｔｉｍｅ）、カラーシフト（Ｃｏｌｏｒ  Ｓｈｉｆｔ）に対する情報が含まれるように送信パケットを構成できる。
【０５８１】
これにより、送信パケットを１７バイトで構成する場合に１バイト及び４バイトのリザーブ領域（Ｒｅｓｅｒｖｅｄ）が存在するようになる。制御部２２０は、１バイトのリザーブ領域または４バイトのリザーブ領域内にオーディオデータの受信有無を表す情報を記録できる。例えば、制御部２２０は、オーディオデータが受信されていることを表すために、リザーブ領域内にビット値「１」を記録し、オーディオデータが受信されないことを表すためにリザーブ領域内にビット値「０」を記録できる。これにより、送信パケットを受信したディスプレイ装置は、メガネ装置にオーディオ信号が正常に伝達されているかどうかを判断して、ユーザに提供できる。
【０５８２】
図５３は、本発明の一実施形態にかかるメガネ装置の細部構成を示すブロック図である。図５３によれば、メガネ装置２００は、通信インタフェース部２１０、オーディオデータ受信部２４１、制御部２２０、シャッターガラス駆動部２３０、第１シャッターガラス部２５０、第２シャッターガラス部２６０及び入力部２４０を備える。このような構成要素に対して、下記で説明する内容の他には、上述した対応する構成の機能を行うことができる。ただし、矛盾する内容があるならば、下記の説明が優先する。重複する内容は、できるだけ説明を省略する。
【０５８３】
入力部２４０は、ディスプレイ装置との接続動作を行うためのユーザ命令を受け取る。このために、入力部２４０は、タッチセンサまたは操作ボタンなどにより具現化されることができる。ユーザがタッチセンサまたは操作ボタンをタッチすると、制御部２２０は、接続要請メッセージをディスプレイ装置に送信するように、通信インタフェース部２１０を制御できる。具体的に、通信インタフェース部２１０がブルートゥース通信モジュールにより具現化された場合、接続要請メッセージは、ブルートゥース通信可能な範囲内に存在するディスプレイ装置を検索するためのインクワイアリーメッセージになることができる。
【０５８４】
一方、入力部２４０は、同期化信号の送信を要請するためのユーザ命令を受け取ることもできる。具体的に、ディスプレイ装置と接続動作が完了した状態でユーザが入力部２４０に備えられたタッチセンサまたは操作ボタンをタッチすると、制御部２２０は、他の同期化信号の送信を要請する要請メッセージをディスプレイ装置に送信するように、通信インタフェース部２１０を制御できる。これにより、通信インタフェース部２１０は、ディスプレイ装置から受信されていた同期化信号と異なる同期化信号を受信することができる。制御部２２０は、新しく受信された同期化信号に応じる駆動信号が生成されるようにシャッターガラス駆動部２３０を制御し、ユーザは、視聴していたコンテンツと異なるコンテンツを視聴できるようになる。
【０５８５】
要請メッセージを送信されたディスプレイ装置は、他の同期化信号を送信すると共に、他の同期化信号に対応する新しいオーディオデータを送信できる。具体的に、ディスプレイ装置は、互いに異なる周波数信号に変調して、他の同期化信号に対応するコンテンツと関連した新しいオーディオデータを送信できる。制御部２２０は、周波数帯域をスキャンして新しいオーディオデータを受信するように、オーディオデータ受信部２４１を制御できる。
【０５８６】
一方、上述した実施形態において、ディスプレイ装置との接続動作を行うためのタッチセンサまたは操作ボタンを介して、同期化信号の送信を要請するためのユーザ命令も受け取ると説明したが、これは一例にすぎない。すなわち、入力部２４０は、別途のタッチセンサまたは操作ボタンを具備して、ディスプレイ装置との接続動作を行うためのユーザ命令を受け取ることができる。
【０５８７】
オーディオ出力部２８０は、一つのコンテンツに対応するオーディオデータを出力する。具体的に、オーディオ出力部２８０は、スピーカー、イヤホン（または、ヘッドホン）またはイヤホン（または、ヘッドホン）との接続のための接続端子を具備して、オーディオデータ受信部２４１から一つのコンテンツに対応するオーディオコンテンツを出力してユーザに提供できる。
【０５８８】
一方、上述した実施形態では、ディスプレイ装置がコンテンツのディスプレイタイミングに対応する同期化信号を各々生成して、メガネ装置２００に送信すると説明したが、これは一例にすぎない。すなわち、ディスプレイ装置は、各コンテンツのディスプレイタイミングに対応する同期化信号をブルートゥース通信規格に従う一つの送信パケットとして生成して、メガネ装置に送信できる。
【０５８９】
制御部２２０は、同期化信号が受信されると、自身のメガネ装置情報に対応するディスプレイタイミングを確認し、確認されたディスプレイタイミングに応じてシャッターガラスをオープンまたはオフさせることができる。
【０５９０】
一方、図５０ないし図５３と関連した実施形態において、オーディオデータが受信されているかどうかを表す情報をディスプレイ装置及びメガネ装置の各々に設けられた通信インタフェース部が送受信すると説明したが、これは一例にすぎない。すなわち、メガネ装置のオーディオデータ受信部は、オーディオデータが受信されているかどうかを表す情報をディスプレイ装置のオーディオデータ送信部に送信することもできる。
【０５９１】
図５４は、本発明の一実施形態によってディスプレイ装置の画面（ディスプレイ部）上に表示されるＵＩを説明するための図である。説明の便宜のために、ディスプレイ装置にブルートゥース通信モジュール１が備えられ、メガネ装置にブルートゥース通信モジュール２が備えられたと想定する。
【０５９２】
ブルートゥース通信モジュール１がブルートゥース通信モジュール２と接続動作を行う過程において、ブルートゥース通信モジュール２からメガネ装置にオーディオデータが受信されているかどうかを表す情報を受信することができる。以後、ブルートゥース通信モジュール１がブルートゥース通信モジュール２と接続動作が完了すると、図５４に示すように、ディスプレイ装置は、ブルートゥース通信モジュールの接続有無及びオーディオデータの受信有無に対する情報をＵＩ形態で画面（ディスプレイ部）上に表示できる。
【０５９３】
図５５は、本発明の一実施形態にかかるメガネ装置のコンテンツ提供方法を説明するためのフローチャートである。特に、メガネ装置は、複数のコンテンツの各々を交互にディスプレイするディスプレイ装置と連動できる。
【０５９４】
まず、接続要請メッセージを送信する（Ｓ５５１０）。具体的に、複数のコンテンツのうちの何れか一つのコンテンツに対応する同期化信号を受信するために、ディスプレイ装置に接続要請メッセージを送信できる。
【０５９５】
接続要請メッセージに対する応答メッセージが受信されると（Ｓ５５２０−Ｙ）、オーディオデータを受信する。具体的に、接続要請メッセージに対する応答メッセージが受信されると、あらかじめ設定された周波数帯域を選局して一つのコンテンツに対応するオーディオデータを受信することができる（Ｓ５５３０）。
【０５９６】
そして、オーディオデータの受信有無を表す情報をディスプレイ装置に送信する（Ｓ５５４０）。メガネ装置が複数のコンテンツのうちの何れか一つのコンテンツに対応する同期化信号を受信するための通信インタフェース部を具備すると、ディスプレイ装置との間で定義された通信プロトコルに応じてディスプレイ装置と通信インタフェース部とを接続するために送信される送信パケット内のリザーブ領域にオーディオデータの受信有無を表す情報を記録できる。一方、通信インタフェース部は、ブルートゥース通信モジュールを備えることができる。
【０５９７】
また、本実施形態にかかる通信方法は、ディスプレイ装置と通信インタフェース部との接続が完了して同期化信号が受信されると、同期化信号に基づいて一つのコンテンツのディスプレイタイミングに応じて第１及び第２シャッターガラスのオープンタイミングを制御できる。そして、一つのコンテンツに対応するオーディオデータを出力できる。
【０５９８】
これらの実施形態については上述したことがあるので、重複する説明及び図示は省略する。
【０５９９】
図５６は、本発明の一実施形態にかかるディスプレイ装置のコンテンツ提供方法を説明するためのフローチャートである。ここで、ディスプレイ装置は、メガネ装置と連動できる。
【０６００】
まず、複数のコンテンツを交互にディスプレイする（Ｓ５６１０）。具体的に、複数のコンテンツの各々に対する映像フレームを交互にディスプレイできる。
【０６０１】
以後、接続要請メッセージを受信する（Ｓ５６２０）。すなわち、メガネ装置から複数のコンテンツのうちの何れか一つのコンテンツに対応する同期化信号の送信のための接続要請メッセージを受信することができる。
【０６０２】
接続要請メッセージが受信されると（Ｓ５６２０−ｎ）、オーディオデータをメガネ装置に送信する（Ｓ５６３０）。具体的に、一つのコンテンツに対応するオーディオデータをメガネ装置にあらかじめ設定された周波数帯域を介して送信できる。
【０６０３】
一方、本実施形態にかかるメガネ装置は、同期化信号を送信するための通信インタフェース部を具備できる。ここで、通信インタフェース部は、ブルートゥース通信モジュールを備えることができる。
【０６０４】
この場合、本実施形態にかかるコンテンツ提供方法は、接続要請メッセージが受信されると、それに対する応答メッセージをメガネ装置に送信して、メガネ装置との間で定義された通信プロトコルに応じて通信インタフェース部とメガネ装置間の接続動作を行うステップをさらに含むことができる。
【０６０５】
また、メガネ装置からオーディオデータの受信有無を表す情報が受信されると、受信された情報を画面（ディスプレイ部）上にＵＩ形態で表示できる。ここで、オーディオデータの受信有無を表す情報は、通信インタフェース部とメガネ装置との間の接続動作中に送信される送信パケット内のリザーブ領域内に記録されることができる。
【０６０６】
これらの実施形態については上述したことがあるので、重複する説明及び図示は省略する。
【０６０７】
一方、上述した本発明の多様な実施形態にかかる方法を行うためのプログラムは、多様な類型の記録媒体に格納されて使用されることができる。
【０６０８】
具体的には、上述した方法を行うためのコードは、ＲＡＭ、フラッシュメモリ、ＲＯＭ、ＥＰＲＯＭ、ＥＥＰＲＯＭ、レジスタ、ハードディスク、リムーバブルディスク、メモリカード、ＵＳＢメモリ、ＣＤ−ＲＯＭなどのように、端末機で読み取り可能な多様な類型の記録媒体に格納されていることができる。
【０６０９】
メガネ装置で視聴するコンテンツをスイッチングさせる実施形態
以下、メガネ装置で現在視聴しているコンテンツをスイッチングさせて、他のコンテンツを視聴できるシステム及び方法について説明する。
【０６１０】
図５７に示すように、メガネ装置２００に備えられた入力部２１０を介してスイッチング命令が入力されてスイッチングモードが開始されると、ディスプレイ装置１００及びメガネ装置２００は、コンテンツ転換動作を行う。これにより、メガネ装置２００を着用したユーザは、コンテンツ３、コンテンツ４、コンテンツ１を順次に視聴できる。以後、入力部２１０を介して選択命令が入力されると、メガネ装置２００は、選択命令が入力された時点でユーザが視聴していたコンテンツ１に同期化されて、左側シャッターガラス及び右側シャッターガラスともをオープンさせる。これにより、ユーザは、コンテンツ１を選択して視聴できるようになる。
【０６１１】
以下、上述した機能を行う本発明の多様な実施形態にかかるディスプレイ装置１００及びメガネ装置２００について詳述する。
【０６１２】
図５８は、本発明の一実施形態にかかるディスプレイ装置の構成を説明するためのブロック図である。図５８によれば、ディスプレイ装置１００は、複数の受信部１１０−１，１１０−２，．．．，１１０−ｎ、複数の信号処理部１２０−１，１２０−２，．．．，１２０−ｎ、出力部１３０、同期化信号生成部１４０、インタフェース部１５０、及び制御部１６０を備える。
【０６１３】
複数の受信部１１０−１，１１０−２，．．．，１１０−ｎ、複数の信号処理部１２０−１，１２０−２，．．．，１２０−ｎ、出力部１３０、同期化信号生成部１４０、インタフェース部１５０、及び制御部１６０については、下記で別途に説明する内容の他には、前述したとおりであり、重複する内容は、できるだけ説明を省略する。
【０６１４】
インタフェース部１５０は、メガネ装置と通信を行う。この場合、インタフェース部１５０は、多様な無線方式に従ってメガネ装置と通信を行い、同期化信号をメガネ装置に送信しコンテンツ転換命令をメガネ装置から受信することができる。
【０６１５】
一方、インタフェース部１５０は、メガネ装置とブルートゥースアドレス（Ｂｌｕｅｔｏｏｔｈ  ｄｅｖｉｃｅ  Ａｄｄｒｅｓｓ）及びＰＩＮコードなどを送受信して、ブルートゥース通信方式に従うペアリングを行う。ペアリングが完了すると、インタフェース部１５０は、ペイリングを介して獲得した情報に基づいて複数のコンテンツのうちの何れか一つのコンテンツに対応する同期化信号をメガネ装置に送信できる。
【０６１６】
また、複数のメガネ装置とペアリングが完了した場合、インタフェース部１５０は、ペイリングを介して獲得した情報に基づいて同一であるか、または互いに異なる同期化信号を互いに異なるメガネ装置に送信できる。また、インタフェース部１５０は、一部のメガネ装置に同じ同期化信号を送信することもできる。例えば、インタフェース部１５０は、第１メガネ装置にコンテンツ１に対応する同期化信号、第２メガネ装置２にはコンテンツ２に対応する同期化信号、第３メガネ装置３にコンテンツ１に対応する同期化信号を送信できる。
【０６１７】
たとえ、上述した実施形態では、インタフェース部１５０とメガネ装置がブルートゥース通信方式に従って通信を行うと説明したが、これは一例にすぎない。すなわち、ブルートゥース方式以外に赤外線通信、ジグビーなどの通信方式を利用でき、その他近距離で通信チャネルを形成して信号を送受信できる多様な無線通信方式に従って通信を行うことができることはもちろんである。
【０６１８】
制御部１６０は、メガネ装置からコンテンツ転換命令が受信されると、メガネ装置に対応するコンテンツが複数のコンテンツのうち、他のコンテンツに順次に転換する転換動作を行う。
【０６１９】
具体的に、制御部１６０は、コンテンツ転換命令が受信されると、各コンテンツの映像フレームの配置パターンを変更するように出力部１３０を制御して、メガネ装置に対応するコンテンツの映像フレームの位置に他のコンテンツの映像フレームが位置するように処理できる。
【０６２０】
例えば、出力部１３０において第１ないし第３コンテンツの映像フレームを交互に配置してディスプレイされ、第１コンテンツのディスプレイタイミングに対応する同期化信号がメガネ装置に送信されている場合を想定する。制御部１６０は、第１コンテンツに同期化されたメガネ装置からスイッチング命令が受信されると、第１コンテンツの映像フレームの位置に第２コンテンツの映像フレーム、第３コンテンツの映像フレームを順次に配置するように出力部１３０を制御できる。この場合、制御部１６０は、映像フレームの配置パターンが変更される以前の第１コンテンツのディスプレイタイミングに対する同期化信号が継続的にメガネ装置に送信するようにインタフェース部１５０を制御できる。これにより、メガネ装置を着用したユーザは、すべてのコンテンツを順次に視聴できるようになる。
【０６２１】
他の一方、制御部１６０は、コンテンツ転換命令が受信されると、複数のコンテンツのうち、他のコンテンツに対応する同期化信号をメガネ装置に送信するようにインタフェース部１５０を制御して、複数のコンテンツのうち、他のコンテンツにメガネ装置が同期化されるように処理できる。
【０６２２】
例えば、インタフェース部１５０がブルートゥース通信モジュールにより具現化される場合、制御部１６０は、コンテンツ転換命令が受信されると、他のコンテンツのディスプレイタイミングに対する情報を含む送信パケットの各々をメガネ装置に順次に送信するようにインタフェース部１５０を制御できる。メガネ装置は、順次に受信された送信パケットに含まれた時間情報に基づいてメガネ装置のシャッターガラスをオープン／オフさせる。これにより、ユーザは、すべてのコンテンツを順次に視聴できるようになる。
【０６２３】
制御部１６０は、メガネ装置に対応するコンテンツが複数のコンテンツのうち、他のコンテンツに順次に転換される途中に、インタフェース部１５０を介して選択命令が受信されると、選択命令が受信された時点のコンテンツがメガネ装置を介して視聴できるように転換動作を終了する。
【０６２４】
具体的に、制御部１６０は、メガネ装置に同期化されるコンテンツを順次に転換するために、コンテンツの配置パターンを変更したり同期化信号を変更する途中にメガネ装置から選択命令が入力されると、選択命令が入力された時点でコンテンツの配置パターンまたは同期化信号に基づいて、メガネ装置を同期化させることができる。
【０６２５】
すなわち、制御部１６０は、選択命令が入力された時点でコンテンツの配置パターンの変更を終了し、終了した時点で再配列されたコンテンツの配置パターンに基づいて複数のコンテンツを交互にディスプレイする。または、制御部１６０は、選択命令が入力された時点でディスプレイされるコンテンツに対する同期化信号をメガネ装置に送信する。これにより、メガネ装置は、選択命令が入力された時点にディスプレイされるコンテンツと同期化され、ユーザは、選択命令に応じて所望のコンテンツを視聴できる。
【０６２６】
一方、転換動作は、コンテンツ転換命令がメガネ装置から受信される間に行われることができる。すなわち、制御部１６０は、コンテンツ転換命令が受信される時点でコンテンツ転換動作を行いながら、コンテンツ転換命令の受信が終了する時点にコンテンツ転換動作を中止するように制御できる。
【０６２７】
一方、上述した実施形態では、ディスプレイ装置１００がコンテンツのディスプレイタイミングに対応する同期化信号を各々生成して、メガネ装置２００に送信すると説明したが、これは一例にすぎない。
【０６２８】
すなわち、制御部１６０は、各コンテンツのディスプレイタイミングに対応する同期化信号をブルートゥース通信規格に従う一つの送信パケットとして生成するように、インタフェース部１５０を制御することができる。すなわち、インタフェース部１５０は、第１コンテンツのディスプレイタイミングに同期化されて、メガネ装置のシャッターガラスをオープン／オフさせるための時間情報、第２コンテンツのディスプレイタイミングに同期化されて、メガネ装置のシャッターガラスをオープン／オフさせるための時間情報，．．．，第ｎコンテンツのディスプレイタイミングに同期化されて、メガネ装置のシャッターガラスをオープン／オフさせるための時間情報をすべて含む一つの送信パケットを生成できる。
【０６２９】
この場合、インタフェース部１５０は、各コンテンツのディスプレイタイミングにメガネ装置に対する情報をマッチングさせて、送信パケットを生成できる。例えば、インタフェース部１５０は、コンテンツの映像フレームが配列された順序に応じて、各コンテンツごとに互いに異なるメガネ装置に対する情報をマッチングさせることができる。すなわち、マルチビューモード（第２モード）で２個のコンテンツが提供される場合、第１番目、第３番目，．．．，第ｎ番目に配置されたコンテンツの映像フレームは、第１メガネ装置に対する情報をマッチングさせ、第２番目、第４番目，．．．，第ｎ＋１番目に配置されたコンテンツの映像フレームは、第２メガネ装置に対する情報をマッチングさせることができる（ここで、ｎは奇数）。そして、インタフェース部１５０は、複数のコンテンツの各々に対する同期化信号を含むように生成された送信パケットをメガネ装置に送信できる。メガネ装置は、複数のコンテンツの各々に対する同期化信号のうち、自身のメガネ装置情報を含む同期化信号を利用して、シャッターガラスをオープン／オフさせることができる。
【０６３０】
図５９は、本発明の一実施形態にかかるメガネ装置の構成を説明するためのブロック図である。特に、図５９のメガネ装置２００は、複数のコンテンツを映像フレーム単位で交互にディスプレイするディスプレイ装置１００と連動し、入力部２１０、制御部２２０、シャッターガラス駆動部２３０、インタフェース部２４０、第１シャッターガラス部２５０、及び第２シャッターガラス部２６０を備える。
【０６３１】
前記構成要素に対して下記で別途に説明する内容の他には、上述した対応する構成の機能を行うので、重複する内容はできるだけ説明を省略する。
【０６３２】
インタフェース部２４０は、ディスプレイ装置から通信を行う。例えば、インタフェース部２４０は、ブルートゥース通信モジュールにより具現化されてディスプレイ装置１００と通信を行って同期化信号を受信し、ディスプレイ装置１００にコンテンツ転換命令を送信できる。
【０６３３】
上述したように、同期化信号は、ブルートゥース通信規格に従う送信パケットの形態で受信されることができ、コンテンツのディスプレイタイミングに同期化されて、メガネ装置２００の第１シャッターガラス部２５０及び第２シャッターガラス部２６０をオープンまたはオフさせるための時間情報を含むことができる。
【０６３４】
入力部２１０は、スイッチングモードを開始するためのスイッチング命令を受け取る。このために、入力部２１０は、スイッチング命令を受け取るためのスイッチングボタンを有することができ、スイッチングボタンは、タッチセンサまたは操作ボタンなどにより具現化されることができる。
【０６３５】
また、入力部２１０は、スイッチングモードが行われてコンテンツが順次に転換される途中に、一つのコンテンツを選択するための選択命令を受け取る。入力部２１０は、スイッチング命令を受け取るスイッチングボタンを介して選択命令も共に受け取ることができる。例えば、入力部２１０は、スイッチングボタンがタッチされている間には、スイッチング命令を受け取り、スイッチングボタンのタッチ状態が終了すると、タッチ状態が終了した時点に選択命令を受け取ることにより具現化されることができる。また、入力部２１０は、タッチセンサまたは操作ボタンなどにより具現化された別途の選択ボタンを有することができる。
【０６３６】
制御部２２０は、スイッチングモードが開始されると、複数のコンテンツの中で視聴可能な他のコンテンツに対応する同期化信号を受信して、第１シャッターガラス部２５０及び第２シャッターガラス部２６０のオープンタイミングを順次に変更するように制御する。このために、制御部２２０は、スイッチングモードが開始されると、他のコンテンツに対応する同期化信号を要請するためのコンテンツ転換命令がディスプレイ装置１００に送信されるように、インタフェース部２４０を制御する。
【０６３７】
コンテンツ転換命令を受信したディスプレイ装置１００は、現在ユーザが視聴するコンテンツ外に視聴可能な他のコンテンツのディスプレイタイミングに対する情報を含む送信パケットの各々をメガネ装置２００に順次に送信する。制御部２２０は、他のコンテンツに対応する同期化信号を順次に受信し、各コンテンツに対応する同期化信号に基づいて駆動信号が順次に生成されるようにシャッターガラス駆動部２３０を制御できる。これにより、第１シャッターガラス部２５０及び第２シャッターガラス部２６０は、各コンテンツの映像フレームがディスプレイされるごとにオープンされる。このように、メガネ装置は、各コンテンツに順次に同期化されるので、ユーザは、すべてのコンテンツを順次に視聴できるようになる。
【０６３８】
一方、制御部２２０は、スイッチングモードが行われる途中に入力部２１０を介して選択命令が入力されると、スイッチングモードを終了し、選択命令が入力されたタイミングに視聴可能なコンテンツのディスプレイタイミングに応じて、第１シャッターガラス部２５０及び第２シャッターガラス部２６０のオープンタイミングを固定するようにシャッターガラス駆動部２３０を制御する。
【０６３９】
すなわち、制御部２２０は、選択命令が入力されると、コンテンツ転換動作の中止を要請する命令がディスプレイ装置１００に送信されるように、インタフェース部２４０を制御する。そして、制御部２２０は、選択命令が入力された時点にディスプレイ装置１００から受信される同期化信号に基づいて駆動信号が生成されるように、シャッターガラス駆動部２３０を制御する。これにより、複数のコンテンツを順次に視聴していたユーザは、選択命令が入力された時点に選択された一つのコンテンツを視聴できるようになる。
【０６４０】
一方、スイッチング命令と選択命令が一つのスイッチングボタンを介して入力されうることは上述したことがある。この場合に、制御部２２０は、スイッチングボタンがタッチされている間にスイッチングモードを行い、スイッチングボタンのタッチ状態が終了すると、スイッチングモードを終了し、タッチ状態が終了した時点に視聴可能なコンテンツのディスプレイタイミングに応じて第１シャッターガラス部２５０及び第２シャッターガラス部２６０のオープンタイミングを固定するように、シャッターガラス駆動部２３０を制御できる。
【０６４１】
すなわち、制御部２２０は、スイッチングモードが終了すると、終了した時点に受信された同期化信号に基づいて駆動信号が生成されるように、シャッターガラス駆動部２３０を制御する。これにより、複数のコンテンツを順次に視聴していたユーザは、スイッチングボタンのタッチ状態が終了した時点に選択された一つのコンテンツを視聴できるようになる。
【０６４２】
一方、上述した実施形態では、ディスプレイ装置１００がコンテンツのディスプレイタイミングに対応する同期化信号を各々生成して、メガネ装置２００に送信すると説明したが、これは一例にすぎない。すなわち、ディスプレイ装置１００は、各コンテンツのディスプレイタイミングに対応する同期化信号をブルートゥース通信規格に従う一つの送信パケットとして生成して、メガネ装置に送信できる。
【０６４３】
制御部２２０は、同期化信号が受信されると、自身のメガネ装置情報に対応するディスプレイタイミングを確認し、確認されたディスプレイタイミングに応じてシャッターガラスをオープンまたはオフさせることができる。そして、スイッチング命令が入力されると、制御部２２０は、送信パケットに含まれた各コンテンツに対応する同期化信号に基づいて駆動信号が順次に生成されるように、シャッターガラス駆動部２３０を制御できる。これにより、第１シャッターガラス部２５０及び第２シャッターガラス部２６０は、各コンテンツの映像フレームがディスプレイされるごとに順次にオープンされる。そして、制御部２２０は、選択命令が入力された時点に同期化信号に基づいて駆動信号を生成するように制御して、順次に転換されるコンテンツのうちの何れか一つのコンテンツを選択できる。
【０６４４】
また、上述した実施形態では、近距離で通信チャネルを形成して信号を送受信できる多様な無線通信方式に従ってディスプレイ装置とメガネ装置とが通信を行うと説明したが、これは一例にすぎない。すなわち、ディスプレイ装置は、相異なる周波数を有するＩＲ同期化信号をメガネ装置に提供し、メガネ装置は、特定周波数を有する同期化信号を受信して、対応するコンテンツのディスプレイタイミングに応じてシャッターガラスをオープンまたはオフさせることができることはもちろんである。
【０６４５】
図６００は、本発明の一実施形態にかかるコンテンツ選択方法を説明するためのフローチャートである。特に、本実施形態では、複数のコンテンツを映像フレーム単位で交互にディスプレイするディスプレイ装置と連動するメガネ装置のコンテンツ選択方法を説明する。
【０６４６】
まず、第１及び第２シャッターガラス部を駆動する（Ｓ６０１０）。すなわち、ディスプレイ装置から受信された同期化信号に基づいて複数のコンテンツのうちの何れか一つのコンテンツのディスプレイタイミングに応じて、第１及び第２シャッターガラス部を駆動する。
【０６４７】
以後、スイッチングモードが開始されると（Ｓ６０２０−Ｙ）、第１及び第２シャッターガラス部のオープンタイミングを順次に変更する（Ｓ６０３０）。
【０６４８】
具体的に、スイッチングモードが開始されると、他のコンテンツに対応する同期化信号を要請するためのコンテンツ転換命令をディスプレイ装置に送信できる。そして、スイッチングモードが開始されると、複数のコンテンツの中で視聴可能な他のコンテンツに対応する同期化信号を受信して、第１及び第２シャッターガラス部のオープンタイミングを順次に変更する。
【０６４９】
すなわち、他のコンテンツに対応する同期化信号に基づいて各コンテンツの映像フレームがディスプレイされるごとにオープンして、すべてのコンテンツをユーザに順次に提供する。ここで、スイッチングモードは、メガネ装置に備えられたスイッチングボタンを介してスイッチング命令が入力されると、開始されることができる。
【０６５０】
そして、スイッチングモードが終了すると（Ｓ６０４０−Ｙ）、選択されたコンテンツに同期化される（Ｓ６０５０）。具体的に、順次に転換されるコンテンツのうちの何れか一つが選択されてスイッチングモードが終了すると、選択されたコンテンツが視聴できるように、第１及び第２シャッターガラス部のオープンタイミングを維持できる。このために、スイッチングモードが行われる途中に選択命令を受け取り、スイッチングモードを終了し選択命令が入力されたタイミングに視聴可能なコンテンツのディスプレイタイミングに応じて第１及び第２シャッターガラス部のオープンタイミングを固定させる。
【０６５１】
すなわち、選択命令が入力された時点にユーザに提供されていたコンテンツのディスプレイタイミングに対応する同期化信号に基づいて、メガネ装置を選択されたコンテンツに同期化させることができる。これにより、複数のコンテンツを順次に視聴していたユーザは、選択命令が入力された時点に選択された一つのコンテンツを視聴できるようになる。この場合、スイッチングモードは、スイッチングボタンがタッチされている間に行われ、スイッチングボタンのタッチ状態が解除されると終了できる。
【０６５２】
図６１は、本発明の一実施形態にかかるコンテンツ転換方法を説明するためのフローチャートである。特に、本実施形態には、ディスプレイ装置でのコンテンツ転換方法を説明する。
【０６５３】
まず、複数のコンテンツを組み合わせてディスプレイする（Ｓ６１１０）。具体的に、互いに異なる複数のコンテンツを映像フレーム単位で交互に配置してディスプレイする。この場合、複数のコンテンツからビデオデータを分離し、ビデオデータに対するデコード、スケーリング、フレームレート変換などの処理を行うことができる。具体的な動作については上述したことがあるので、重複する説明は省略する。
【０６５４】
以後、同期化信号を送信する（Ｓ６１２０）。具体的に、各コンテンツのディスプレイタイミングに応じて、各コンテンツに対応するメガネ装置を同期化させる同期化信号を送信する。
【０６５５】
そして、メガネ装置からコンテンツ転換命令が受信されると（Ｓ６１３０−Ｙ）、コンテンツ転換動作を行う（Ｓ６１４０）。具体的に、コンテンツ転換命令が受信されると、メガネ装置に対応するコンテンツが複数のコンテンツのうち、他のコンテンツに転換する転換動作を行う。
【０６５６】
具体的に、コンテンツ転換命令が受信されると、コンテンツの配置パターンを変更して、メガネ装置に対応するコンテンツのフレーム位置に他のコンテンツのフレームが位置するように処理できる。一方、コンテンツ転換命令が受信されると、複数のコンテンツのうち、他のコンテンツに対応する同期化信号をメガネ装置に送信して、前記複数のコンテンツのうち、他のコンテンツにメガネ装置が同期化されるように処理できる。これらの各実施形態については上述したことがあるので、重複する説明は省略する。
【０６５７】
そして、転換動作が終了すると（Ｓ６１５０−Ｙ）、転換作業を終了する（Ｓ６１６０）。すなわち、複数のコンテンツのうちの何れか一つが選択されると、転換動作を終了する。具体的に、メガネ装置に対応するコンテンツが複数のコンテンツのうち、他のコンテンツに順次に転換される途中にメガネ装置から選択命令が受信されると、選択命令が受信された時点のコンテンツがメガネ装置を介して視聴できるように転換動作を終了する。
【０６５８】
この場合、転換動作は、スイッチング命令がメガネ装置から受信される間に行われることができる。すなわち、スイッチング命令が受信される時点にコンテンツ転換動作を行い、スイッチング命令の受信が終了する時点にコンテンツ転換動作を中止するように制御できる。
【０６５９】
これらの各実施形態については上述したことがあるので、重複説明及び図示は省略する。
【０６６０】
一方、上述した本発明の多様な実施形態にかかる方法を行うためのプログラムは、多様な類型の記録媒体に格納されて使用されることができる。
【０６６１】
具体的には、上述した方法を行うためのコードは、ＲＡＭ、フラッシュメモリ、ＲＯＭ、ＥＰＲＯＭ、ＥＥＰＲＯＭ、レジスタ、ハードディスク、リムーバブルディスク、メモリカード、ＵＳＢメモリ、ＣＤ−ＲＯＭなどのように、端末機で読み取り可能な多様な類型の記録媒体に格納されていることができる。
【０６６２】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０６６３】
１１０−１  受信部１
１１０−２  受信部２
１１０−ｎ  受信部ｎ
１２０−１  信号処理部１
１２０−２  信号処理部２
１２０−ｎ  信号処理部ｎ
１２１−１  ビデオ処理部１
１２２−１  フレームレート変換部１
１３０  出力部
１４０  同期化信号生成部
１５０  インタフェース部
１６０  制御部
１７０  撮像部
１７０´  検知部
１７０´´  入力部
１７５  オーディオデータ送信部
１８０  格納部
１８０´  撮像部
１９０  画像通話処理部
１９１  撮像部
１９２  画像通話受信部
１９３  通話画面処理部
２０  コンテンツビューの転換不可
２１０  通信インタフェース部
２２０  制御部
２３０  シャッターガラス駆動部
２４０  入力部
２４０´  画像通話接続／終了ボタン
２４１  オーディオデータ受信部
２５０  第１シャッターガラス部
２６０  第２シャッターガラス部
２８０  オーディオ出力部
【図１】
2013141236.tif 000003
【図２】
2013141236.tif 000004
【図３】
2013141236.tif 000005
【図４】
2013141236.tif 000006
【図５】
2013141236.tif 000007
【図６】
2013141236.tif 000008
【図７】
2013141236.tif 000009
【図８】
2013141236.tif 000010
【図９】
2013141236.tif 000011
【図１０】
2013141236.tif 000012
【図１１】
2013141236.tif 000013
【図１２】
2013141236.tif 000014
【図１３】
2013141236.tif 000015
【図１４】
2013141236.tif 000016
【図１５】
2013141236.tif 000017
【図１６】
2013141236.tif 000018
【図１７】
2013141236.tif 000019
【図１８】
2013141236.tif 000020
【図１９】
2013141236.tif 000021
【図２０】
2013141236.tif 000022
【図２１】
2013141236.tif 000023
【図２２】
2013141236.tif 000024
【図２３】
2013141236.tif 000025
【図２４】
2013141236.tif 000026
【図２５】
2013141236.tif 000027
【図２６】
2013141236.tif 000028
【図２７】
2013141236.tif 000029
【図２８】
2013141236.tif 000030
【図２９】
2013141236.tif 000031
【図３０】
2013141236.tif 000032
【図３１】
2013141236.tif 000033
【図３２】
2013141236.tif 000034
【図３３】
2013141236.tif 000035
【図３４】
2013141236.tif 000036
【図３５】
2013141236.tif 000037
【図３６】
2013141236.tif 000038
【図３７】
2013141236.tif 000039
【図３８】
2013141236.tif 000040
【図３９】
2013141236.tif 000041
【図４０】
2013141236.tif 000042
【図４１】
2013141236.tif 000043
【図４２】
2013141236.tif 000044
【図４３】
2013141236.tif 000045
【図４４】
2013141236.tif 000046
【図４５】
2013141236.tif 000047
【図４６】
2013141236.tif 000048
【図４７】
2013141236.tif 000049
【図４８】
2013141236.tif 000050
【図４９】
2013141236.tif 000051
【図５０】
2013141236.tif 000052
【図５１】
2013141236.tif 000053
【図５２】
2013141236.tif 000054
【図５３】
2013141236.tif 000055
【図５４】
2013141236.tif 000056
【図５５】
2013141236.tif 000057
【図５６】
2013141236.tif 000058
【図５７】
2013141236.tif 000059
【図５８】
2013141236.tif 000060
【図５９】
2013141236.tif 000061
【図６０】
2013141236.tif 000062
【図６１】
2013141236.tif 000063